(57)【要約】  プレーヤーで再生中の再生信号がＯｎＡｉｒ状態であるか否か（ミキサー装置側で出力されているか否か）をプレーヤー側で識別することができ、ひいてはユーザーによるプレーヤーの誤操作を防止することができるミキサー装置、プレーヤー、再生システム等を提供することを目的とする。本発明のミキサー装置２０は、１以上のプレーヤー１０と接続され、当該プレーヤー１０により再生された再生信号を出力装置３０に対して出力するものであって、再生信号を出力装置３０に対して出力していること（ＯｎＡｉｒ状態であること）を示すＯｎＡｉｒ信号を、当該再生信号の入力源となるプレーヤー１０に対して出力することを特徴とする。
2010122608.tif 000002
【特許請求の範囲】
【請求項１】
１以上のプレーヤーと接続され、当該プレーヤーにより再生された再生信号を出力装置に対して出力するミキサー装置であって、
前記１以上のプレーヤーのうち少なくとも１つのプレーヤーから、前記再生信号を入力する再生信号入力手段と、
前記再生信号入力手段により入力された前記再生信号を、前記出力装置に対して出力する再生信号出力手段と、
前記再生信号出力手段により前記再生信号を前記出力装置に対して出力していることを示すＯｎＡｉｒ情報を、当該再生信号の入力源となるプレーヤーに対して出力するＯｎＡｉｒ情報出力手段と、を備えたことを特徴とするミキサー装置。
【請求項２】
前記ＯｎＡｉｒ情報出力手段は、前記ＯｎＡｉｒ情報の一部として、前記再生信号の出力レベルに関する出力レベル情報を、当該再生信号の入力源となるプレーヤーに対して出力することを特徴とする請求項１に記載のミキサー装置。
【請求項３】
前記出力レベル情報は、前記出力装置に対して出力される１以上の再生信号の出力レベル比、マスター出力レベル調整前の各再生信号の出力レベル、マスター出力レベル調整後の各再生信号の出力レベルのうち、少なくとも一つに基づいて生成された情報であることを特徴とする請求項２に記載のミキサー装置。
【請求項４】
出力装置と接続されたミキサー装置に対し、再生信号を出力するプレーヤーであって、
前記再生信号を、前記ミキサー装置に対して出力する再生信号出力手段と、
前記再生信号出力手段により出力した再生信号が前記ミキサー装置により前記出力装置に対して出力されていることを示すＯｎＡｉｒ情報を、前記ミキサー装置から入力するＯｎＡｉｒ情報入力手段と、
前記ＯｎＡｉｒ情報入力手段により入力された前記ＯｎＡｉｒ情報に基づいて、誤操作を防止するための所定の制御を行う制御手段と、を備えたことを特徴とするプレーヤー。
【請求項５】
前記制御手段は、前記所定の制御として、前記ＯｎＡｉｒ情報の入力の有無に基づいて表示形態が変化するＯｎＡｉｒ表示手段の表示制御を行うことを特徴とする請求項４に記載のプレーヤー。
【請求項６】
前記ＯｎＡｉｒ情報は、前記ミキサー装置により前記出力装置に対して出力されている前記再生信号の出力レベルに関する出力レベル情報を含み、
前記制御手段は、前記出力レベル情報に基づいて、前記ＯｎＡｉｒ表示手段の表示形態を変化させることを特徴とする請求項５に記載のプレーヤー。
【請求項７】
前記制御手段は、前記ＯｎＡｉｒ情報が入力されている状態で再生中の再生信号の残り再生時間が所定時間以内になった場合、前記ＯｎＡｉｒ表示手段の表示形態を変化させることを特徴とする請求項５に記載のプレーヤー。
【請求項８】
前記制御手段は、前記表示形態として、前記ＯｎＡｉｒ表示手段の表示色、輝度、表示内容、点滅速度のうち、少なくとも一つを変化させることを特徴とする請求項５に記載のプレーヤー。
【請求項９】
前記再生信号は音声信号を含み、
前記制御手段は、再生中の前記再生信号のＢＰＭに同期して、前記ＯｎＡｉｒ表示手段を点滅させることを特徴とする請求項５に記載のプレーヤー。
【請求項１０】
前記制御手段は、前記所定の制御として、前記ＯｎＡｉｒ情報が入力されている場合、所定の操作子の機能を制限することを特徴とする請求項４に記載のプレーヤー。
【請求項１１】
前記制御手段は、前記所定の操作子の機能を制限する、または制限している場合、その理由および制限解除の判断をユーザーに促す内容の少なくとも一方を、文字または画像を表示可能な情報表示手段に表示させることを特徴とする請求項１０に記載のプレーヤー。
【請求項１２】
前記制御手段は、前記所定の制御として、前記ＯｎＡｉｒ情報が入力されている状態で所定の操作が行われた場合、再生中の再生信号の少なくとも一部を繰り返し再生することを特徴とする請求項４に記載のプレーヤー。
【請求項１３】
前記制御手段は、前記ＯｎＡｉｒ情報が入力されている場合、当該ＯｎＡｉｒ情報が入力されていない場合と比較して、前記再生信号のバッファ量を多くし、前記所定の操作が行われた場合、バッファリングしておいた再生信号の少なくとも一部を繰り返し再生することを特徴とする請求項１２に記載のプレーヤー。
【請求項１４】
前記制御手段は、前記所定の制御として、前記ＯｎＡｉｒ情報が入力されている状態で再生中の再生信号の残り再生時間が所定時間以内になった場合、再生中の再生信号の少なくとも一部を繰り返し再生することを特徴とする請求項４に記載のプレーヤー。
【請求項１５】
前記制御手段は、前記繰り返し再生を行う、または行っている場合、その旨およびその理由の少なくとも一方を、文字または画像を表示可能な情報表示手段に表示させることを特徴とする請求項１２または１４に記載のプレーヤー。
【請求項１６】
前記ＯｎＡｉｒ情報入力手段は、プレーヤーの状態に応じて、前記所定の制御の制御内容を制限することを特徴とする請求項４に記載のプレーヤー。
【請求項１７】
前記ＯｎＡｉｒ情報に基づいて前記所定の制御を行うか否かを設定するユーザー設定手段をさらに備えたことを特徴とする請求項４に記載のプレーヤー。
【請求項１８】
前記制御手段は、前記ＯｎＡｉｒ情報入力手段により前記ＯｎＡｉｒ情報が入力されていない場合、前記所定の制御を行わないことを特徴とする請求項４に記載のプレーヤー。
【請求項１９】
１以上のプレーヤーと、当該プレーヤーにより再生された再生信号を出力装置に対して出力するミキサー装置と、を有する再生システムであって、
前記ミキサー装置は、
前記１以上のプレーヤーのうち少なくとも１つのプレーヤーから、前記再生信号を入力する再生信号入力手段と、
前記再生信号入力手段により入力された前記再生信号を、前記出力装置に対して出力する再生信号出力手段と、
前記再生信号出力手段により前記再生信号を前記出力装置に対して出力していることを示すＯｎＡｉｒ情報を、当該再生信号の入力源となるプレーヤーに対して出力するＯｎＡｉｒ情報出力手段と、を備え、
前記プレーヤーは、
前記再生信号を、前記ミキサー装置に対して出力する再生信号出力手段と、
前記ＯｎＡｉｒ情報を、前記ミキサー装置から入力するＯｎＡｉｒ情報入力手段と、
前記ＯｎＡｉｒ情報入力手段により入力された前記ＯｎＡｉｒ情報に基づいて、誤操作を防止するための所定の制御を行う制御手段と、を備えたことを特徴とする再生システム。
【請求項２０】
１以上のプレーヤーと接続され、当該プレーヤーにより再生された再生信号を出力装置に対して出力するミキサー装置の制御方法であって、
前記ミキサー装置が、
前記１以上のプレーヤーのうち少なくとも１つのプレーヤーから、前記再生信号を入力するステップと、
入力された前記再生信号を、前記出力装置に対して出力するステップと、
前記再生信号を前記出力装置に対して出力していることを示すＯｎＡｉｒ情報を、当該再生信号の入力源となるプレーヤーに対して出力するステップと、を実行することを特徴とするミキサー装置の制御方法。
【請求項２１】
出力装置と接続されたミキサー装置に対し、再生信号を出力するプレーヤーの制御方法であって、
前記プレーヤーが、
前記再生信号を、前記ミキサー装置に対して出力するステップと、
プレーヤーが出力した再生信号が前記ミキサー装置により前記出力装置に対して出力されていることを示すＯｎＡｉｒ情報を、前記ミキサー装置から入力するステップと、
入力された前記ＯｎＡｉｒ情報に基づいて、誤操作を防止するための所定の制御を行うステップと、を実行することを特徴とするプレーヤーの制御方法。
【請求項２２】
コンピューターに、請求項２０に記載のミキサー装置の制御方法における各ステップ、および請求項２１に記載のプレーヤーの制御方法における各ステップの少なくとも一方を実行させるためのプログラム。
【発明の詳細な説明】
【技術分野】
【０００１】
１以上のプレーヤーと接続され、当該プレーヤーにより再生された再生信号を出力装置に対して出力するミキサー装置、プレーヤー、再生システム、ミキサー装置の制御方法、プレーヤーの制御方法およびプログラムに関するものである。
【背景技術】
【０００２】
ミキサー装置は、一般的に、複数のプレーヤーと接続され、各プレーヤーにより再生された再生信号（例えば、音声信号）を混合して、アンプおよびスピーカー等の出力装置に出力する。この種のミキサー装置やプレーヤーは、クラブ等においてＤＪ機器（ディスクジョッキー（ＤＪ）が音響パフォーマンスに用いる機器）として用いられることが多い（例えば、特許文献１参照）。このため、あるプレーヤーの再生中に、非再生中の別のプレーヤーで曲の入れ替えを行うといった操作が頻繁に行われる。
【先行技術文献】
【特許文献】
【０００３】
【特許文献１】特開２００２−３２９３８７号公報
【発明の概要】
【発明が解決しようとする課題】
【０００４】
ところで、上記のように、プレーヤーの再生信号を、ミキサー装置を介して出力する形態の場合、ユーザー（操作者）は、その再生信号がＯｎＡｉｒ状態であるか否か（ミキサー装置から出力装置に対して出力されているか否か）について、ミキサー装置のフェーダー等の操作子の状態で判断する。つまり、プレーヤー側では、そこから出力された再生信号が実際に再生されているか否かを識別することができない。このため、ＯｎＡｉｒ状態であるにも拘わらず、プレーヤー側で、再生中断、次曲のロード、デバイスのイジェクト操作などの誤操作が行われる可能性があった。このような誤操作が行われると、楽曲が中断され、演奏に支障をきたしてしまう。特に、クラブ等でＤＪ機器として用いられる場合は、場の雰囲気を大きく損ねることになり、致命的な問題である。
【課題を解決するための手段】
【０００５】
本発明は、上記の問題点に鑑み、プレーヤーで再生中の再生信号がＯｎＡｉｒ状態であるか否かをプレーヤー側で識別することができ、ひいてはユーザーによるプレーヤーの誤操作を防止することができるミキサー装置、プレーヤー、再生システム、ミキサー装置の制御方法、プレーヤーの制御方法およびプログラムを提供することを目的とする。
【発明の効果】
【０００６】
本発明のミキサー装置は、１以上のプレーヤーと接続され、当該プレーヤーにより再生された再生信号を出力装置に対して出力するミキサー装置であって、１以上のプレーヤーのうち少なくとも１つのプレーヤーから、再生信号を入力する再生信号入力手段と、再生信号入力手段により入力された再生信号を、出力装置に対して出力する再生信号出力手段と、再生信号出力手段により再生信号を出力装置に対して出力していることを示すＯｎＡｉｒ情報を、当該再生信号の入力源となるプレーヤーに対して出力するＯｎＡｉｒ情報出力手段と、を備えたことを特徴とする。【０００７】
本発明のプレーヤーは、出力装置と接続されたミキサー装置に対し、再生信号を出力するプレーヤーであって、再生信号を、ミキサー装置に対して出力する再生信号出力手段と、再生信号出力手段により出力した再生信号がミキサー装置により出力装置に対して出力されていることを示すＯｎＡｉｒ情報を、ミキサー装置から入力するＯｎＡｉｒ情報入力手段と、ＯｎＡｉｒ情報入力手段により入力されたＯｎＡｉｒ情報に基づいて、誤操作を防止するための所定の制御を行う制御手段と、を備えたことを特徴とする。【０００８】
これらの構成によれば、ミキサー装置が、プレーヤーから入力された再生信号を出力装置に対して出力していること（ＯｎＡｉｒ状態であること）を示すＯｎＡｉｒ情報を、当該再生信号の入力源となるプレーヤーに対して出力するため、プレーヤーで再生中の再生信号がＯｎＡｉｒ状態であるか否かをプレーヤー側で識別することができる。また、プレーヤーが、入力されたＯｎＡｉｒ情報に基づいて所定の制御を行うことで、ユーザーの誤操作を防止することができる。
なお、「再生信号」は、音声信号および映像信号のいずれであっても良い。
また、「再生中」とは、プレーヤー側で再生が行われていること（プレーヤーからミキサー装置に対して再生信号が出力されていること）を意味するものであり、ミキサー装置により出力装置に対して再生信号が出力されていることを示す「ＯｎＡｉｒ状態」とは異なる。
また、「ＯｎＡｉｒ情報」は、出力レベルが所定の出力レベル以上または所定の出力レベルを超えて外部出力されていることを示すものであっても良い。この場合、所定の出力レベルは、Ｍｉｎ（最小値）であっても良い。【０００９】
上記に記載のミキサー装置において、ＯｎＡｉｒ情報出力手段は、ＯｎＡｉｒ情報の一部として、再生信号の出力レベルに関する出力レベル情報を、当該再生信号の入力源となるプレーヤーに対して出力することを特徴とする。【００１０】
上記に記載のプレーヤーにおいて、制御手段は、所定の制御として、ＯｎＡｉｒ情報の入力の有無に基づいて表示形態が変化するＯｎＡｉｒ表示手段の表示制御を行うことを特徴とする。【００１１】
上記に記載のプレーヤーにおいて、ＯｎＡｉｒ情報は、ミキサー装置により出力装置に対して出力されている再生信号の出力レベルに関する出力レベル情報を含み、制御手段は、出力レベル情報に基づいて、ＯｎＡｉｒ表示手段の表示形態を変化させることを特徴とする。【００１２】
これらの構成によれば、ミキサー装置により出力装置に対して再生信号が出力されているか否か、および再生信号の出力レベルを、プレーヤー側で識別することができる。また、ＯｎＡｉｒ表示手段の表示により、ユーザーも、プレーヤー側で再生中の再生信号の出力の有無や出力レベルを判断することができ、操作性の向上が期待できる。【００１３】
上記に記載のミキサー装置において、出力レベル情報は、出力装置に対して出力される１以上の再生信号の出力レベル比、マスター出力レベル調整前の各再生信号の出力レベル、マスター出力レベル調整後の各再生信号の出力レベルのうち、少なくとも一つに基づいて生成された情報であることを特徴とする。【００１４】
この構成によれば、出力装置に対して出力される１以上の再生信号の出力レベル比、マスター出力レベル調整前の各再生信号の出力レベル、マスター出力レベル調整後の各再生信号の出力レベルのうち、いずれかの項目または複数の項目を示すパラメータを用いて、出力レベル情報を生成することができる。
なお、どの項目を示すパラメータを用いて出力レベル情報を生成するかについて、ユーザーが設定（選択）可能としても良い。【００１５】
上記に記載のプレーヤーにおいて、制御手段は、ＯｎＡｉｒ情報が入力されている状態で再生中の再生信号の残り再生時間が所定時間以内になった場合、ＯｎＡｉｒ表示手段の表示形態を変化させることを特徴とする。【００１６】
この構成によれば、再生中の再生信号が残り僅かとなったことを、ユーザーが確認することができる。【００１７】
上記に記載のプレーヤーにおいて、制御手段は、表示形態として、ＯｎＡｉｒ表示手段の表示色、輝度、表示内容、点滅速度のうち、少なくとも一つを変化させることを特徴とする。【００１８】
この構成によれば、ユーザーは、ＯｎＡｉｒ表示手段の表示色、輝度、表示内容、点滅速度などから、プレーヤーで再生中の再生信号の出力の有無、出力レベルおよび残り再生時間などを判断することができる。
なお、ＯｎＡｉｒ情報や出力レベル情報に基づいて変化させる表示形態について、ユーザーが設定可能としても良い。【００１９】
上記に記載のプレーヤーにおいて、再生信号は音声信号を含み、制御手段は、再生中の再生信号のＢＰＭに同期して、ＯｎＡｉｒ表示手段を点滅させることを特徴とする。【００２０】
この構成によれば、ＯｎＡｉｒ表示手段が再生信号（音声信号）のＢＰＭに同期して点滅するため、再生信号のＢＰＭが点滅タイミングとずれることによって、演奏中のユーザーに違和感を与えることがない。
なお、ＢＰＭの解析は、プレーヤー側で行っても良いし、ミキサー装置側で行っても良い。また、プレーヤーやミキサー装置でＢＰＭの解析を行うのではなく、予めＢＰＭ解析されたデータを利用しても良い。【００２１】
上記に記載のプレーヤーにおいて、制御手段は、所定の制御として、ＯｎＡｉｒ情報が入力されている場合、所定の操作子の機能を制限することを特徴とする。【００２２】
この構成によれば、再生信号が再生中の場合、再生中に行われるべきではない所定の操作子の機能を制限することで、ユーザーの誤操作を防止することができる。
なお、「所定の操作子の機能」とは、再生中の再生信号が記録されているデバイスのイジェクト、他曲のロード、再生中断、スキップ操作など、再生に支障をきたす恐れのある機能を指す。
また、制限対象となる「所定の操作子」、または「所定の操作子の機能」を、ユーザーが設定可能としても良い。後者については、１つの操作子に複数の機能が割り当てられている場合、そのうちの一部の機能を制限したい場合に有用である。【００２３】
上記に記載のプレーヤーにおいて、制御手段は、所定の操作子の機能を制限する、または制限している場合、その理由および制限解除の判断をユーザーに促す内容の少なくとも一方を、文字または画像を表示可能な情報表示手段に表示させることを特徴とする。【００２４】
この構成によれば、所定の操作子の機能を制限する前、または所定の操作子の操作が行われた場合などにおいて、ユーザーに対してその理由を報知したり、制限解除の判断を委ねたりすることができる。
なお、これらの表示を行うか否か、表示タイミング（所定の操作子の機能を制限する前と制限した時とのいずれのタイミングで表示させるか）、表示内容、などについて、ユーザーが設定可能としても良い。【００２５】
上記に記載のプレーヤーにおいて、制御手段は、所定の制御として、ＯｎＡｉｒ情報が入力されている状態で所定の操作が行われた場合、再生中の再生信号の少なくとも一部を繰り返し再生することを特徴とする。【００２６】
この構成によれば、再生信号の再生中に、誤って再生信号の再生が中断されるような操作が行われた場合でも、繰り返し再生により中断を阻止することができる。これにより、本発明のプレーヤーがＤＪ機器として用いられた場合などにおいて、楽曲の中断により場の雰囲気を大きく損ねてしまうといった致命的なミスを防止することができる。
なお、「所定の操作」とは、再生中の再生信号が記録されているデバイスのイジェクト、他曲のロード、再生中断、スキップ操作など、再生信号の再生が中断されるような操作を指す。
また、「所定の操作」として、どのような操作が行われたときに繰り返し再生を行うかについて、ユーザーが設定可能としても良い。【００２７】
上記に記載のプレーヤーにおいて、制御手段は、ＯｎＡｉｒ情報が入力されている場合、当該ＯｎＡｉｒ情報が入力されていない場合と比較して、再生信号のバッファ量を多くし、所定の操作が行われた場合、バッファリングしておいた再生信号の少なくとも一部を繰り返し再生することを特徴とする。【００２８】
この構成によれば、再生信号の再生中は、誤操作によって繰り返し再生を行う可能性があるため、それに備えてバッファ量を多くしておくことで、誤操作が行われた場合に、違和感の無い長さ（例えば、４拍分以上）で繰り返し再生を行うことができる。また、バッファリングしておいた再生信号を用いることで、再生中の再生信号が記録されているデバイスのイジェクトが行われた場合でも、支障なく繰り返し再生することができる。
なお、再生中における再生信号のバッファ量、非再生中における再生信号のバッファ量、残ったバッファ量のどのタイミングから繰り返し再生させるか、繰り返し再生期間、などについて、ユーザーが設定可能としても良い。【００２９】
上記に記載のプレーヤーにおいて、制御手段は、所定の制御として、ＯｎＡｉｒ情報が入力されている状態で再生中の再生信号の残り再生時間が所定時間以内になった場合、再生中の再生信号の少なくとも一部を繰り返し再生することを特徴とする。【００３０】
この構成によれば、何らかの原因で次曲のロードが間に合わなかった場合でも、繰り返し再生により楽曲の中断を阻止することができる。これにより、本発明のプレーヤーがＤＪ機器として用いられた場合などにおいて、楽曲の中断により場の雰囲気を大きく損ねてしまうといった致命的なミスを防止することができる。
なお、「所定時間」、「再生中の再生信号の少なくとも一部」に相当する繰り返し再生期間、などについて、ユーザーが設定可能としても良い。【００３１】
上記に記載のプレーヤーにおいて、制御手段は、繰り返し再生を行う、または行っている場合、その旨およびその理由の少なくとも一方を、文字または画像を表示可能な情報表示手段に表示させることを特徴とする。【００３２】
この構成によれば、繰り返し再生を行う前、または繰り返し再生を行っている間において、ユーザーに対し、その旨またはその理由を報知することができる。
なお、これらの表示を行うか否か、表示タイミング（繰り返し再生を行う前、または繰り返し再生を行っている間とのいずれのタイミングで表示させるか）、表示内容、などについて、ユーザーが設定可能としても良い。【００３３】
上記に記載のプレーヤーにおいて、ＯｎＡｉｒ情報入力手段は、プレーヤーの状態に応じて、所定の制御の制御内容を制限することを特徴とする。【００３４】
この構成によれば、例えば、プレーヤーが再生中でない場合は、所定の操作子の機能制限は無効にしつつ、ＯｎＡｉｒ表示手段の表示は有効にしてＯｎＡｉｒ状態であることを示す、などの制御が可能となる。【００３５】
上記に記載のプレーヤーにおいて、ＯｎＡｉｒ情報に基づいて所定の制御を行うか否かを設定するユーザー設定手段をさらに備えたことを特徴とする。【００３６】
この構成によれば、ＯｎＡｉｒ情報に基づく制御を行うか否か（本発明の構成を適用するか、ＯｎＡｉｒ情報が入力されない従来の構成を適用するか）を、ユーザーのニーズや使用用途に応じて設定することができる。【００３７】
上記に記載のプレーヤーにおいて、制御手段は、ＯｎＡｉｒ情報入力手段によりＯｎＡｉｒ情報が入力されていない場合、所定の制御を行わないことを特徴とする。【００３８】
この構成によれば、ＯｎＡｉｒ情報が入力されていない場合は、誤操作を防止するための所定の制御を行わないため、不必要な表示が行われたり、不必要に機能が制限されたりすることがない。【００３９】
本発明の再生システムは、１以上のプレーヤーと、当該プレーヤーにより再生された再生信号を出力装置に対して出力するミキサー装置と、を有する再生システムであって、ミキサー装置は、１以上のプレーヤーのうち少なくとも１つのプレーヤーから、再生信号を入力する再生信号入力手段と、再生信号入力手段により入力された再生信号を、出力装置に対して出力する再生信号出力手段と、再生信号出力手段により再生信号を出力装置に対して出力していることを示すＯｎＡｉｒ情報を、当該再生信号の入力源となるプレーヤーに対して出力するＯｎＡｉｒ情報出力手段と、を備え、プレーヤーは、再生信号を、ミキサー装置に対して出力する再生信号出力手段と、ＯｎＡｉｒ情報を、ミキサー装置から入力するＯｎＡｉｒ情報入力手段と、ＯｎＡｉｒ情報入力手段により入力されたＯｎＡｉｒ情報に基づいて、誤操作を防止するための所定の制御を行う制御手段と、を備えたことを特徴とする。【００４０】
本発明のミキサー装置の制御方法は、１以上のプレーヤーと接続され、当該プレーヤーにより再生された再生信号を出力装置に対して出力するミキサー装置の制御方法であって、ミキサー装置が、１以上のプレーヤーのうち少なくとも１つのプレーヤーから、再生信号を入力するステップと、入力された再生信号を、出力装置に対して出力するステップと、再生信号を出力装置に対して出力していることを示すＯｎＡｉｒ情報を、当該再生信号の入力源となるプレーヤーに対して出力するステップと、を実行することを特徴とする。【００４１】
本発明のプレーヤーの制御方法は、出力装置と接続されたミキサー装置に対し、再生信号を出力するプレーヤーの制御方法であって、プレーヤーが、再生信号を、ミキサー装置に対して出力するステップと、プレーヤーが出力した再生信号がミキサー装置により出力装置に対して出力されていることを示すＯｎＡｉｒ情報を、ミキサー装置から入力するステップと、入力されたＯｎＡｉｒ情報に基づいて、誤操作を防止するための所定の制御を行うステップと、を実行することを特徴とする。【００４２】
本発明のプログラムは、コンピューターに、上記に記載のミキサー装置の制御方法における各ステップ、および上記に記載のプレーヤーの制御方法における各ステップの少なくとも一方を実行させるためのものであることを特徴とする。【００４３】
これらの構成によれば、プレーヤーで再生中の再生信号がＯｎＡｉｒ状態であるか否かをプレーヤー側で識別することができ、ひいてはユーザーによるプレーヤーの誤操作を防止することができる再生システム、ミキサー装置の制御方法、プレーヤーの制御方法およびプログラムを提供することができる。
【図面の簡単な説明】
【００４４】
【図１】本発明の一実施形態に係る再生システムのシステム構成図である。
【図２】プレーヤーを上側から見た平面図である。
【図３】ミキサー装置を上側から見た平面図である。
【図４】再生システムの機能ブロック図である。
【図５】ミキサー装置のＯｎＡｉｒ信号送信に関するメイン処理を示すフローチャートである。
【図６】ミキサー装置の出力レベル検出処理を示すフローチャートである。
【図７】プレーヤーのメイン処理を示すフローチャートである。
【図８】ミキサー装置のＯｎＡｉｒ信号送信処理を示すフローチャートである。
【図９】第１実施形態に係る出力レベル信号の生成に関する説明図である。
【図１０】プレーヤーの操作子機能制限処理を示すフローチャートである。
【図１１】プレーヤーの繰り返し再生処理（１）を示すフローチャートである。
【図１２】繰り返し再生に関する説明図である。
【図１３】プレーヤーの繰り返し再生処理（１）の基本形を示すフローチャートである。
【図１４】プレーヤーの繰り返し再生処理（２）を示すフローチャートである。
【図１５】プレーヤーの繰り返し再生処理（２）の基本形を示すフローチャートである。
【図１６】第２実施形態に係る出力レベル信号の生成に関する説明図である。
【図１７】第３実施形態に係る出力レベル信号の生成に関する説明図である。
【発明を実施するための形態】
【００４５】
以下、本発明の一実施形態に係るミキサー装置、プレーヤー、再生システム、ミキサー装置の制御方法、プレーヤーの制御方法およびプログラムについて、添付図面を参照しながら詳細に説明する。本実施形態では、本発明のミキサー装置やプレーヤーを、ＤＪが音楽パフォーマンスを行うためのＤＪ機器に適用した場合を例示する。
【００４６】
［第１実施形態］
図１は、再生システムＳＹのシステム構成図である。同図に示すように、再生システムＳＹは、１台以上のプレーヤー１０と、当該プレーヤー１０により再生された再生信号（音声信号）の出力制御を行うミキサー装置２０と、当該ミキサー装置２０から出力された再生信号を外部に出力する出力装置３０と、を備えている。
【００４７】
プレーヤー１０は、ＣＤ、ＵＳＢメモリ、ＳＤメモリカードなどの各種デバイスＤを挿入可能となっており、これらの各デバイスＤから楽曲（音声データ）を読み出して再生する。また、ジョグダイヤル１２などの操作子を有し、ユーザーの操作に基づいて、再生状態の調節や、エフェクト効果の付加などの再生処理を行う。
【００４８】
ミキサー装置２０は、チャンネルフェーダー２５やクロスフェーダー２７などの操作子を有し、各プレーヤー１０から入力された再生信号の混合処理などを行う。また、ミキサー装置２０は、オーディオケーブル４１およびＯｎＡｉｒ信号送信用ケーブル４２を介して、各プレーヤー１０と接続されている。本実施形態では、１台のミキサー装置２０に４台のプレーヤー１０が接続され、ミキサー装置２０の「チャンネル１」〜「チャンネル４」が、それぞれ「プレーヤー１」〜「プレーヤー４」に対応しているものとする。
【００４９】
オーディオケーブル４１は、プレーヤー１０により再生された再生信号を入力するためのケーブルであり、ＲＣＡケーブルなどが用いられる。また、ＯｎＡｉｒ信号送信用ケーブル４２は、ミキサー装置２０が再生信号を出力装置３０に対して出力していること（ＯｎＡｉｒ状態であること）を示すＯｎＡｉｒ信号（ＯｎＡｉｒ情報）を、その再生信号の入力源となるプレーヤー１０に対して出力するためのケーブルであり、イーサネットケーブルやＵＳＢケーブルなどが用いられる。
【００５０】
出力装置３０は、アンプ３１と、当該アンプ３１に接続された１台以上のスピーカー３２（図示では、２台）と、を有している。また、出力装置３０は、オーディオケーブル４１を介して、ミキサー装置２０と接続されている。なお、特に図示しないが、プレーヤー１０およびミキサー装置２０には、各ケーブル４１，４２が接続される端子（インターフェース）が設けられている。また、出力装置３０には、オーディオケーブル４１が接続される端子が設けられている。なお、上記の通りプレーヤー１０、ミキサー装置２０および出力装置３０間を有線接続とするのではなく、無線接続としても良い。すなわち、無線通信によって、再生信号やＯｎＡｉｒ信号の送受信を行っても良い。
【００５１】
次に、図２および図３を参照し、プレーヤー１０およびミキサー装置２０の装置構成について簡単に説明する。図２は、プレーヤー１０の装置構成を示す平面図である。プレーヤー１０は、表示部１１、ジョグダイヤル１２、ＣＤ挿入口１３、ＣＤ用イジェクトボタン１３ａ、ＵＳＢメモリスロット１４、ＵＳＢメモリ用イジェクトボタン１４ａ、ＳＤメモリカードスロット１５、ＳＤメモリカード用イジェクトボタン１５ａ、カーソルボタン１６ａ、エンターボタン１６ｂ、トラックサーチボタン１８ａ、マニュアルサーチボタン１８ｂ、キューボタン１８ｃ、プレイ／ポーズボタン１８ｄおよびテンポリセットボタン１８ｅなどを有している。
【００５２】
表示部１１は、液晶ディスプレイなどにより構成され、各種情報を表示する。また、ジョグダイヤル１２は、ジョグダイヤル本体１２ａと、ジョグＬＥＤ１２ｂと、を有する。ジョグダイヤル本体１２ａは、ユーザーにより回転操作が行われるものであり、ジョグＬＥＤ１２ｂは、プレーヤー１０で再生中の再生信号の出力レベルを表示するために用いられる（詳細については、後述する）。ここで、「再生中」とは、プレーヤー１０側で再生が行われていること（プレーヤー１０から再生信号が出力されていること）を意味するものであり、ミキサー装置２０により出力装置３０に対して再生信号が出力されていることを示す「ＯｎＡｉｒ状態」とは異なる。一方、カーソルボタン１６ａおよびエンターボタン１６ｂは、各種設定や選択を行うために用いられる。また、その操作結果は、表示部１１に反映される。
【００５３】
図３は、ミキサー装置２０の装置構成を示す平面図である。ミキサー装置２０は、チャンネル毎に、チャンネル切替スイッチ２１、トリム調整ツマミ２２、チャンネルイコライザ調整ツマミ２３（高音用、中音用、低音用）、チャンネルフェーダー２５およびクロスフェーダーアサインスイッチ２６などを有している。また、装置手前側には、クロスフェーダー２７が設けられ、装置右手奥側には、マスター出力レベル調整ツマミ２８およびマスターレベルインジケーター２９などが設けられている。
【００５４】
チャンネル切替スイッチ２１は、ＣＤ／デジタル入力およびライン入力の２系統のうち、いずれかを選択するための操作子である。また、トリム調整ツマミ２２は、各チャンネルの入力レベルを調整するための操作子である。また、チャンネルイコライザ調整ツマミ２３は、各チャンネルの高音、中音、低音をそれぞれ調整するための操作子である。また、チャンネルフェーダー２５は、各チャンネルの音量レベルを調整するための操作子である。
【００５５】
また、クロスフェーダーアサインスイッチ２６は、各チャンネルの出力を、クロスフェーダー２７の左右（Ａ側またはＢ側）若しくは「スルー」のいずれに割り当てるかを選択するための操作子である。なお、複数のチャンネルが同じ側を選択した場合、それらを加算したものが割り当てられる。また、「スルー」が選択されている場合は、チャンネルフェーダー２５の出力は、クロスフェーダー２７を通らずに、そのままマスター出力に出ていくこととなる。
【００５６】
また、クロスフェーダー２７は、クロスフェーダーアサインスイッチ２６によって左右に割り当てられた各再生信号の混合割合を調整するための操作子である。また、マスター出力レベル調整ツマミ２８は、マスター出力の音量レベルを調整するための操作子である。また、マスターレベルインジケーター２９は、マスター出力レベルをＬＥＤ表示するものである。
【００５７】
なお、プレーヤー１０およびミキサー装置２０には、図２および図３で示したもの以外にも、多数の操作子やインジケーターが設けられているが、本発明とは直接関係しないため、それらの説明を省略する。
【００５８】
次に、図４を参照し、再生システムＳＹ（プレーヤー１０、ミキサー装置２０および出力装置３０）の機能構成について説明する。プレーヤー１０は、主な機能構成として、プレーヤー側制御手段１１０、再生手段１２０、プレーヤー側再生信号出力手段１３０、ＯｎＡｉｒ情報入力手段１４０、ＯｎＡｉｒ表示手段１５０、情報表示手段１６０およびユーザー設定手段１７０を備えている。
【００５９】
プレーヤー側制御手段１１０は、マイコンなどを主な構成要素とし、プレーヤー１０内を統括制御する。プレーヤー側制御手段１１０は、ミキサー装置２０から、ＯｎＡｉｒ状態であることを示すＯｎＡｉｒ信号が入力された場合に、当該ＯｎＡｉｒ信号に基づいて、ユーザーの誤操作を防止するための所定の制御（以下、「誤操作防止制御」と称する）を行う。なお、ＯｎＡｉｒ信号が入力されていない場合は、誤操作防止制御を行わない。誤操作防止制御としては、出力レベルの表示制御、所定の操作子（例えば、イジェクトボタン１３ａ，１４ａ，１５ａ、トラックサーチボタン１８ａ、プレイ／ポーズボタン１８ｄおよびテンポリセットボタン１８ｅなど）の機能制限、繰り返し再生制御、などを行う（後に、詳述する）。
【００６０】
再生手段１２０は、デバイスＤから随時所定量分の音声データを読み出して、内部メモリバッファＢに格納しておき、当該内部メモリバッファＢから読み出した音声データを再生する。なお、デバイスＤのように、プレーヤー１０に着脱可能な記憶媒体に記録されている音声データのみならず、プレーヤー１０に内蔵されたハードディスクのような記憶媒体に記録されている音声データを再生可能としても良い。
【００６１】
プレーヤー側再生信号出力手段１３０は、再生手段１２０により再生されている再生信号を、オーディオケーブル４１を介してミキサー装置２０に出力する。
【００６２】
ＯｎＡｉｒ情報入力手段１４０は、プレーヤー側再生信号出力手段１３０により出力した再生信号がミキサー装置２０により出力装置３０に対して出力されていることを示すＯｎＡｉｒ信号を、ＯｎＡｉｒ信号送信用ケーブル４２を介してミキサー装置２０から入力する。
【００６３】
ＯｎＡｉｒ表示手段１５０は、ジョグＬＥＤ１２ｂを主な構成要素とし、ＯｎＡｉｒ信号に含まれる出力レベル信号（出力レベル情報）に応じた表示を行う。プレーヤー側制御手段１１０は、ＯｎＡｉｒ信号が入力されている場合、当該ＯｎＡｉｒ信号に含まれる出力レベル信号に応じて、ＯｎＡｉｒ表示手段１５０（ジョグＬＥＤ１２ｂ）の輝度を決定し、当該輝度でＯｎＡｉｒ表示手段１５０を点滅させる。また、この場合、プレーヤー側制御手段１１０は、再生中の再生信号のＢＰＭに同期して、ＯｎＡｉｒ表示手段１５０を点滅させる。なお、ＢＰＭの解析は、プレーヤー１０側で行っても良いし、ミキサー装置２０側で行っても良い。また、予めＢＰＭ解析されたデータを利用しても良い。さらに、プレーヤー側制御手段１１０は、再生中の再生信号の残り再生時間が所定時間以内になった場合、ＯｎＡｉｒ表示手段１５０の表示形態を変化させるようにしても良い。例えば、再生信号の残り再生時間が３０秒以内になったとき、ＯｎＡｉｒ表示手段１５０を点灯状態から点滅状態に切り替える、などが考えられる。これにより、ユーザーは、再生中の再生信号が残り僅かとなったことを確認することができる。
【００６４】
情報表示手段１６０は、表示部１１を主な構成要素とし、ＯｎＡｉｒ信号に基づく誤操作防止制御が行われている旨などを表示する。例えば、プレーヤー側制御手段１１０は、ＯｎＡｉｒ信号が入力されていることにより、プレーヤー１０の所定の操作子の機能を制限している場合、その理由や制限解除の判断をユーザーに促す内容などを、情報表示手段１６０に表示させる。また、プレーヤー側制御手段１１０は、ＯｎＡｉｒ信号が入力されていることに伴って、繰り返し再生を行っている場合、その旨およびその理由を、情報表示手段１６０に表示させる。なお、情報表示手段１６０による表示は、文字（テキスト）による表示であっても良いし、記号などの画像による表示であって良い。
【００６５】
ユーザー設定手段１７０は、カーソルボタン１６ａおよびエンターボタン１６ｂを主な構成要素とし、誤操作防止制御に関する種々の条件を設定する。具体的には、ＯｎＡｉｒ信号に基づいて誤操作防止制御を行うか否か、所定の操作子の機能を制限したり繰り返し再生を行ったりしている場合にその理由などを表示するか、繰り返し再生を行う場合の繰り返し再生期間、などを設定可能である。
【００６６】
続いて、ミキサー装置２０の機能構成について説明する。ミキサー装置２０は、主な機能構成として、ミキサー装置側制御手段２１０、ミキサー装置側再生信号入力手段２２０、ミキサー装置側再生信号出力手段２３０およびＯｎＡｉｒ情報出力手段２４０を備えている。
【００６７】
ミキサー装置側制御手段２１０は、マイコンなどを主な構成要素とし、ミキサー装置２０内を統括制御する。ミキサー装置側再生信号入力手段２２０は、プレーヤー側再生信号出力手段１３０から出力された再生信号を、オーディオケーブル４１を介して入力する。
【００６８】
ミキサー装置側再生信号出力手段２３０は、ミキサー装置側再生信号入力手段２２０により入力された再生信号を、オーディオケーブル４１を介して出力装置３０に出力する。なお、ここで出力する再生信号は、入力された再生信号に混合処理や出力レベル調整処理などを施したものであり、入力された再生信号そのものではない。
【００６９】
ＯｎＡｉｒ情報出力手段２４０は、ミキサー装置側再生信号出力手段２３０により出力装置３０に対して再生信号を出力していることを示すＯｎＡｉｒ信号を、ＯｎＡｉｒ信号送信用ケーブル４２を介して、再生信号の入力源となるプレーヤー１０（ＯｎＡｉｒ情報入力手段１４０）に出力する。また、上記の通り、ＯｎＡｉｒ情報出力手段２４０は、ＯｎＡｉｒ信号の一部として、再生信号の出力レベルに関する出力レベル信号を出力する。なお、ミキサー装置２０では、ユーザーの操作により、ＯｎＡｉｒ信号の送信の有無を設定可能となっている。このため、ＯｎＡｉｒ情報出力手段２４０は、ＯｎＡｉｒ信号の送信「有」と設定されている場合（ＯｎＡｉｒ信号送信設定の場合）のみＯｎＡｉｒ信号を送信し、ＯｎＡｉｒ信号の送信「無」と設定されている場合（ＯｎＡｉｒ信号非送信設定の場合）はＯｎＡｉｒ信号を送信しない。
【００７０】
続いて、出力装置３０の機能構成について説明する。出力装置３０は、主な機能構成として、出力装置側制御手段３１０、出力装置側再生信号入力手段３２０、増幅手段３３０および外部出力手段３４０を備えている。
【００７１】
出力装置側制御手段３１０は、マイコンなどを主な構成要素とし、出力装置３０内を統括制御する。出力装置側再生信号入力手段３２０は、ミキサー装置側再生信号出力手段２３０により出力された再生信号を、オーディオケーブル４１を介して入力する。
【００７２】
増幅手段３３０は、アンプ３１を主な構成要素とし、出力装置側再生信号入力手段３２０により入力された再生信号を、増幅回路により増幅する。また、外部出力手段３４０は、スピーカー３２を主な構成要素とし、増幅手段３３０により増幅された音声信号を、外部に向けて音声出力する。
【００７３】
次に、図５ないし図１５を参照し、第１実施形態に係る再生システムＳＹ（特に、プレーヤー１０およびミキサー装置２０）の具体的な動作について説明する。図５は、ミキサー装置２０のＯｎＡｉｒ信号送信に関するメイン処理を示すフローチャートである。
【００７４】
ミキサー装置２０（ミキサー装置側制御手段２１０）は、マスター出力レベル調整ツマミ２８の設定が、所定のしきい値を超えているか否かを判別し（Ｓ１１）、超えている場合は（Ｓ１１：Ｙｅｓ）、各チャンネルの出力レベル検出処理（図６参照）を行う（Ｓ１２）。また、各チャンネルの出力レベル検出処理によってＯｎＡｉｒ状態と判定され、さらにＯｎＡｉｒ信号送信設定の場合は（Ｓ１３：Ｙｅｓ）、そのチャンネルに対応するプレーヤー１０を送信対象として、ＯｎＡｉｒ信号送信処理を行う（Ｓ１４）。
【００７５】
一方、マスター出力レベル調整ツマミ２８の設定が所定のしきい値以下の場合（Ｓ１１：Ｎｏ）、並びにＯｎＡｉｒ信号非送信設定の場合は（Ｓ１３：Ｎｏ）、ＯｆｆＡｉｒ状態と判別し、ＯｎＡｉｒ信号を送信しない（Ｓ１５）。なお、同図に示したフローチャートは、ミキサー装置２０の起動中、繰り返し実行される。
【００７６】
次に、図６のフローチャートを参照し、ミキサー装置２０の出力レベル検出処理について説明する。当該フローチャートは、図５に示したフローチャートのＳ１２に相当するサブルーチンであり、チャンネル毎に実行されるものである。
【００７７】
ミキサー装置２０（ミキサー装置側制御手段２１０）は、まず、チャンネル切替スイッチ２１の設定が、入力端子側であるか否かを判別し（Ｓ２１）、入力端子側である場合は（Ｓ２１：Ｙｅｓ）、続いて、トリム調整ツマミ２２の設定（ボリューム値）が、所定のしきい値を超えているか否かを判別する（Ｓ２２）。トリム調整ツマミ２２の設定が所定のしきい値を超えている場合は（Ｓ２２：Ｙｅｓ）、続いて、チャンネルフェーダー２５の設定が、所定のしきい値を超えているか否かを判別する（Ｓ２３）。
【００７８】
チャンネルフェーダー２５の設定が、所定のしきい値を超えている場合は（Ｓ２３：Ｙｅｓ）、続いて、クロスフェーダーアサインスイッチ２６がＡ側またはＢ側を選択しているか否かを判別する（Ｓ２４）。クロスフェーダーアサインスイッチ２６がＡ側またはＢ側を選択している場合は（Ｓ２４：Ｙｅｓ）、クロスフェーダー２７の設定が、（アサインされた側を基準として）所定のしきい値を超えているか否かを判別し（Ｓ２５）、所定のしきい値を超えている場合は（Ｓ２５：Ｙｅｓ）、ＯｎＡｉｒ状態であると判別する（Ｓ２６）。また、クロスフェーダーアサインスイッチ２６が「スルー」を選択している場合は（Ｓ２４：Ｎｏ）、Ｓ２５の判別を省略し、ＯｎＡｉｒ状態であると判別する（Ｓ２６）。
【００７９】
一方、チャンネル切替スイッチ２１の設定が入力端子側でない場合（Ｓ２１：Ｎｏ）、トリム調整ツマミ２２の設定が所定のしきい値以下の場合（Ｓ２２：Ｎｏ）、チャンネルフェーダー２５の設定が所定のしきい値以下の場合（Ｓ２３：Ｎｏ）、クロスフェーダー２７の設定が所定のしきい値以下の場合（Ｓ２５：Ｎｏ）は、ＯｆｆＡｉｒ状態であると判別する（Ｓ２７）。なお、図６に示したフローチャートでは、ＯｎＡｉｒ状態かＯｆｆＡｉｒ状態かの判別のみ行っているが、当該工程により、各チャンネルのボリューム値または音量についても検出しているものとする。各チャンネルのボリューム値または音量は、後述する出力レベル信号の生成に用いられる。
【００８０】
なお、図５および図６に示したフローチャートでは、マスター出力レベル調整ツマミ２８、トリム調整ツマミ２２、チャンネルフェーダー２５およびクロスフェーダー２７など、各操作子の設定（ボリューム値）に基づいて判別を行っているが、各操作子の設定によって可変する音量レベル（後述するスイッチボックス６１の出力，図９（ａ）参照）に基づいて判別を行っても良い。この場合は、各音量レベルが所定のしきい値以上であるか否かによって判別することが好ましい。つまり、「各操作子の音量レベル≧所定のしきい値」を判別することで、無音の楽曲が再生された場合でも、正確にＯｎＡｉｒ状態を判定することができる。これに対し、上記の例のように、各操作子のボリューム値に基づいて判別する場合は、「各操作子のボリューム値≧所定のしきい値」として判別を行うと、所定のしきい値＝Ｍｉｎ（最小値）の場合、ボリューム値をＭｉｎにしてもＯｎＡｉｒ状態と判定されてしまうため、「各操作子のボリューム値＞所定のしきい値」として判別を行うことが好ましい。
【００８１】
次に、図７のフローチャートを参照し、プレーヤー１０のＯｎＡｉｒ信号受信に関するメイン処理について説明する。プレーヤー１０（プレーヤー側制御手段１１０）は、ミキサー装置２０からＯｎＡｉｒ信号を受信（入力）したか否かを判別し（Ｓ３１）、受信していない場合は（Ｓ３１：Ｎｏ）、動作モードをＯｆｆＡｉｒモードに設定する（Ｓ３２）。
【００８２】
また、ミキサー装置２０からＯｎＡｉｒ信号を受信した場合は（Ｓ３１：Ｙｅｓ）、プレーヤー１０が誤操作防止制御を行う状態であるか否かを判別する（Ｓ３３）。上記の通り、ユーザー設定手段１７０では、誤操作防止制御を行うか否かについて設定可能であるが、さらに詳細設定として、プレーヤー１０の状態と、その状態における誤操作防止制御の内容と、を関連付けて設定することが可能となっている。例えば、プレーヤー１０が非再生中の場合は、所定の操作子の機能制限は行わないが、ジョグＬＥＤ１２ｂの表示は有効する、などの設定が可能である。Ｓ３３において、誤操作防止制御を行う状態であると判定された場合は（Ｓ３３：Ｙｅｓ）、動作モードをＯｎＡｉｒモードに設定する（Ｓ３４）。つまり、上記のように、非再生中における誤操作防止制御の内容が設定されている場合、「ジョグＬＥＤ１２ｂの表示を有効する」と設定されているため、ＯｎＡｉｒモードに設定される。一方、誤操作防止制御を行う状態でないと判定された場合は（Ｓ３３：Ｎｏ）、動作モードをＯｆｆＡｉｒモードに設定する（Ｓ３５）。例えば、「非再生中」というプレーヤー１０の状態に対して、全ての誤操作防止制御を行わないと設定されている場合、ＯｆｆＡｉｒモードに設定される。
【００８３】
なお、上記の例では、プレーヤー１０が「非再生中」の場合における誤操作防止制御の内容設定について記載したが、「再生中」の場合や「ＣＵＥ待機中」の場合など、種々のプレーヤー１０の状態について、誤操作防止制御の内容を設定可能である。
【００８４】
次に、図８のフローチャートを参照し、ミキサー装置２０のＯｎＡｉｒ信号送信処理について説明する。当該フローチャートは、図５に示したフローチャートのＳ１４に相当するサブルーチンである。
【００８５】
ミキサー装置２０（ミキサー装置側制御手段２１０）は、図６に示した出力レベル検出処理（図５に示したフローチャートのＳ１２に相当）により検出した出力レベル比（ボリューム値または音量の比）に基づいて、まず、各チャンネルの音量の比を算出する（Ｓ４１）。続いて、各チャンネルの出力レベル比に応じて、各チャンネルの出力レベル信号を生成し（Ｓ４２）、生成した当該出力レベル信号を含むＯｎＡｉｒ信号を、各チャンネルに対応するプレーヤー１０に送信する（Ｓ４３）。
【００８６】
図９は、出力レベル信号の生成に関する説明図である。図９（ａ）は、ミキサー装置２０の簡易回路図である。符号６１は、トリム調整ツマミ２２、チャンネルフェーダー２５およびクロスフェーダー２７の音量制御を行うスイッチボックスを示し、符号６２は、マスター出力レベル調整ツマミ２８に対応する抵抗器である。以下の説明において、「マスター出力手前の音量」とは、スイッチボックス６１から抵抗器６２の間の出力を指し、「マスター出力後の音量」とは、抵抗器６２を通った後の出力を指す。
【００８７】
図９（ｂ）は、出力レベル信号の生成工程を示す図である。例えば、ミキサー装置２０の「チャンネル１」の音量が１５０［ｄＢ］、「チャンネル２」の音量が９０［ｄＢ］、「チャンネル３」の音量が３０［ｄＢ］、「チャンネル４」の音量が０［ｄＢ］であるものとする。この場合の「音量」とは、上記の「マスター出力手前の音量」および「マスター出力後の音量」のいずれであっても良い。
【００８８】
このような条件の場合、最大音量のチャンネルの出力レベルを１００［％］として正規化すると、「チャンネル１」〜「チャンネル４」の出力レベルは、１００［％］、６０［％］、２０［％］、０［％］と算出できる。ミキサー装置２０は、これらの出力レベルに基づき、出力レベル信号を生成する。一方、各プレーヤー１０は、ミキサー装置２０から取得した当該出力レベル信号に基づき、ＯｎＡｉｒ表示輝度レベル（ジョグＬＥＤ１２ｂの輝度）を決定する。つまり、「プレーヤー１」〜「プレーヤー４」のＯｎＡｉｒ表示輝度レベルは、１００［％］、６０［％］、２０［％］、０［％］となる。
【００８９】
図９（ｃ）は、上記の出力レベル信号を取得した場合の、各プレーヤー１０のジョグＬＥＤ１２ｂの輝度を示す図である。同図に示すように、各チャンネルの出力レベルに応じた輝度で、各プレーヤー１０のジョグＬＥＤ１２ｂが発光する。
【００９０】
このように、各プレーヤー１０は、ＯｎＡｉｒモード時において、各チャンネルの出力レベルに応じた輝度で、ジョグＬＥＤ１２ｂを発光させるため、ユーザーは、わざわざミキサー装置２０のフェーダー状態を確認しなくとも、プレーヤー１０側で出力レベルを判断することができる。
【００９１】
なお、上記の例では、各チャンネルの出力レベルに応じて、プレーヤー１０のジョグＬＥＤ１２ｂを発光させるものとしたが、ＯｎＡｉｒ状態であるか否かに応じて、ジョグＬＥＤ１２ｂを発光させるようにしても良い。すなわち、プレーヤー１０がＯｎＡｉｒモードの場合はジョグＬＥＤ１２ｂを点灯し、ＯｆｆＡｉｒモードの場合はジョグＬＥＤ１２ｂを消灯する、といった簡単な構成でも良い。また、出力レベルに応じて発光する表示手段と、モード状態に応じて発光する表示手段と、をプレーヤー１０に個別に備えても良い。
【００９２】
また、出力レベルに応じてジョグＬＥＤ１２ｂを発光するか、モード状態に応じてジョグＬＥＤ１２ｂを発光するか、ジョグＬＥＤ１２ｂを点滅させるか点灯させるか、点滅させる場合は点滅速度（１拍あたりの点滅回数）をどうするか、点滅はＢＰＭに連動させるか、などについて、ユーザー設定手段１７０により設定可能としても良い。
【００９３】
次に、図１０のフローチャートを参照し、プレーヤー１０の操作子機能制限処理について説明する。なお、ここでは、ユーザー設定手段１７０により、プレーヤー１０が非再生中の場合、所定の操作子の機能制限は行わない（全ての操作子の入力を有効にする）が、他の誤操作防止制御を実行する（ジョグＬＥＤ１２ｂの表示を有効する、など）と設定されているものとする。プレーヤー１０（プレーヤー側制御手段１１０）は、ＯｎＡｉｒモードであるか否かを判別し（Ｓ５１）、ＯｎＡｉｒモードでない場合は（Ｓ５１：Ｎｏ）、搭載されている全ての操作子の入力（機能）を有効にして（Ｓ５２）、Ｓ５１に戻る。
【００９４】
一方、ＯｎＡｉｒモードの場合は（Ｓ５１：Ｙｅｓ）、再生中であるか否かを判別し（Ｓ５３）、再生中でない場合は（Ｓ５３：Ｎｏ）、全ての操作子の入力を有効にして（Ｓ５２）、Ｓ５１に戻る。また、再生中の場合は（Ｓ５３：Ｙｅｓ）、所定の操作子（イジェクトボタン１３ａ，１４ａ，１５ａ、トラックサーチボタン１８ａ、プレイ／ポーズボタン１８ｄおよびテンポリセットボタン１８ｅなど、操作によって再生に支障をきたす恐れのある操作子）の入力を無効にする（Ｓ５４）。
【００９５】
Ｓ５４の後、再生終了したか否かを判別し（Ｓ５５）、再生終了した場合は（Ｓ５５：Ｙｅｓ）、全ての操作子の入力を有効にして（Ｓ５６）、処理を終了する。また、再生終了していない場合は（Ｓ５５：Ｎｏ）、Ｓ５１に戻る。このように、操作子機能制限処理によれば、ＯｎＡｉｒモード時におけるユーザーの誤操作を防止することができる。
【００９６】
なお、上記のフローチャートには特に記載していないが、所定の操作子の入力を無効にした場合、情報表示手段１６０により、所定の操作子の機能を制限している場合、その理由（ＯｎＡｉｒモード中であること、誤操作防止を目的としていることなど）および制限解除の判断をユーザーに促す内容（「所定の操作子の入力を有効にしますか？」などのメッセージ）を表示する。
【００９７】
また、上記の例では、所定の操作子の入力を有効／無効にするものとしたが、１の操作子に複数の機能が割り当てられている場合、その機能のみを対象として、有効／無効を切り替え可能である。また、操作子機能制限処理において有効／無効の切り替え対象となる「所定の操作子」、または「所定の操作子の機能」を、ユーザー設定手段１７０により設定可能としても良い。
【００９８】
また、上記の例では、所定の操作子の入力を無効にした場合に、情報表示手段１６０による表示を行うものとしたが、所定の操作子の入力を無効にする前に、所定の操作子の入力を無効にする旨などを表示するようにしても良い。つまり、所定の操作子の機能を制限する状態にある場合（ＯｎＡｉｒモード時）において、常にその旨を表示するようにしても良い。
【００９９】
なお、情報表示手段１６０により、これらの表示を行うか否か、表示タイミング（所定の操作子の機能を制限する前と制限した時とのいずれのタイミングで表示させるか）、表示内容、などについて、ユーザー設定手段１７０により設定可能としても良い。
【０１００】
次に、図１１のフローチャートを参照し、プレーヤー１０の繰り返し再生処理（１）について説明する。ここでは、再生中に、再生信号の再生が中断されるような所定の操作（本例では、デバイスＤのイジェクト操作）が行われたことをトリガとして繰り返し再生を行う場合について説明する。
【０１０１】
プレーヤー１０（プレーヤー側制御手段１１０）は、デバイスＤから楽曲を再生している状態において（Ｓ６１）、再生中のデバイスＤのイジェクト操作が行われた場合（Ｓ６２）、ＯｎＡｉｒモードであるか否かを判別する（Ｓ６３）。ＯｎＡｉｒモードでない場合は（Ｓ６３：Ｎｏ）、イジェクト操作後、即再生停止して（Ｓ６４）、処理を終了する。
【０１０２】
一方、ＯｎＡｉｒモードの場合は（Ｓ６３：Ｙｅｓ）、内部メモリバッファＢに格納されている分のうち、所定のタイミングから、例えば４拍分を繰り返し再生し（Ｓ６５）、ＯｎＡｉｒモードが終了したか否かを判別する（Ｓ６６）。ＯｎＡｉｒモードが終了していない場合は（Ｓ６６：Ｎｏ）、Ｓ６５に戻る。また、ＯｎＡｉｒモードが終了した場合は（Ｓ６６：Ｙｅｓ）、内部メモリバッファＢにバッファ残量があるか否かを判別し（Ｓ６７）、バッファ残量がある場合は（Ｓ６７：Ｙｅｓ）、Ｓ６６に戻る。また、バッファ残量がない場合は（Ｓ６７：Ｎｏ）、再生を停止し（Ｓ６８）、処理を終了する。
【０１０３】
図１２は、繰り返し再生に関する説明図である。図１２（ａ）は、ＯｆｆＡｉｒモード時における再生方法を示す図である。この場合、再生中に内部メモリバッファＢに所定量のデータをバッファリングしておくが、デバイスＤが排出されると、即座に再生停止する。
【０１０４】
一方、図１２（ｂ）は、ＯｎＡｉｒモード時における再生方法を示す図である。この場合も、再生中に内部メモリバッファＢに所定量のデータをバッファリングしておき、デバイスＤの排出後、バッファリングされていたデータが減っていくが、デバイス排出後の所定のタイミングからの４拍分を保持しておき、それを繰り返し再生する。
【０１０５】
このように、繰り返し再生処理（１）によれば、ユーザーが誤ってデバイスＤのイジェクト操作を行った場合でも、楽曲の中断を防止することができる。
【０１０６】
また、当該繰り返し再生処理（１）を意図的に利用することで、ＤＪが交代する際、自分用のデバイスＤを即座に持ち帰ることができるといった利点もある。例えば、繰り返し再生処理（１）の機能を有しない従来のプレーヤー１０を利用した場合、ＤＪ（Ａ）は自分の演奏が終わった後、最後の楽曲をＯｎＡｉｒした状態のまま、次のＤＪ（Ｂ）と交代することになる。このため、ＤＪ（Ｂ）は、自分用のデバイスＤを用いてつなぎ演奏を開始した後、ＤＪ（Ａ）のデバイスＤを排出して所定の場所に仮置きしておく必要がある。また、ＤＪ（Ａ）も、自分の演奏終了後、しばらくたってから仮置きされているデバイスＤを取りに行かなければならない。これに対し、上記の繰り返し再生処理（１）の機能を有するプレーヤー１０を利用すれば、ＤＪ（Ａ）は自分の演奏が終わった後、すぐにデバイスＤを排出して持ち帰ることが可能となる。つまり、ＤＪ（Ａ），（Ｂ）両者の上記のような手間を無くすことができる。
【０１０７】
なお、「デバイス排出後の所定のタイミング」とは、デバイスＤの排出後、拍の先頭を最初（または２回目、３回目）に検出した時点でも良いし、内部メモリバッファＢにバッファリングされているデータのうち、最後の４拍分の先頭タイミングでも良い。
【０１０８】
また、上記の例では、再生信号の再生が中断されるような「所定の操作」として、デバイスＤのイジェクト操作を挙げたが、イジェクトボタン１３ａ，１４ａ，１５ａの押下、トラックサーチボタン１８ａの押下、プレイ／ポーズボタン１８ｄの押下およびテンポリセットボタン１８ｅの押下など、他の操作であっても良い。
【０１０９】
また、所定の操作をトリガとした繰り返し再生を行うか否か、所定の操作の内容、所定のタイミング、繰り返し再生期間（４拍分、８拍分など）、などについて、ユーザー設定手段１７０により設定可能としても良い。
【０１１０】
また、上記の例では、内部メモリバッファＢにバッファリングしておくデータ量は、ＯｆｆＡｉｒモード時とＯｎＡｉｒモード時とで、同一であるものとしたが（図１２（ａ），（ｂ）参照）、ＯｆｆＡｉｒモード時よりもＯｎＡｉｒモード時におけるバッファ量を多くするようにしても良い。この構成によれば、ＯｎＡｉｒモード時は、誤操作によって繰り返し再生を行う可能性があるため、それに備えてバッファ量を多くしておくことで、誤操作が行われた場合に、１拍分のデータ量が多い楽曲であっても違和感の無い長さ（例えば、４拍分以上）で繰り返し再生を行うことができる。なお、ＯｎＡｉｒモード時におけるバッファ量やＯｆｆＡｉｒモード時におけるバッファ量について、ユーザー設定手段１７０により設定可能としても良い。
【０１１１】
また、図１１に示したフローチャートでは、繰り返し再生中に、ＯｆｆＡｉｒモードとなり、再度ＯｎＡｉｒモードに戻る場合についても考慮しているが、その点を考慮しないフローチャートとしても良い。図１３は、プレーヤー１０の繰り返し再生処理（１）の基本形を示すフローチャートである。図１３におけるＳ７１ないしＳ７６は、図１１におけるＳ６１ないしＳ６６に相当する。図１１のフローチャートとの相違点は、Ｓ７６の後、即再生停止（Ｓ７７）となる点である。この構成によれば、図１１に示した例よりも処理工程を簡素化することができる。
【０１１２】
次に、図１４のフローチャートを参照し、プレーヤー１０の繰り返し再生処理（２）について説明する。ここでは、再生中の再生信号が終了間際となったことをトリガとして繰り返し再生を行う場合について説明する。
【０１１３】
プレーヤー１０（プレーヤー側制御手段１１０）は、デバイスＤから楽曲を再生している状態において（Ｓ８１）、残り再生時間が所定時間以内となったか否かを判別し（Ｓ８２）、所定時間以内となっていない場合は（Ｓ８２：Ｎｏ）、Ｓ８２の判別を繰り返す。一方、残り再生時間が所定時間以内となった場合は（Ｓ７２：Ｙｅｓ）、ＯｎＡｉｒモードであるか否かを判別し（Ｓ８３）、ＯｎＡｉｒモードでない場合は（Ｓ８３：Ｎｏ）、再生を継続する（Ｓ８４）。
【０１１４】
一方、ＯｎＡｉｒモードの場合は（Ｓ８３：Ｙｅｓ）、残り再生時間内で所定期間分を繰り返し再生し（Ｓ８５）、ＯｎＡｉｒモードが終了したか否かを判別する（Ｓ８６）。ＯｎＡｉｒモードが終了していない場合は（Ｓ８６：Ｎｏ）、Ｓ８５に戻る。また、ＯｎＡｉｒモードが終了した場合は（Ｓ８６：Ｙｅｓ）、再生終了したか否かを判別し（Ｓ８７）、再生終了していない場合は（Ｓ８７：Ｎｏ）、Ｓ８３に戻る。また、再生終了した場合は（Ｓ８７：Ｙｅｓ）、再生を停止し（Ｓ８８）、処理を終了する。
【０１１５】
このように、繰り返し再生処理（２）によれば、何らかの原因で次曲のロードが間に合わなかった場合でも、繰り返し再生により楽曲の中断を阻止することができる。なお、終了間際であるか否かを判別するための「所定時間」、繰り返し再生する「所定期間」（繰り返し再生期間）、などについて、ユーザー設定手段１７０により設定可能としても良い。
【０１１６】
なお、図１４に示したフローチャートでは、繰り返し再生中に、ＯｆｆＡｉｒモードとなり、再度ＯｎＡｉｒモードに戻る場合についても考慮しているが、その点を考慮しないフローチャートとしても良い。図１５は、プレーヤー１０の繰り返し再生処理（２）の基本形を示すフローチャートである。図１５におけるＳ９１ないしＳ９８は、図１４におけるＳ８１ないしＳ８８に相当する。図１４のフローチャートとの相違点は、Ｓ９６：Ｙｅｓと判定された場合、即再生停止（Ｓ９８）となる点である。この構成によれば、図１４に示した例よりも処理工程を簡素化することができる。
【０１１７】
なお、上記の図１１、図１３、図１４および図１５のフローチャートには特に記載していないが、繰り返し再生処理（１），（２）を行っている間、情報表示手段１６０により、その旨（繰り返し再生中であること）およびその理由（ＯｎＡｉｒモード中であること、楽曲の中断防止を目的としていることなど）を表示する。但し、上記の所定の操作子の機能制限を表示する場合と同様に、繰り返し再生処理（１），（２）を行っている間ではなく、繰り返し再生処理を実行可能な状態にある場合（ＯｎＡｉｒモード時）において、常にその旨を表示するようにしても良い。
【０１１８】
以上説明したとおり、本発明の第１実施形態によれば、ＯｎＡｉｒ状態であることを示すＯｎＡｉｒ信号を、ミキサー装置２０から、再生信号の入力源となるプレーヤー１０に対して出力するため、ユーザーは、プレーヤー１０側で、そのプレーヤー１０の再生信号がＯｎＡｉｒ状態であることを判断することができる。また、ＯｎＡｉｒ信号には、出力レベル信号が含まれおり、プレーヤー１０は、当該出力レベル信号に基づいて、ジョグＬＥＤ１２ｂの輝度を変化させるため、当該ジョグＬＥＤ１２ｂの表示輝度により、プレーヤー１０側で再生中の再生信号の出力レベルについても判断することができる。また、ジョグＬＥＤ１２ｂは、再生中の再生信号のＢＰＭに同期して点滅表示されるため、ユーザーに対し、再生信号のＢＰＭが点滅タイミングとずれることによる違和感を与えることがない。
【０１１９】
また、プレーヤー１０は、ＯｎＡｉｒモード時において、所定の操作子の機能を制限するため、ユーザーの誤操作を確実に防止することができる。また、所定の操作子の機能を制限している旨を表示部１１に表示することで、ユーザーが故障などと勘違いすることがない。
【０１２０】
また、ＯｎＡｉｒモード時に、再生信号の再生が中断されるような誤操作が行われた場合や、何らかの原因で次曲のロードが間に合わず、再生中の再生信号が終了間際となった場合でも、繰り返し再生処理（１），（２）により中断を阻止することができる。これにより、本発明の再生システムＳＹがＤＪ機器として用いられた場合などにおいて、楽曲の中断により場の雰囲気を大きく損ねてしまうといった致命的なミスを防止することができる。
【０１２１】
また、ＯｎＡｉｒ情報入力手段１４０は、プレーヤー１０の状態に応じて、誤操作防止制御の制御内容を制限するため、プレーヤー１０の状態に応じて、操作防止制御に含まれる機能（出力レベルの表示、所定の操作子の機能制限、繰り返し再生処理（１），（２）など）のうち、必要でない機能を制限することが可能となる。
【０１２２】
また、ユーザー設定手段１７０により、ＯｎＡｉｒ信号に基づく誤操作防止制御を行うか否か、並びに誤操作防止制御の詳細について、設定可能であるため、ユーザーの使い勝手を向上させることができる。また、プレーヤー１０は、ＯｎＡｉｒ信号が入力されていない場合は、誤操作防止制御を行わないため、不必要な表示が行われたり、不必要に機能が制限されたりすることを防止することができる。
【０１２３】
なお、上記の実施形態では、「再生信号」として音声信号を例示したが、映像信号であっても良い。この場合、出力装置３０は、ディスプレイなどの表示装置となる。
【０１２４】
また、上記の実施形態では、ＯｎＡｉｒ表示手段１５０により、ジョグＬＥＤ１２ｂの輝度を、出力レベル信号に基づいて変化させるものとしたが、表示色や点滅速度など輝度以外の表示形態を変化させても良い。また、ＯｎＡｉｒ表示手段１５０が液晶ディスプレイなどで構成される場合は、表示内容を変化させても良い（対応するチャンネルの出力レベルを、文字（数字）や画像（グラフ）によって表示するなど）。また、出力レベル信号に基づいて変化させる表示形態について、ユーザー設定手段１７０により設定可能としても良い。
【０１２５】
［第２実施形態］
次に、図１６を参照し、本発明の第２実施形態について説明する。上記の第１実施形態では、図８および図９に示した通り、各チャンネルの音量の比に応じて出力レベル信号を生成するものとしたが、本実施形態は、各チャンネルのマスター出力手前の音量に応じて出力レベル信号を生成する点で異なる。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【０１２６】
図１６（ａ）は、本実施形態に係る各チャンネルの出力レベルの計算式を示す図である。同図に示すように、各チャンネルの出力レベル［％］は、各チャンネルのマスター出力手前の音量（図９（ａ）参照）を、マスター出力手前の最大音量で除して、１００を乗算することで得られる。なお、本実施形態では、少なくともマスター出力レベル＞Ｍｉｎであることが前提である。
【０１２７】
図１６（ｂ）は、第２実施形態に係る出力レベル信号の生成工程を示す図である。例えば、ミキサー装置２０の「チャンネル１」〜「チャンネル４」の音量が１５０［ｄＢ］、９０［ｄＢ］、３０［ｄＢ］、０［ｄＢ］の場合であって、マスター出力手前の最大音量が３００［ｄＢ］であった場合、「チャンネル１」〜「チャンネル４」の出力レベルは、５０［％］、３０［％］、１０［％］、０［％］と算出できる。ミキサー装置２０は、これらの出力レベルに基づき、出力レベル信号を生成する。一方、各プレーヤー１０は、ミキサー装置２０から取得した当該出力レベル信号に基づき、ＯｎＡｉｒ表示輝度レベル（ジョグＬＥＤ１２ｂの輝度）を決定する。つまり、「プレーヤー１」〜「プレーヤー４」のＯｎＡｉｒ表示輝度レベルは、５０［％］、３０［％］、１０［％］、０［％］となる。
【０１２８】
図１６（ｃ）は、上記の出力レベル信号を取得した場合の、各プレーヤー１０のジョグＬＥＤ１２ｂの輝度を示す図である。同図に示すように、各チャンネルの出力レベルに応じた輝度で、各プレーヤー１０のジョグＬＥＤ１２ｂが発光する。
【０１２９】
以上説明したとおり、本発明の第２実施形態によれば、各チャンネルのマスター出力手前の音量に応じて出力レベル信号を生成するため、第１実施形態のように、各チャンネルの音量の比に応じて出力レベル信号を生成する場合と比較して、比較演算処理が不要となり、出力レベル信号を生成するための制御負荷を軽減できる。また、これにより、ミキサー装置２０のフェーダー操作が、ジョグＬＥＤ１２ｂの輝度に反映されるまでのレーテンシーが短くなるため、ユーザーの操作性も向上する。
【０１３０】
［第３実施形態］
次に、図１７を参照し、本発明の第３実施形態について説明する。上記の第２実施形態では、各チャンネルのマスター出力手前の音量に応じて出力レベル信号を生成するものとしたが、本実施形態は、各チャンネルのマスター出力後の音量に応じて出力レベル信号を生成する点で異なる。なお、本実施形態においても、第１実施形態と同様の構成部分については同様の符号を付し、詳細な説明を省略する。また、第１実施形態と同様の構成部分について適用される変形例は、本実施形態についても同様に適用される。
【０１３１】
図１７（ａ）は、本実施形態に係る各チャンネルの出力レベルの計算式を示す図である。同図に示すように、各チャンネルの出力レベル［％］は、各チャンネルのマスター出力後の音量（図９（ａ）参照）を、マスター出力後の最大音量で除して、１００を乗算することで得られる。
【０１３２】
図１７（ｂ）は、第３実施形態に係る出力レベル信号の生成工程を示す図である。例えば、ミキサー装置２０の「チャンネル１」〜「チャンネル４」の音量が１５０［ｄＢ］、９０［ｄＢ］、３０［ｄＢ］、０［ｄＢ］の場合であって、マスター出力後の最大音量が６００［ｄＢ］であった場合、「チャンネル１」〜「チャンネル４」の出力レベルは、２５［％］、１５［％］、５［％］、０［％］と算出できる。ミキサー装置２０は、これらの出力レベルに基づき、出力レベル信号を生成する。一方、各プレーヤー１０は、ミキサー装置２０から取得した当該出力レベル信号に基づき、ＯｎＡｉｒ表示輝度レベル（ジョグＬＥＤ１２ｂの輝度）を決定する。つまり、「プレーヤー１」〜「プレーヤー４」のＯｎＡｉｒ表示輝度レベルは、２５［％］、１５［％］、５［％］、０［％］となる。
【０１３３】
図１７（ｃ）は、上記の出力レベル信号を取得した場合の、各プレーヤー１０のジョグＬＥＤ１２ｂの輝度を示す図である。同図に示すように、第２実施形態と比較して、各プレーヤー１０のジョグＬＥＤ１２ｂの輝度が全体的に低くなり、暗めの表示となる。
【０１３４】
以上説明したとおり、本発明の第３実施形態によれば、各チャンネルのマスター出力後の音量に応じて出力レベル信号を生成するため、第２実施形態と比較して、ミキサー装置２０の出力レベルを正確に表現することができる。
【０１３５】
なお、上記第１実施形態〜第３実施形態にて、３つの出力レベル信号の生成方法を示したが、これらのうち、いずれの方法を用いて出力レベル信号を生成するかについて、ユーザー設定手段１７０により設定可能としても良い。また、３つの出力レベル信号の生成方法にて算出された出力レベルの値を２つ以上組み合わせて新たなパラメータを生成し、当該パラメータに基づいて、出力レベル信号を生成するようにしても良い。
【０１３６】
また、上記の各実施形態に示したプレーヤー１０やミキサー装置２０の各構成要素をプログラムとして提供することも可能である。また、そのプログラムを各種記録媒体（ＣＤ−ＲＯＭ、フラッシュメモリ等）に格納して提供することも可能である。すなわち、コンピューターをプレーヤー１０やミキサー装置２０の各構成要素として機能させるためのプログラム、およびそれを記録した記録媒体も、本発明の権利範囲に含まれるものである。
【０１３７】
また、上記の実施形態に示したプレーヤー１０やミキサー装置２０を、ＤＪ機器以外の電子楽器やコンピューターに適用するなど、本発明の要旨を逸脱しない範囲で、適宜変更も可能である。
【符号の説明】
【０１３８】
１０…プレーヤー  １１…表示部  １２…ジョグダイヤル  １２ｂ…ジョグＬＥＤ  １３…ＣＤ挿入口  １３ａ…ＣＤ用イジェクトボタン  １４…ＵＳＢメモリスロット  １４ａ…ＵＳＢメモリ用イジェクトボタン  １５…ＳＤメモリカードスロット  １５ａ…ＳＤメモリカード用イジェクトボタン  ２０…ミキサー装置  ２１…チャンネル切替スイッチ  ２２…トリム調整ツマミ  ２５…チャンネルフェーダー  ２６…クロスフェーダーアサインスイッチ  ２７…クロスフェーダー  ２８…マスター出力レベル調整ツマミ  ３０…出力装置  ３１…アンプ  ３２…スピーカー  Ｂ…内部メモリバッファ  Ｄ…デバイス  ＳＹ…再生システム
【図１】
2010122608.tif 000003
【図２】
2010122608.tif 000004
【図３】
2010122608.tif 000005
【図４】
2010122608.tif 000006
【図５】
2010122608.tif 000007
【図６】
2010122608.tif 000008
【図７】
2010122608.tif 000009
【図８】
2010122608.tif 000010
【図９】
2010122608.tif 000011
【図１０】
2010122608.tif 000012
【図１１】
2010122608.tif 000013
【図１２】
2010122608.tif 000014
【図１３】
2010122608.tif 000015
【図１４】
2010122608.tif 000016
【図１５】
2010122608.tif 000017
【図１６】
2010122608.tif 000018
【図１７】
2010122608.tif 000019
【手続補正書】
【提出日】平成23年1月12日(2011.1.12)
【手続補正１】
【補正対象書類名】明細書
【補正対象項目名】全文
【補正方法】変更
【補正の内容】
【発明の詳細な説明】
【技術分野】
【０００１】
１以上のプレーヤーと接続され、当該プレーヤーにより再生された再生信号を出力装置に対して出力する制御装置、プレーヤー、再生システム、制御装置の制御方法、プレーヤーの制御方法およびプログラムに関するものである。
【背景技術】
【０００２】
ミキサー装置は、一般的に、複数のプレーヤーと接続され、各プレーヤーにより再生された再生信号（例えば、音声信号）を混合して、アンプおよびスピーカー等の出力装置に出力する。この種のミキサー装置やプレーヤーは、クラブ等においてＤＪ機器（ディスクジョッキー（ＤＪ）が音響パフォーマンスに用いる機器）として用いられることが多い（例えば、特許文献１参照）。このため、あるプレーヤーの再生中に、非再生中の別のプレーヤーで曲の入れ替えを行うといった操作が頻繁に行われる。
【先行技術文献】
【特許文献】
【０００３】
【特許文献１】特開２００２−３２９３８７号公報
【発明の概要】
【発明が解決しようとする課題】
【０００４】
ところで、上記のように、プレーヤーの再生信号を、ミキサー装置を介して出力する形態の場合、ユーザー（操作者）は、その再生信号がＯｎＡｉｒ状態であるか否か（ミキサー装置から出力装置に対して出力されているか否か）について、ミキサー装置のフェーダー等の操作子の状態で判断する。つまり、プレーヤー側では、そこから出力された再生信号が実際に再生されているか否かを識別することができない。このため、ＯｎＡｉｒ状態であるにも拘わらず、プレーヤー側で、再生中断、次曲のロード、デバイスのイジェクト操作などの誤操作が行われる可能性があった。このような誤操作が行われると、楽曲が中断され、演奏に支障をきたしてしまう。特に、クラブ等でＤＪ機器として用いられる場合は、場の雰囲気を大きく損ねることになり、致命的な問題である。
【課題を解決するための手段】
【０００５】
本発明は、上記の問題点に鑑み、プレーヤーで再生中の再生信号がＯｎＡｉｒ状態であるか否かをプレーヤー側で識別することができ、ひいてはユーザーによるプレーヤーの誤操作を防止することができる制御装置、プレーヤー、再生システム、制御装置の制御方法、プレーヤーの制御方法およびプログラムを提供することを目的とする。
【発明の効果】
【０００６】
本発明の制御装置は、１以上の入力源と接続され、当該入力源から入力された再生信号を出力装置に対して出力させる制御装置であって、１以上の入力源のうち少なくとも１つの入力源から、再生信号を入力させる入力手段と、入力手段により入力された再生信号を、出力装置に対して出力させる出力手段と、出力手段により再生信号が出力装置に出力されていることを示すＯｎＡｉｒ情報を、当該再生信号の入力源に対して出力するＯｎＡｉｒ情報出力手段と、を備えたことを特徴とする。
上記に記載の制御装置において、ＯｎＡｉｒ情報出力手段は、ＯｎＡｉｒ情報の一部として、再生信号の出力レベルに関する出力レベル情報を、当該再生信号の入力源に対して出力することを特徴とする。
上記に記載の制御装置において、出力レベル情報は、出力装置に対して出力される１以上の再生信号の出力レベル比、マスター出力レベル調整前の各再生信号の出力レベル、マスター出力レベル調整後の各再生信号の出力レベルのうち、少なくとも一つに基づいて生成された情報であることを特徴とする。
本発明のプレーヤーは、出力装置と接続された制御装置に対し、再生信号を出力するプレーヤーであって、再生信号を、制御装置に応じて出力する出力手段と、出力手段により出力された再生信号が出力装置に対して出力されていることを示すＯｎＡｉｒ情報を、制御装置から入力するＯｎＡｉｒ情報入力手段と、ＯｎＡｉｒ情報が入力された場合、誤操作を防止するための所定の制御を行う制御手段と、を備えたことを特徴とする。
上記に記載のプレーヤーにおいて、制御手段は、所定の制御として、ＯｎＡｉｒ情報の入力の有無に基づいて表示形態が変化するＯｎＡｉｒ表示手段の表示制御を行うことを特徴とする。
上記に記載のプレーヤーにおいて、ＯｎＡｉｒ情報は、出力装置に対して出力されている再生信号の出力レベルに関する出力レベル情報を含み、制御手段は、出力レベル情報に基づいて、ＯｎＡｉｒ表示手段の表示形態を変化させることを特徴とする。
上記に記載のプレーヤーにおいて、制御手段は、ＯｎＡｉｒ情報が入力されている状態で再生中の再生信号の残り再生時間が所定時間以内になった場合、ＯｎＡｉｒ表示手段の表示形態を変化させることを特徴とする。
上記に記載のプレーヤーにおいて、制御手段は、表示形態として、ＯｎＡｉｒ表示手段の表示色、輝度、表示内容、点滅速度のうち、少なくとも一つを変化させることを特徴とする。
上記に記載のプレーヤーにおいて、再生信号は音声信号を含み、制御手段は、再生中の再生信号のＢＰＭに同期して、ＯｎＡｉｒ表示手段を点滅させることを特徴とする。
上記に記載のプレーヤーにおいて、制御手段は、所定の制御として、所定の機能を制限することを特徴とする。
上記に記載のプレーヤーにおいて、制御手段は、所定の機能を制限する、または制限している場合、その理由および制限解除の判断をユーザーに促す内容の少なくとも一方を、文字または画像を表示可能な情報表示手段に表示させることを特徴とする。
上記に記載のプレーヤーにおいて、制御手段は、所定の制御として、ＯｎＡｉｒ情報が入力されている状態で所定の操作が行われた場合、再生中の再生信号の少なくとも一部を繰り返し再生することを特徴とする。
上記に記載のプレーヤーにおいて、制御手段は、ＯｎＡｉｒ情報が入力された場合、当該ＯｎＡｉｒ情報が入力されていない場合と比較して、再生信号のバッファ量を多くし、所定の操作が行われた場合、バッファリングしておいた再生信号の少なくとも一部を繰り返し再生することを特徴とする。
上記に記載のプレーヤーにおいて、制御手段は、所定の制御として、ＯｎＡｉｒ情報が入力されている状態で再生中の再生信号の残り再生時間が所定時間以内になった場合、再生中の再生信号の少なくとも一部を繰り返し再生することを特徴とする。
上記に記載のプレーヤーにおいて、制御手段は、繰り返し再生を行う、または行っている場合、その旨およびその理由の少なくとも一方を、文字または画像を表示可能な情報表示手段に表示させることを特徴とする。
上記に記載のプレーヤーにおいて、ＯｎＡｉｒ情報入力手段は、プレーヤーの状態に応じて、所定の制御の制御内容を制限することを特徴とする。
上記に記載のプレーヤーにおいて、ＯｎＡｉｒ情報に基づいて所定の制御を行うか否かを設定するユーザー設定手段をさらに備えたことを特徴とする。
上記に記載のプレーヤーにおいて、制御手段は、ＯｎＡｉｒ情報が入力されていない場合、所定の制御を行わないことを特徴とする。
本発明の再生システムは、１以上の入力源と、当該入力源から入力された再生信号を出力装置に対して出力させる制御装置と、を有する再生システムであって、制御装置は、１以上の入力源のうち少なくとも１つの入力源から、再生信号を入力させる入力手段と、入力手段により入力された再生信号を、出力装置に対して出力させる出力手段と、出力手段により再生信号が出力装置に出力されていることを示すＯｎＡｉｒ情報を、当該再生信号の入力源に対して出力するＯｎＡｉｒ情報出力手段と、を備え、入力源は、再生信号を、制御装置に応じて出力する出力手段と、ＯｎＡｉｒ情報を、制御装置から入力するＯｎＡｉｒ情報入力手段と、ＯｎＡｉｒ情報が入力された場合、誤操作を防止するための所定の制御を行う制御手段と、を備えたことを特徴とする。
本発明の制御装置の制御方法は、１以上の入力源と接続され、当該入力源から入力された再生信号を出力装置に対して出力させる制御装置の制御方法であって、制御装置が、１以上の入力源のうち少なくとも１つの入力源から、再生信号を入力するステップと、入力された再生信号を、出力装置に対して出力させるステップと、再生信号が出力装置に出力されていることを示すＯｎＡｉｒ情報を、当該再生信号の入力源に対して出力するステップと、を実行することを特徴とする。
本発明のプレーヤーの制御方法は、出力装置と接続された制御装置に対し、再生信号を出力するプレーヤーの制御方法であって、プレーヤーが、再生信号を、制御装置に応じて出力するステップと、プレーヤーが出力した再生信号が出力装置に対して出力されていることを示すＯｎＡｉｒ情報を、制御装置から入力するステップと、ＯｎＡｉｒ情報が入力された場合、誤操作を防止するための所定の制御を行うステップと、を実行することを特徴とする。
本発明のプログラムは、コンピューターに、上記に記載の制御装置の制御方法における各ステップ、および上記に記載のプレーヤーの制御方法における各ステップの少なくとも一方を実行させることを特徴とする。
なお、以下の構成としても良い。
本発明のミキサー装置は、１以上のプレーヤーと接続され、当該プレーヤーにより再生された再生信号を出力装置に対して出力するミキサー装置であって、１以上のプレーヤーのうち少なくとも１つのプレーヤーから、再生信号を入力する再生信号入力手段と、再生信号入力手段により入力された再生信号を、出力装置に対して出力する再生信号出力手段と、再生信号出力手段により再生信号を出力装置に対して出力していることを示すＯｎＡｉｒ情報を、当該再生信号の入力源となるプレーヤーに対して出力するＯｎＡｉｒ情報出力手段と、を備えたことを特徴とする。
【０００７】
本発明のプレーヤーは、出力装置と接続されたミキサー装置に対し、再生信号を出力するプレーヤーであって、再生信号を、ミキサー装置に対して出力する再生信号出力手段と、再生信号出力手段により出力した再生信号がミキサー装置により出力装置に対して出力されていることを示すＯｎＡｉｒ情報を、ミキサー装置から入力するＯｎＡｉｒ情報入力手段と、ＯｎＡｉｒ情報入力手段により入力されたＯｎＡｉｒ情報に基づいて、誤操作を防止するための所定の制御を行う制御手段と、を備えたことを特徴とする。
【０００８】
これらの構成によれば、ミキサー装置が、プレーヤーから入力された再生信号を出力装置に対して出力していること（ＯｎＡｉｒ状態であること）を示すＯｎＡｉｒ情報を、当該再生信号の入力源となるプレーヤーに対して出力するため、プレーヤーで再生中の再生信号がＯｎＡｉｒ状態であるか否かをプレーヤー側で識別することができる。また、プレーヤーが、入力されたＯｎＡｉｒ情報に基づいて所定の制御を行うことで、ユーザーの誤操作を防止することができる。
なお、「再生信号」は、音声信号および映像信号のいずれであっても良い。
また、「再生中」とは、プレーヤー側で再生が行われていること（プレーヤーからミキサー装置に対して再生信号が出力されていること）を意味するものであり、ミキサー装置により出力装置に対して再生信号が出力されていることを示す「ＯｎＡｉｒ状態」とは異なる。
また、「ＯｎＡｉｒ情報」は、出力レベルが所定の出力レベル以上または所定の出力レベルを超えて外部出力されていることを示すものであっても良い。この場合、所定の出力レベルは、Ｍｉｎ（最小値）であっても良い。
【０００９】
上記に記載のミキサー装置において、ＯｎＡｉｒ情報出力手段は、ＯｎＡｉｒ情報の一部として、再生信号の出力レベルに関する出力レベル情報を、当該再生信号の入力源となるプレーヤーに対して出力することを特徴とする。
【００１０】
上記に記載のプレーヤーにおいて、制御手段は、所定の制御として、ＯｎＡｉｒ情報の入力の有無に基づいて表示形態が変化するＯｎＡｉｒ表示手段の表示制御を行うことを特徴とする。
【００１１】
上記に記載のプレーヤーにおいて、ＯｎＡｉｒ情報は、ミキサー装置により出力装置に対して出力されている再生信号の出力レベルに関する出力レベル情報を含み、制御手段は、出力レベル情報に基づいて、ＯｎＡｉｒ表示手段の表示形態を変化させることを特徴とする。
【００１２】
これらの構成によれば、ミキサー装置により出力装置に対して再生信号が出力されているか否か、および再生信号の出力レベルを、プレーヤー側で識別することができる。また、ＯｎＡｉｒ表示手段の表示により、ユーザーも、プレーヤー側で再生中の再生信号の出力の有無や出力レベルを判断することができ、操作性の向上が期待できる。
【００１３】
上記に記載のミキサー装置において、出力レベル情報は、出力装置に対して出力される１以上の再生信号の出力レベル比、マスター出力レベル調整前の各再生信号の出力レベル、マスター出力レベル調整後の各再生信号の出力レベルのうち、少なくとも一つに基づいて生成された情報であることを特徴とする。
【００１４】
この構成によれば、出力装置に対して出力される１以上の再生信号の出力レベル比、マスター出力レベル調整前の各再生信号の出力レベル、マスター出力レベル調整後の各再生信号の出力レベルのうち、いずれかの項目または複数の項目を示すパラメータを用いて、出力レベル情報を生成することができる。
なお、どの項目を示すパラメータを用いて出力レベル情報を生成するかについて、ユーザーが設定（選択）可能としても良い。
【００１５】
上記に記載のプレーヤーにおいて、制御手段は、ＯｎＡｉｒ情報が入力されている状態で再生中の再生信号の残り再生時間が所定時間以内になった場合、ＯｎＡｉｒ表示手段の表示形態を変化させることを特徴とする。
【００１６】
この構成によれば、再生中の再生信号が残り僅かとなったことを、ユーザーが確認することができる。
【００１７】
上記に記載のプレーヤーにおいて、制御手段は、表示形態として、ＯｎＡｉｒ表示手段の表示色、輝度、表示内容、点滅速度のうち、少なくとも一つを変化させることを特徴とする。
【００１８】
この構成によれば、ユーザーは、ＯｎＡｉｒ表示手段の表示色、輝度、表示内容、点滅速度などから、プレーヤーで再生中の再生信号の出力の有無、出力レベルおよび残り再生時間などを判断することができる。
なお、ＯｎＡｉｒ情報や出力レベル情報に基づいて変化させる表示形態について、ユーザーが設定可能としても良い。
【００１９】
上記に記載のプレーヤーにおいて、再生信号は音声信号を含み、制御手段は、再生中の再生信号のＢＰＭに同期して、ＯｎＡｉｒ表示手段を点滅させることを特徴とする。
【００２０】
この構成によれば、ＯｎＡｉｒ表示手段が再生信号（音声信号）のＢＰＭに同期して点滅するため、再生信号のＢＰＭが点滅タイミングとずれることによって、演奏中のユーザーに違和感を与えることがない。
なお、ＢＰＭの解析は、プレーヤー側で行っても良いし、ミキサー装置側で行っても良い。また、プレーヤーやミキサー装置でＢＰＭの解析を行うのではなく、予めＢＰＭ解析されたデータを利用しても良い。
【００２１】
上記に記載のプレーヤーにおいて、制御手段は、所定の制御として、ＯｎＡｉｒ情報が入力されている場合、所定の操作子の機能を制限することを特徴とする。
【００２２】
この構成によれば、再生信号が再生中の場合、再生中に行われるべきではない所定の操作子の機能を制限することで、ユーザーの誤操作を防止することができる。
なお、「所定の操作子の機能」とは、再生中の再生信号が記録されているデバイスのイジェクト、他曲のロード、再生中断、スキップ操作など、再生に支障をきたす恐れのある機能を指す。
また、制限対象となる「所定の操作子」、または「所定の操作子の機能」を、ユーザーが設定可能としても良い。後者については、１つの操作子に複数の機能が割り当てられている場合、そのうちの一部の機能を制限したい場合に有用である。
【００２３】
上記に記載のプレーヤーにおいて、制御手段は、所定の操作子の機能を制限する、または制限している場合、その理由および制限解除の判断をユーザーに促す内容の少なくとも一方を、文字または画像を表示可能な情報表示手段に表示させることを特徴とする。
【００２４】
この構成によれば、所定の操作子の機能を制限する前、または所定の操作子の操作が行われた場合などにおいて、ユーザーに対してその理由を報知したり、制限解除の判断を委ねたりすることができる。
なお、これらの表示を行うか否か、表示タイミング（所定の操作子の機能を制限する前と制限した時とのいずれのタイミングで表示させるか）、表示内容、などについて、ユーザーが設定可能としても良い。
【００２５】
上記に記載のプレーヤーにおいて、制御手段は、所定の制御として、ＯｎＡｉｒ情報が入力されている状態で所定の操作が行われた場合、再生中の再生信号の少なくとも一部を繰り返し再生することを特徴とする。
【００２６】
この構成によれば、再生信号の再生中に、誤って再生信号の再生が中断されるような操作が行われた場合でも、繰り返し再生により中断を阻止することができる。これにより、本発明のプレーヤーがＤＪ機器として用いられた場合などにおいて、楽曲の中断により場の雰囲気を大きく損ねてしまうといった致命的なミスを防止することができる。
なお、「所定の操作」とは、再生中の再生信号が記録されているデバイスのイジェクト、他曲のロード、再生中断、スキップ操作など、再生信号の再生が中断されるような操作を指す。
また、「所定の操作」として、どのような操作が行われたときに繰り返し再生を行うかについて、ユーザーが設定可能としても良い。
【００２７】
上記に記載のプレーヤーにおいて、制御手段は、ＯｎＡｉｒ情報が入力されている場合、当該ＯｎＡｉｒ情報が入力されていない場合と比較して、再生信号のバッファ量を多くし、所定の操作が行われた場合、バッファリングしておいた再生信号の少なくとも一部を繰り返し再生することを特徴とする。
【００２８】
この構成によれば、再生信号の再生中は、誤操作によって繰り返し再生を行う可能性があるため、それに備えてバッファ量を多くしておくことで、誤操作が行われた場合に、違和感の無い長さ（例えば、４拍分以上）で繰り返し再生を行うことができる。また、バッファリングしておいた再生信号を用いることで、再生中の再生信号が記録されているデバイスのイジェクトが行われた場合でも、支障なく繰り返し再生することができる。
なお、再生中における再生信号のバッファ量、非再生中における再生信号のバッファ量、残ったバッファ量のどのタイミングから繰り返し再生させるか、繰り返し再生期間、などについて、ユーザーが設定可能としても良い。
【００２９】
上記に記載のプレーヤーにおいて、制御手段は、所定の制御として、ＯｎＡｉｒ情報が入力されている状態で再生中の再生信号の残り再生時間が所定時間以内になった場合、再生中の再生信号の少なくとも一部を繰り返し再生することを特徴とする。
【００３０】
この構成によれば、何らかの原因で次曲のロードが間に合わなかった場合でも、繰り返し再生により楽曲の中断を阻止することができる。これにより、本発明のプレーヤーがＤＪ機器として用いられた場合などにおいて、楽曲の中断により場の雰囲気を大きく損ねてしまうといった致命的なミスを防止することができる。
なお、「所定時間」、「再生中の再生信号の少なくとも一部」に相当する繰り返し再生期間、などについて、ユーザーが設定可能としても良い。
【００３１】
上記に記載のプレーヤーにおいて、制御手段は、繰り返し再生を行う、または行っている場合、その旨およびその理由の少なくとも一方を、文字または画像を表示可能な情報表示手段に表示させることを特徴とする。
【００３２】
この構成によれば、繰り返し再生を行う前、または繰り返し再生を行っている間において、ユーザーに対し、その旨またはその理由を報知することができる。
なお、これらの表示を行うか否か、表示タイミング（繰り返し再生を行う前、または繰り返し再生を行っている間とのいずれのタイミングで表示させるか）、表示内容、などについて、ユーザーが設定可能としても良い。
【００３３】
上記に記載のプレーヤーにおいて、ＯｎＡｉｒ情報入力手段は、プレーヤーの状態に応じて、所定の制御の制御内容を制限することを特徴とする。
【００３４】
この構成によれば、例えば、プレーヤーが再生中でない場合は、所定の操作子の機能制限は無効にしつつ、ＯｎＡｉｒ表示手段の表示は有効にしてＯｎＡｉｒ状態であることを示す、などの制御が可能となる。
【００３５】
上記に記載のプレーヤーにおいて、ＯｎＡｉｒ情報に基づいて所定の制御を行うか否かを設定するユーザー設定手段をさらに備えたことを特徴とする。
【００３６】
この構成によれば、ＯｎＡｉｒ情報に基づく制御を行うか否か（本発明の構成を適用するか、ＯｎＡｉｒ情報が入力されない従来の構成を適用するか）を、ユーザーのニーズや使用用途に応じて設定することができる。
【００３７】
上記に記載のプレーヤーにおいて、制御手段は、ＯｎＡｉｒ情報入力手段によりＯｎＡｉｒ情報が入力されていない場合、所定の制御を行わないことを特徴とする。
【００３８】
この構成によれば、ＯｎＡｉｒ情報が入力されていない場合は、誤操作を防止するための所定の制御を行わないため、不必要な表示が行われたり、不必要に機能が制限されたりすることがない。
【００３９】
本発明の再生システムは、１以上のプレーヤーと、当該プレーヤーにより再生された再生信号を出力装置に対して出力するミキサー装置と、を有する再生システムであって、ミキサー装置は、１以上のプレーヤーのうち少なくとも１つのプレーヤーから、再生信号を入力する再生信号入力手段と、再生信号入力手段により入力された再生信号を、出力装置に対して出力する再生信号出力手段と、再生信号出力手段により再生信号を出力装置に対して出力していることを示すＯｎＡｉｒ情報を、当該再生信号の入力源となるプレーヤーに対して出力するＯｎＡｉｒ情報出力手段と、を備え、プレーヤーは、再生信号を、ミキサー装置に対して出力する再生信号出力手段と、ＯｎＡｉｒ情報を、ミキサー装置から入力するＯｎＡｉｒ情報入力手段と、ＯｎＡｉｒ情報入力手段により入力されたＯｎＡｉｒ情報に基づいて、誤操作を防止するための所定の制御を行う制御手段と、を備えたことを特徴とする。
【００４０】
本発明のミキサー装置の制御方法は、１以上のプレーヤーと接続され、当該プレーヤーにより再生された再生信号を出力装置に対して出力するミキサー装置の制御方法であって、ミキサー装置が、１以上のプレーヤーのうち少なくとも１つのプレーヤーから、再生信号を入力するステップと、入力された再生信号を、出力装置に対して出力するステップと、再生信号を出力装置に対して出力していることを示すＯｎＡｉｒ情報を、当該再生信号の入力源となるプレーヤーに対して出力するステップと、を実行することを特徴とする。
【００４１】
本発明のプレーヤーの制御方法は、出力装置と接続されたミキサー装置に対し、再生信号を出力するプレーヤーの制御方法であって、プレーヤーが、再生信号を、ミキサー装置に対して出力するステップと、プレーヤーが出力した再生信号がミキサー装置により出力装置に対して出力されていることを示すＯｎＡｉｒ情報を、ミキサー装置から入力するステップと、入力されたＯｎＡｉｒ情報に基づいて、誤操作を防止するための所定の制御を行うステップと、を実行することを特徴とする。
【００４２】
本発明のプログラムは、コンピューターに、上記に記載のミキサー装置の制御方法における各ステップ、および上記に記載のプレーヤーの制御方法における各ステップの少なくとも一方を実行させるためのものであることを特徴とする。
【００４３】
これらの構成によれば、プレーヤーで再生中の再生信号がＯｎＡｉｒ状態であるか否かをプレーヤー側で識別することができ、ひいてはユーザーによるプレーヤーの誤操作を防止することができる再生システム、ミキサー装置の制御方法、プレーヤーの制御方法およびプログラムを提供することができる。
【図面の簡単な説明】
【００４４】
【図１】本発明の一実施形態に係る再生システムのシステム構成図である。
【図２】プレーヤーを上側から見た平面図である。
【図３】ミキサー装置を上側から見た平面図である。
【図４】再生システムの機能ブロック図である。
【図５】ミキサー装置のＯｎＡｉｒ信号送信に関するメイン処理を示すフローチャートである。
【図６】ミキサー装置の出力レベル検出処理を示すフローチャートである。
【図７】プレーヤーのメイン処理を示すフローチャートである。
【図８】ミキサー装置のＯｎＡｉｒ信号送信処理を示すフローチャートである。
【図９】第１実施形態に係る出力レベル信号の生成に関する説明図である。
【図１０】プレーヤーの操作子機能制限処理を示すフローチャートである。
【図１１】プレーヤーの繰り返し再生処理（１）を示すフローチャートである。
【図１２】繰り返し再生に関する説明図である。
【図１３】プレーヤーの繰り返し再生処理（１）の基本形を示すフローチャートである。
【図１４】プレーヤーの繰り返し再生処理（２）を示すフローチャートである。
【図１５】プレーヤーの繰り返し再生処理（２）の基本形を示すフローチャートである。
【図１６】第２実施形態に係る出力レベル信号の生成に関する説明図である。
【図１７】第３実施形態に係る出力レベル信号の生成に関する説明図である。
【発明を実施するための形態】
【００４５】
以下、本発明の一実施形態に係る制御装置、プレーヤー、再生システム、制御装置の制御方法、プレーヤーの制御方法およびプログラムについて、添付図面を参照しながら詳細に説明する。本実施形態では、本発明のミキサー装置やプレーヤーを、ＤＪが音楽パフォーマンスを行うためのＤＪ機器に適用した場合を例示する。
【００４６】
［第１実施形態］
図１は、再生システムＳＹのシステム構成図である。同図に示すように、再生システムＳＹは、１台以上のプレーヤー１０（入力源）と、当該プレーヤー１０により再生された再生信号（音声信号）の出力制御を行うミキサー装置２０（制御装置）と、当該ミキサー装置２０から出力された再生信号を外部に出力する出力装置３０と、を備えている。
【００４７】
プレーヤー１０は、ＣＤ、ＵＳＢメモリ、ＳＤメモリカードなどの各種デバイスＤを挿入可能となっており、これらの各デバイスＤから楽曲（音声データ）を読み出して再生する。また、ジョグダイヤル１２などの操作子を有し、ユーザーの操作に基づいて、再生状態の調節や、エフェクト効果の付加などの再生処理を行う。
【００４８】
ミキサー装置２０は、チャンネルフェーダー２５やクロスフェーダー２７などの操作子を有し、各プレーヤー１０から入力された再生信号の混合処理などを行う。また、ミキサー装置２０は、オーディオケーブル４１およびＯｎＡｉｒ信号送信用ケーブル４２を介して、各プレーヤー１０と接続されている。本実施形態では、１台のミキサー装置２０に４台のプレーヤー１０が接続され、ミキサー装置２０の「チャンネル１」〜「チャンネル４」が、それぞれ「プレーヤー１」〜「プレーヤー４」に対応しているものとする。
【００４９】
オーディオケーブル４１は、プレーヤー１０により再生された再生信号を入力するためのケーブルであり、ＲＣＡケーブルなどが用いられる。また、ＯｎＡｉｒ信号送信用ケーブル４２は、ミキサー装置２０が再生信号を出力装置３０に対して出力していること（ＯｎＡｉｒ状態であること）を示すＯｎＡｉｒ信号（ＯｎＡｉｒ情報）を、その再生信号の入力源となるプレーヤー１０に対して出力するためのケーブルであり、イーサネット（登録商標）ケーブルやＵＳＢケーブルなどが用いられる。
【００５０】
出力装置３０は、アンプ３１と、当該アンプ３１に接続された１台以上のスピーカー３２（図示では、２台）と、を有している。また、出力装置３０は、オーディオケーブル４１を介して、ミキサー装置２０と接続されている。なお、特に図示しないが、プレーヤー１０およびミキサー装置２０には、各ケーブル４１，４２が接続される端子（インターフェース）が設けられている。また、出力装置３０には、オーディオケーブル４１が接続される端子が設けられている。なお、上記の通りプレーヤー１０、ミキサー装置２０および出力装置３０間を有線接続とするのではなく、無線接続としても良い。すなわち、無線通信によって、再生信号やＯｎＡｉｒ信号の送受信を行っても良い。
【００５１】
次に、図２および図３を参照し、プレーヤー１０およびミキサー装置２０の装置構成について簡単に説明する。図２は、プレーヤー１０の装置構成を示す平面図である。プレーヤー１０は、表示部１１、ジョグダイヤル１２、ＣＤ挿入口１３、ＣＤ用イジェクトボタン１３ａ、ＵＳＢメモリスロット１４、ＵＳＢメモリ用イジェクトボタン１４ａ、ＳＤメモリカードスロット１５、ＳＤメモリカード用イジェクトボタン１５ａ、カーソルボタン１６ａ、エンターボタン１６ｂ、トラックサーチボタン１８ａ、マニュアルサーチボタン１８ｂ、キューボタン１８ｃ、プレイ／ポーズボタン１８ｄおよびテンポリセットボタン１８ｅなどを有している。
【００５２】
表示部１１は、液晶ディスプレイなどにより構成され、各種情報を表示する。また、ジョグダイヤル１２は、ジョグダイヤル本体１２ａと、ジョグＬＥＤ１２ｂと、を有する。ジョグダイヤル本体１２ａは、ユーザーにより回転操作が行われるものであり、ジョグＬＥＤ１２ｂは、プレーヤー１０で再生中の再生信号の出力レベルを表示するために用いられる（詳細については、後述する）。ここで、「再生中」とは、プレーヤー１０側で再生が行われていること（プレーヤー１０から再生信号が出力されていること）を意味するものであり、ミキサー装置２０により出力装置３０に対して再生信号が出力されていることを示す「ＯｎＡｉｒ状態」とは異なる。一方、カーソルボタン１６ａおよびエンターボタン１６ｂは、各種設定や選択を行うために用いられる。また、その操作結果は、表示部１１に反映される。
【００５３】
図３は、ミキサー装置２０の装置構成を示す平面図である。ミキサー装置２０は、チャンネル毎に、チャンネル切替スイッチ２１、トリム調整ツマミ２２、チャンネルイコライザ調整ツマミ２３（高音用、中音用、低音用）、チャンネルフェーダー２５およびクロスフェーダーアサインスイッチ２６などを有している。また、装置手前側には、クロスフェーダー２７が設けられ、装置右手奥側には、マスター出力レベル調整ツマミ２８およびマスターレベルインジケーター２９などが設けられている。
【００５４】
チャンネル切替スイッチ２１は、ＣＤ／デジタル入力およびライン入力の２系統のうち、いずれかを選択するための操作子である。また、トリム調整ツマミ２２は、各チャンネルの入力レベルを調整するための操作子である。また、チャンネルイコライザ調整ツマミ２３は、各チャンネルの高音、中音、低音をそれぞれ調整するための操作子である。また、チャンネルフェーダー２５は、各チャンネルの音量レベルを調整するための操作子である。
【００５５】
また、クロスフェーダーアサインスイッチ２６は、各チャンネルの出力を、クロスフェーダー２７の左右（Ａ側またはＢ側）若しくは「スルー」のいずれに割り当てるかを選択するための操作子である。なお、複数のチャンネルが同じ側を選択した場合、それらを加算したものが割り当てられる。また、「スルー」が選択されている場合は、チャンネルフェーダー２５の出力は、クロスフェーダー２７を通らずに、そのままマスター出力に出ていくこととなる。
【００５６】
また、クロスフェーダー２７は、クロスフェーダーアサインスイッチ２６によって左右に割り当てられた各再生信号の混合割合を調整するための操作子である。また、マスター出力レベル調整ツマミ２８は、マスター出力の音量レベルを調整するための操作子である。また、マスターレベルインジケーター２９は、マスター出力レベルをＬＥＤ表示するものである。
【００５７】
なお、プレーヤー１０およびミキサー装置２０には、図２および図３で示したもの以外にも、多数の操作子やインジケーターが設けられているが、本発明とは直接関係しないため、それらの説明を省略する。
【００５８】
次に、図４を参照し、再生システムＳＹ（プレーヤー１０、ミキサー装置２０および出力装置３０）の機能構成について説明する。プレーヤー１０は、主な機能構成として、プレーヤー側制御手段１１０、再生手段１２０、プレーヤー側再生信号出力手段１３０、ＯｎＡｉｒ情報入力手段１４０、ＯｎＡｉｒ表示手段１５０、情報表示手段１６０およびユーザー設定手段１７０を備えている。
【００５９】
プレーヤー側制御手段１１０は、マイコンなどを主な構成要素とし、プレーヤー１０内を統括制御する。プレーヤー側制御手段１１０は、ミキサー装置２０から、ＯｎＡｉｒ状態であることを示すＯｎＡｉｒ信号が入力された場合に、当該ＯｎＡｉｒ信号に基づいて、ユーザーの誤操作を防止するための所定の制御（以下、「誤操作防止制御」と称する）を行う。なお、ＯｎＡｉｒ信号が入力されていない場合は、誤操作防止制御を行わない。誤操作防止制御としては、出力レベルの表示制御、所定の操作子（例えば、イジェクトボタン１３ａ，１４ａ，１５ａ、トラックサーチボタン１８ａ、プレイ／ポーズボタン１８ｄおよびテンポリセットボタン１８ｅなど）の機能制限、繰り返し再生制御、などを行う（後に、詳述する）。
【００６０】
再生手段１２０は、デバイスＤから随時所定量分の音声データを読み出して、内部メモリバッファＢに格納しておき、当該内部メモリバッファＢから読み出した音声データを再生する。なお、デバイスＤのように、プレーヤー１０に着脱可能な記憶媒体に記録されている音声データのみならず、プレーヤー１０に内蔵されたハードディスクのような記憶媒体に記録されている音声データを再生可能としても良い。
【００６１】
プレーヤー側再生信号出力手段１３０は、再生手段１２０により再生されている再生信号を、オーディオケーブル４１を介してミキサー装置２０に出力する。
【００６２】
ＯｎＡｉｒ情報入力手段１４０は、プレーヤー側再生信号出力手段１３０により出力した再生信号がミキサー装置２０により出力装置３０に対して出力されていることを示すＯｎＡｉｒ信号を、ＯｎＡｉｒ信号送信用ケーブル４２を介してミキサー装置２０から入力する。
【００６３】
ＯｎＡｉｒ表示手段１５０は、ジョグＬＥＤ１２ｂを主な構成要素とし、ＯｎＡｉｒ信号に含まれる出力レベル信号（出力レベル情報）に応じた表示を行う。プレーヤー側制御手段１１０は、ＯｎＡｉｒ信号が入力されている場合、当該ＯｎＡｉｒ信号に含まれる出力レベル信号に応じて、ＯｎＡｉｒ表示手段１５０（ジョグＬＥＤ１２ｂ）の輝度を決定し、当該輝度でＯｎＡｉｒ表示手段１５０を点滅させる。また、この場合、プレーヤー側制御手段１１０は、再生中の再生信号のＢＰＭに同期して、ＯｎＡｉｒ表示手段１５０を点滅させる。なお、ＢＰＭの解析は、プレーヤー１０側で行っても良いし、ミキサー装置２０側で行っても良い。また、予めＢＰＭ解析されたデータを利用しても良い。さらに、プレーヤー側制御手段１１０は、再生中の再生信号の残り再生時間が所定時間以内になった場合、ＯｎＡｉｒ表示手段１５０の表示形態を変化させるようにしても良い。例えば、再生信号の残り再生時間が３０秒以内になったとき、ＯｎＡｉｒ表示手段１５０を点灯状態から点滅状態に切り替える、などが考えられる。これにより、ユーザーは、再生中の再生信号が残り僅かとなったことを確認することができる。
【００６４】
情報表示手段１６０は、表示部１１を主な構成要素とし、ＯｎＡｉｒ信号に基づく誤操作防止制御が行われている旨などを表示する。例えば、プレーヤー側制御手段１１０は、ＯｎＡｉｒ信号が入力されていることにより、プレーヤー１０の所定の操作子の機能を制限している場合、その理由や制限解除の判断をユーザーに促す内容などを、情報表示手段１６０に表示させる。また、プレーヤー側制御手段１１０は、ＯｎＡｉｒ信号が入力されていることに伴って、繰り返し再生を行っている場合、その旨およびその理由を、情報表示手段１６０に表示させる。なお、情報表示手段１６０による表示は、文字（テキスト）による表示であっても良いし、記号などの画像による表示であって良い。
【００６５】
ユーザー設定手段１７０は、カーソルボタン１６ａおよびエンターボタン１６ｂを主な構成要素とし、誤操作防止制御に関する種々の条件を設定する。具体的には、ＯｎＡｉｒ信号に基づいて誤操作防止制御を行うか否か、所定の操作子の機能を制限したり繰り返し再生を行ったりしている場合にその理由などを表示するか、繰り返し再生を行う場合の繰り返し再生期間、などを設定可能である。
【００６６】
続いて、ミキサー装置２０の機能構成について説明する。ミキサー装置２０は、主な機能構成として、ミキサー装置側制御手段２１０、ミキサー装置側再生信号入力手段２２０、ミキサー装置側再生信号出力手段２３０およびＯｎＡｉｒ情報出力手段２４０を備えている。
【００６７】
ミキサー装置側制御手段２１０は、マイコンなどを主な構成要素とし、ミキサー装置２０内を統括制御する。ミキサー装置側再生信号入力手段２２０は、プレーヤー側再生信号出力手段１３０から出力された再生信号を、オーディオケーブル４１を介して入力する。
【００６８】
ミキサー装置側再生信号出力手段２３０は、ミキサー装置側再生信号入力手段２２０により入力された再生信号を、オーディオケーブル４１を介して出力装置３０に出力する。なお、ここで出力する再生信号は、入力された再生信号に混合処理や出力レベル調整処理などを施したものであり、入力された再生信号そのものではない。
【００６９】
ＯｎＡｉｒ情報出力手段２４０は、ミキサー装置側再生信号出力手段２３０により出力装置３０に対して再生信号を出力していることを示すＯｎＡｉｒ信号を、ＯｎＡｉｒ信号送信用ケーブル４２を介して、再生信号の入力源となるプレーヤー１０（ＯｎＡｉｒ情報入力手段１４０）に出力する。また、上記の通り、ＯｎＡｉｒ情報出力手段２４０は、ＯｎＡｉｒ信号の一部として、再生信号の出力レベルに関する出力レベル信号を出力する。なお、ミキサー装置２０では、ユーザーの操作により、ＯｎＡｉｒ信号の送信の有無を設定可能となっている。このため、ＯｎＡｉｒ情報出力手段２４０は、ＯｎＡｉｒ信号の送信「有」と設定されている場合（ＯｎＡｉｒ信号送信設定の場合）のみＯｎＡｉｒ信号を送信し、ＯｎＡｉｒ信号の送信「無」と設定されている場合（ＯｎＡｉｒ信号非送信設定の場合）はＯｎＡｉｒ信号を送信しない。
【００７０】
続いて、出力装置３０の機能構成について説明する。出力装置３０は、主な機能構成として、出力装置側制御手段３１０、出力装置側再生信号入力手段３２０、増幅手段３３０および外部出力手段３４０を備えている。
【００７１】
出力装置側制御手段３１０は、マイコンなどを主な構成要素とし、出力装置３０内を統括制御する。出力装置側再生信号入力手段３２０は、ミキサー装置側再生信号出力手段２３０により出力された再生信号を、オーディオケーブル４１を介して入力する。
【００７２】
増幅手段３３０は、アンプ３１を主な構成要素とし、出力装置側再生信号入力手段３２０により入力された再生信号を、増幅回路により増幅する。また、外部出力手段３４０は、スピーカー３２を主な構成要素とし、増幅手段３３０により増幅された音声信号を、外部に向けて音声出力する。
【００７３】
次に、図５ないし図１５を参照し、第１実施形態に係る再生システムＳＹ（特に、プレーヤー１０およびミキサー装置２０）の具体的な動作について説明する。図５は、ミキサー装置２０のＯｎＡｉｒ信号送信に関するメイン処理を示すフローチャートである。
【００７４】
ミキサー装置２０（ミキサー装置側制御手段２１０）は、マスター出力レベル調整ツマミ２８の設定が、所定のしきい値を超えているか否かを判別し（Ｓ１１）、超えている場合は（Ｓ１１：Ｙｅｓ）、各チャンネルの出力レベル検出処理（図６参照）を行う（Ｓ１２）。また、各チャンネルの出力レベル検出処理によってＯｎＡｉｒ状態と判定され、さらにＯｎＡｉｒ信号送信設定の場合は（Ｓ１３：Ｙｅｓ）、そのチャンネルに対応するプレーヤー１０を送信対象として、ＯｎＡｉｒ信号送信処理を行う（Ｓ１４）。
【００７５】
一方、マスター出力レベル調整ツマミ２８の設定が所定のしきい値以下の場合（Ｓ１１：Ｎｏ）、並びにＯｎＡｉｒ信号非送信設定の場合は（Ｓ１３：Ｎｏ）、ＯｆｆＡｉｒ状態と判別し、ＯｎＡｉｒ信号を送信しない（Ｓ１５）。なお、同図に示したフローチャートは、ミキサー装置２０の起動中、繰り返し実行される。
【００７６】
次に、図６のフローチャートを参照し、ミキサー装置２０の出力レベル検出処理について説明する。当該フローチャートは、図５に示したフローチャートのＳ１２に相当するサブルーチンであり、チャンネル毎に実行されるものである。
【００７７】
ミキサー装置２０（ミキサー装置側制御手段２１０）は、まず、チャンネル切替スイッチ２１の設定が、入力端子側であるか否かを判別し（Ｓ２１）、入力端子側である場合は（Ｓ２１：Ｙｅｓ）、続いて、トリム調整ツマミ２２の設定（ボリューム値）が、所定のしきい値を超えているか否かを判別する（Ｓ２２）。トリム調整ツマミ２２の設定が所定のしきい値を超えている場合は（Ｓ２２：Ｙｅｓ）、続いて、チャンネルフェーダー２５の設定が、所定のしきい値を超えているか否かを判別する（Ｓ２３）。
【００７８】
チャンネルフェーダー２５の設定が、所定のしきい値を超えている場合は（Ｓ２３：Ｙｅｓ）、続いて、クロスフェーダーアサインスイッチ２６がＡ側またはＢ側を選択しているか否かを判別する（Ｓ２４）。クロスフェーダーアサインスイッチ２６がＡ側またはＢ側を選択している場合は（Ｓ２４：Ｙｅｓ）、クロスフェーダー２７の設定が、（アサインされた側を基準として）所定のしきい値を超えているか否かを判別し（Ｓ２５）、所定のしきい値を超えている場合は（Ｓ２５：Ｙｅｓ）、ＯｎＡｉｒ状態であると判別する（Ｓ２６）。また、クロスフェーダーアサインスイッチ２６が「スルー」を選択している場合は（Ｓ２４：Ｎｏ）、Ｓ２５の判別を省略し、ＯｎＡｉｒ状態であると判別する（Ｓ２６）。
【００７９】
一方、チャンネル切替スイッチ２１の設定が入力端子側でない場合（Ｓ２１：Ｎｏ）、トリム調整ツマミ２２の設定が所定のしきい値以下の場合（Ｓ２２：Ｎｏ）、チャンネルフェーダー２５の設定が所定のしきい値以下の場合（Ｓ２３：Ｎｏ）、クロスフェーダー２７の設定が所定のしきい値以下の場合（Ｓ２５：Ｎｏ）は、ＯｆｆＡｉｒ状態であると判別する（Ｓ２７）。なお、図６に示したフローチャートでは、ＯｎＡｉｒ状態かＯｆｆＡｉｒ状態かの判別のみ行っているが、当該工程により、各チャンネルのボリューム値または音量についても検出しているものとする。各チャンネルのボリューム値または音量は、後述する出力レベル信号の生成に用いられる。
【００８０】
なお、図５および図６に示したフローチャートでは、マスター出力レベル調整ツマミ２８、トリム調整ツマミ２２、チャンネルフェーダー２５およびクロスフェーダー２７など、各操作子の設定（ボリューム値）に基づいて判別を行っているが、各操作子の設定によって可変する音量レベル（後述するスイッチボックス６１の出力，図９（ａ）参照）に基づいて判別を行っても良い。この場合は、各音量レベルが所定のしきい値以上であるか否かによって判別することが好ましい。つまり、「各操作子の音量レベル≧所定のしきい値」を判別することで、無音の楽曲が再生された場合でも、正確にＯｎＡｉｒ状態を判定することができる。これに対し、上記の例のように、各操作子のボリューム値に基づいて判別する場合は、「各操作子のボリューム値≧所定のしきい値」として判別を行うと、所定のしきい値＝Ｍｉｎ（最小値）の場合、ボリューム値をＭｉｎにしてもＯｎＡｉｒ状態と判定されてしまうため、「各操作子のボリューム値＞所定のしきい値」として判別を行うことが好ましい。
【００８１】
次に、図７のフローチャートを参照し、プレーヤー１０のＯｎＡｉｒ信号受信に関するメイン処理について説明する。プレーヤー１０（プレーヤー側制御手段１１０）は、ミキサー装置２０からＯｎＡｉｒ信号を受信（入力）したか否かを判別し（Ｓ３１）、受信していない場合は（Ｓ３１：Ｎｏ）、動作モードをＯｆｆＡｉｒモードに設定する（Ｓ３２）。
【００８２】
また、ミキサー装置２０からＯｎＡｉｒ信号を受信した場合は（Ｓ３１：Ｙｅｓ）、プレーヤー１０が誤操作防止制御を行う状態であるか否かを判別する（Ｓ３３）。上記の通り、ユーザー設定手段１７０では、誤操作防止制御を行うか否かについて設定可能であるが、さらに詳細設定として、プレーヤー１０の状態と、その状態における誤操作防止制御の内容と、を関連付けて設定することが可能となっている。例えば、プレーヤー１０が非再生中の場合は、所定の操作子の機能制限は行わないが、ジョグＬＥＤ１２ｂの表示は有効する、などの設定が可能である。Ｓ３３において、誤操作防止制御を行う状態であると判定された場合は（Ｓ３３：Ｙｅｓ）、動作モードをＯｎＡｉｒモードに設定する（Ｓ３４）。つまり、上記のように、非再生中における誤操作防止制御の内容が設定されている場合、「ジョグＬＥＤ１２ｂの表示を有効する」と設定されているため、ＯｎＡｉｒモードに設定される。一方、誤操作防止制御を行う状態でないと判定された場合は（Ｓ３３：Ｎｏ）、動作モードをＯｆｆＡｉｒモードに設定する（Ｓ３５）。例えば、「非再生中」というプレーヤー１０の状態に対して、全ての誤操作防止制御を行わないと設定されている場合、ＯｆｆＡｉｒモードに設定される。
【００８３】
なお、上記の例では、プレーヤー１０が「非再生中」の場合における誤操作防止制御の内容設定について記載したが、「再生中」の場合や「ＣＵＥ待機中」の場合など、種々のプレーヤー１０の状態について、誤操作防止制御の内容を設定可能である。
【００８４】
次に、図８のフローチャートを参照し、ミキサー装置２０のＯｎＡｉｒ信号送信処理について説明する。当該フローチャートは、図５に示したフローチャートのＳ１４に相当するサブルーチンである。
【００８５】
ミキサー装置２０（ミキサー装置側制御手段２１０）は、図６に示した出力レベル検出処理（図５に示したフローチャートのＳ１２に相当）により検出した出力レベル比（ボリューム値または音量の比）に基づいて、まず、各チャンネルの音量の比を算出する（Ｓ４１）。続いて、各チャンネルの出力レベル比に応じて、各チャンネルの出力レベル信号を生成し（Ｓ４２）、生成した当該出力レベル信号を含むＯｎＡｉｒ信号を、各チャンネルに対応するプレーヤー１０に送信する（Ｓ４３）。
【００８６】
図９は、出力レベル信号の生成に関する説明図である。図９（ａ）は、ミキサー装置２０の簡易回路図である。符号６１は、トリム調整ツマミ２２、チャンネルフェーダー２５およびクロスフェーダー２７の音量制御を行うスイッチボックスを示し、符号６２は、マスター出力レベル調整ツマミ２８に対応する抵抗器である。以下の説明において、「マスター出力手前の音量」とは、スイッチボックス６１から抵抗器６２の間の出力を指し、「マスター出力後の音量」とは、抵抗器６２を通った後の出力を指す。
【００８７】
図９（ｂ）は、出力レベル信号の生成工程を示す図である。例えば、ミキサー装置２０の「チャンネル１」の音量が１５０［ｄＢ］、「チャンネル２」の音量が９０［ｄＢ］、「チャンネル３」の音量が３０［ｄＢ］、「チャンネル４」の音量が０［ｄＢ］であるものとする。この場合の「音量」とは、上記の「マスター出力手前の音量」および「マスター出力後の音量」のいずれであっても良い。
【００８８】
このような条件の場合、最大音量のチャンネルの出力レベルを１００［％］として正規化すると、「チャンネル１」〜「チャンネル４」の出力レベルは、１００［％］、６０［％］、２０［％］、０［％］と算出できる。ミキサー装置２０は、これらの出力レベルに基づき、出力レベル信号を生成する。一方、各プレーヤー１０は、ミキサー装置２０から取得した当該出力レベル信号に基づき、ＯｎＡｉｒ表示輝度レベル（ジョグＬＥＤ１２ｂの輝度）を決定する。つまり、「プレーヤー１」〜「プレーヤー４」のＯｎＡｉｒ表示輝度レベルは、１００［％］、６０［％］、２０［％］、０［％］となる。
【００８９】
図９（ｃ）は、上記の出力レベル信号を取得した場合の、各プレーヤー１０のジョグＬＥＤ１２ｂの輝度を示す図である。同図に示すように、各チャンネルの出力レベルに応じた輝度で、各プレーヤー１０のジョグＬＥＤ１２ｂが発光する。
【００９０】
このように、各プレーヤー１０は、ＯｎＡｉｒモード時において、各チャンネルの出力レベルに応じた輝度で、ジョグＬＥＤ１２ｂを発光させるため、ユーザーは、わざわざミキサー装置２０のフェーダー状態を確認しなくとも、プレーヤー１０側で出力レベルを判断することができる。
【００９１】
なお、上記の例では、各チャンネルの出力レベルに応じて、プレーヤー１０のジョグＬＥＤ１２ｂを発光させるものとしたが、ＯｎＡｉｒ状態であるか否かに応じて、ジョグＬＥＤ１２ｂを発光させるようにしても良い。すなわち、プレーヤー１０がＯｎＡｉｒモードの場合はジョグＬＥＤ１２ｂを点灯し、ＯｆｆＡｉｒモードの場合はジョグＬＥＤ１２ｂを消灯する、といった簡単な構成でも良い。また、出力レベルに応じて発光する表示手段と、モード状態に応じて発光する表示手段と、をプレーヤー１０に個別に備えても良い。
【００９２】
また、出力レベルに応じてジョグＬＥＤ１２ｂを発光するか、モード状態に応じてジョグＬＥＤ１２ｂを発光するか、ジョグＬＥＤ１２ｂを点滅させるか点灯させるか、点滅させる場合は点滅速度（１拍あたりの点滅回数）をどうするか、点滅はＢＰＭに連動させるか、などについて、ユーザー設定手段１７０により設定可能としても良い。
【００９３】
次に、図１０のフローチャートを参照し、プレーヤー１０の操作子機能制限処理について説明する。なお、ここでは、ユーザー設定手段１７０により、プレーヤー１０が非再生中の場合、所定の操作子の機能制限は行わない（全ての操作子の入力を有効にする）が、他の誤操作防止制御を実行する（ジョグＬＥＤ１２ｂの表示を有効する、など）と設定されているものとする。プレーヤー１０（プレーヤー側制御手段１１０）は、ＯｎＡｉｒモードであるか否かを判別し（Ｓ５１）、ＯｎＡｉｒモードでない場合は（Ｓ５１：Ｎｏ）、搭載されている全ての操作子の入力（機能）を有効にして（Ｓ５２）、Ｓ５１に戻る。
【００９４】
一方、ＯｎＡｉｒモードの場合は（Ｓ５１：Ｙｅｓ）、再生中であるか否かを判別し（Ｓ５３）、再生中でない場合は（Ｓ５３：Ｎｏ）、全ての操作子の入力を有効にして（Ｓ５２）、Ｓ５１に戻る。また、再生中の場合は（Ｓ５３：Ｙｅｓ）、所定の操作子（イジェクトボタン１３ａ，１４ａ，１５ａ、トラックサーチボタン１８ａ、プレイ／ポーズボタン１８ｄおよびテンポリセットボタン１８ｅなど、操作によって再生に支障をきたす恐れのある操作子）の入力を無効にする（Ｓ５４）。
【００９５】
Ｓ５４の後、再生終了したか否かを判別し（Ｓ５５）、再生終了した場合は（Ｓ５５：Ｙｅｓ）、全ての操作子の入力を有効にして（Ｓ５６）、処理を終了する。また、再生終了していない場合は（Ｓ５５：Ｎｏ）、Ｓ５１に戻る。このように、操作子機能制限処理によれば、ＯｎＡｉｒモード時におけるユーザーの誤操作を防止することができる。
【００９６】
なお、上記のフローチャートには特に記載していないが、所定の操作子の入力を無効にした場合、情報表示手段１６０により、所定の操作子の機能を制限している場合、その理由（ＯｎＡｉｒモード中であること、誤操作防止を目的としていることなど）および制限解除の判断をユーザーに促す内容（「所定の操作子の入力を有効にしますか？」などのメッセージ）を表示する。
【００９７】
また、上記の例では、所定の操作子の入力を有効／無効にするものとしたが、１の操作子に複数の機能が割り当てられている場合、その機能のみを対象として、有効／無効を切り替え可能である。また、操作子機能制限処理において有効／無効の切り替え対象となる「所定の操作子」、または「所定の操作子の機能」を、ユーザー設定手段１７０により設定可能としても良い。
【００９８】
また、上記の例では、所定の操作子の入力を無効にした場合に、情報表示手段１６０による表示を行うものとしたが、所定の操作子の入力を無効にする前に、所定の操作子の入力を無効にする旨などを表示するようにしても良い。つまり、所定の操作子の機能を制限する状態にある場合（ＯｎＡｉｒモード時）において、常にその旨を表示するようにしても良い。
【００９９】
なお、情報表示手段１６０により、これらの表示を行うか否か、表示タイミング（所定の操作子の機能を制限する前と制限した時とのいずれのタイミングで表示させるか）、表示内容、などについて、ユーザー設定手段１７０により設定可能としても良い。
【０１００】
次に、図１１のフローチャートを参照し、プレーヤー１０の繰り返し再生処理（１）について説明する。ここでは、再生中に、再生信号の再生が中断されるような所定の操作（本例では、デバイスＤのイジェクト操作）が行われたことをトリガとして繰り返し再生を行う場合について説明する。
【０１０１】
プレーヤー１０（プレーヤー側制御手段１１０）は、デバイスＤから楽曲を再生している状態において（Ｓ６１）、再生中のデバイスＤのイジェクト操作が行われた場合（Ｓ６２）、ＯｎＡｉｒモードであるか否かを判別する（Ｓ６３）。ＯｎＡｉｒモードでない場合は（Ｓ６３：Ｎｏ）、イジェクト操作後、即再生停止して（Ｓ６４）、処理を終了する。
【０１０２】
一方、ＯｎＡｉｒモードの場合は（Ｓ６３：Ｙｅｓ）、内部メモリバッファＢに格納されている分のうち、所定のタイミングから、例えば４拍分を繰り返し再生し（Ｓ６５）、ＯｎＡｉｒモードが終了したか否かを判別する（Ｓ６６）。ＯｎＡｉｒモードが終了していない場合は（Ｓ６６：Ｎｏ）、Ｓ６５に戻る。また、ＯｎＡｉｒモードが終了した場合は（Ｓ６６：Ｙｅｓ）、内部メモリバッファＢにバッファ残量があるか否かを判別し（Ｓ６７）、バッファ残量がある場合は（Ｓ６７：Ｙｅｓ）、Ｓ６６に戻る。また、バッファ残量がない場合は（Ｓ６７：Ｎｏ）、再生を停止し（Ｓ６８）、処理を終了する。
【０１０３】
図１２は、繰り返し再生に関する説明図である。図１２（ａ）は、ＯｆｆＡｉｒモード時における再生方法を示す図である。この場合、再生中に内部メモリバッファＢに所定量のデータをバッファリングしておくが、デバイスＤが排出されると、即座に再生停止する。
【０１０４】
一方、図１２（ｂ）は、ＯｎＡｉｒモード時における再生方法を示す図である。この場合も、再生中に内部メモリバッファＢに所定量のデータをバッファリングしておき、デバイスＤの排出後、バッファリングされていたデータが減っていくが、デバイス排出後の所定のタイミングからの４拍分を保持しておき、それを繰り返し再生する。
【０１０５】
このように、繰り返し再生処理（１）によれば、ユーザーが誤ってデバイスＤのイジェクト操作を行った場合でも、楽曲の中断を防止することができる。
【０１０６】
また、当該繰り返し再生処理（１）を意図的に利用することで、ＤＪが交代する際、自分用のデバイスＤを即座に持ち帰ることができるといった利点もある。例えば、繰り返し再生処理（１）の機能を有しない従来のプレーヤー１０を利用した場合、ＤＪ（Ａ）は自分の演奏が終わった後、最後の楽曲をＯｎＡｉｒした状態のまま、次のＤＪ（Ｂ）と交代することになる。このため、ＤＪ（Ｂ）は、自分用のデバイスＤを用いてつなぎ演奏を開始した後、ＤＪ（Ａ）のデバイスＤを排出して所定の場所に仮置きしておく必要がある。また、ＤＪ（Ａ）も、自分の演奏終了後、しばらくたってから仮置きされているデバイスＤを取りに行かなければならない。これに対し、上記の繰り返し再生処理（１）の機能を有するプレーヤー１０を利用すれば、ＤＪ（Ａ）は自分の演奏が終わった後、すぐにデバイスＤを排出して持ち帰ることが可能となる。つまり、ＤＪ（Ａ），（Ｂ）両者の上記のような手間を無くすことができる。
【０１０７】
なお、「デバイス排出後の所定のタイミング」とは、デバイスＤの排出後、拍の先頭を最初（または２回目、３回目）に検出した時点でも良いし、内部メモリバッファＢにバッファリングされているデータのうち、最後の４拍分の先頭タイミングでも良い。
【０１０８】
また、上記の例では、再生信号の再生が中断されるような「所定の操作」として、デバイスＤのイジェクト操作を挙げたが、イジェクトボタン１３ａ，１４ａ，１５ａの押下、トラックサーチボタン１８ａの押下、プレイ／ポーズボタン１８ｄの押下およびテンポリセットボタン１８ｅの押下など、他の操作であっても良い。
【０１０９】
また、所定の操作をトリガとした繰り返し再生を行うか否か、所定の操作の内容、所定のタイミング、繰り返し再生期間（４拍分、８拍分など）、などについて、ユーザー設定手段１７０により設定可能としても良い。
【０１１０】
また、上記の例では、内部メモリバッファＢにバッファリングしておくデータ量は、ＯｆｆＡｉｒモード時とＯｎＡｉｒモード時とで、同一であるものとしたが（図１２（ａ），（ｂ）参照）、ＯｆｆＡｉｒモード時よりもＯｎＡｉｒモード時におけるバッファ量を多くするようにしても良い。この構成によれば、ＯｎＡｉｒモード時は、誤操作によって繰り返し再生を行う可能性があるため、それに備えてバッファ量を多くしておくことで、誤操作が行われた場合に、１拍分のデータ量が多い楽曲であっても違和感の無い長さ（例えば、４拍分以上）で繰り返し再生を行うことができる。なお、ＯｎＡｉｒモード時におけるバッファ量やＯｆｆＡｉｒモード時におけるバッファ量について、ユーザー設定手段１７０により設定可能としても良い。
【０１１１】
また、図１１に示したフローチャートでは、繰り返し再生中に、ＯｆｆＡｉｒモードとなり、再度ＯｎＡｉｒモードに戻る場合についても考慮しているが、その点を考慮しないフローチャートとしても良い。図１３は、プレーヤー１０の繰り返し再生処理（１）の基本形を示すフローチャートである。図１３におけるＳ７１ないしＳ７６は、図１１におけるＳ６１ないしＳ６６に相当する。図１１のフローチャートとの相違点は、Ｓ７６の後、即再生停止（Ｓ７７）となる点である。この構成によれば、図１１に示した例よりも処理工程を簡素化することができる。
【０１１２】
次に、図１４のフローチャートを参照し、プレーヤー１０の繰り返し再生処理（２）について説明する。ここでは、再生中の再生信号が終了間際となったことをトリガとして繰り返し再生を行う場合について説明する。
【０１１３】
プレーヤー１０（プレーヤー側制御手段１１０）は、デバイスＤから楽曲を再生している状態において（Ｓ８１）、残り再生時間が所定時間以内となったか否かを判別し（Ｓ８２）、所定時間以内となっていない場合は（Ｓ８２：Ｎｏ）、Ｓ８２の判別を繰り返す。一方、残り再生時間が所定時間以内となった場合は（Ｓ７２：Ｙｅｓ）、ＯｎＡｉｒモードであるか否かを判別し（Ｓ８３）、ＯｎＡｉｒモードでない場合は（Ｓ８３：Ｎｏ）、再生を継続する（Ｓ８４）。
【０１１４】
一方、ＯｎＡｉｒモードの場合は（Ｓ８３：Ｙｅｓ）、残り再生時間内で所定期間分を繰り返し再生し（Ｓ８５）、ＯｎＡｉｒモードが終了したか否かを判別する（Ｓ８６）。ＯｎＡｉｒモードが終了していない場合は（Ｓ８６：Ｎｏ）、Ｓ８５に戻る。また、ＯｎＡｉｒモードが終了した場合は（Ｓ８６：Ｙｅｓ）、再生終了したか否かを判別し（Ｓ８７）、再生終了していない場合は（Ｓ８７：Ｎｏ）、Ｓ８３に戻る。また、再生終了した場合は（Ｓ８７：Ｙｅｓ）、再生を停止し（Ｓ８８）、処理を終了する。
【０１１５】
このように、繰り返し再生処理（２）によれば、何らかの原因で次曲のロードが間に合わなかった場合でも、繰り返し再生により楽曲の中断を阻止することができる。なお、終了間際であるか否かを判別するための「所定時間」、繰り返し再生する「所定期間」（繰り返し再生期間）、などについて、ユーザー設定手段１７０により設定可能としても良い。
【０１１６】
なお、図１４に示したフローチャートでは、繰り返し再生中に、ＯｆｆＡｉｒモードとなり、再度ＯｎＡｉｒモードに戻る場合についても考慮しているが、その点を考慮しないフローチャートとしても良い。図１５は、プレーヤー１０の繰り返し再生処理（２）の基本形を示すフローチャートである。図１５におけるＳ９１ないしＳ９８は、図１４におけるＳ８１ないしＳ８８に相当する。図１４のフローチャートとの相違点は、Ｓ９６：Ｙｅｓと判定された場合、即再生停止（Ｓ９８）となる点である。この構成によれば、図１４に示した例よりも処理工程を簡素化することができる。
【０１１７】
なお、上記の図１１、図１３、図１４および図１５のフローチャートには特に記載していないが、繰り返し再生処理（１），（２）を行っている間、情報表示手段１６０により、その旨（繰り返し再生中であること）およびその理由（ＯｎＡｉｒモード中であること、楽曲の中断防止を目的としていることなど）を表示する。但し、上記の所定の操作子の機能制限を表示する場合と同様に、繰り返し再生処理（１），（２）を行っている間ではなく、繰り返し再生処理を実行可能な状態にある場合（ＯｎＡｉｒモード時）において、常にその旨を表示するようにしても良い。
【０１１８】
以上説明したとおり、本発明の第１実施形態によれば、ＯｎＡｉｒ状態であることを示すＯｎＡｉｒ信号を、ミキサー装置２０から、再生信号の入力源となるプレーヤー１０に対して出力するため、ユーザーは、プレーヤー１０側で、そのプレーヤー１０の再生信号がＯｎＡｉｒ状態であることを判断することができる。また、ＯｎＡｉｒ信号には、出力レベル信号が含まれおり、プレーヤー１０は、当該出力レベル信号に基づいて、ジョグＬＥＤ１２ｂの輝度を変化させるため、当該ジョグＬＥＤ１２ｂの表示輝度により、プレーヤー１０側で再生中の再生信号の出力レベルについても判断することができる。また、ジョグＬＥＤ１２ｂは、再生中の再生信号のＢＰＭに同期して点滅表示されるため、ユーザーに対し、再生信号のＢＰＭが点滅タイミングとずれることによる違和感を与えることがない。
【０１１９】
また、プレーヤー１０は、ＯｎＡｉｒモード時において、所定の操作子の機能を制限するため、ユーザーの誤操作を確実に防止することができる。また、所定の操作子の機能を制限している旨を表示部１１に表示することで、ユーザーが故障などと勘違いすることがない。
【０１２０】
また、ＯｎＡｉｒモード時に、再生信号の再生が中断されるような誤操作が行われた場合や、何らかの原因で次曲のロードが間に合わず、再生中の再生信号が終了間際となった場合でも、繰り返し再生処理（１），（２）により中断を阻止することができる。これにより、本発明の再生システムＳＹがＤＪ機器として用いられた場合などにおいて、楽曲の中断により場の雰囲気を大きく損ねてしまうといった致命的なミスを防止することができる。
【０１２１】
また、ＯｎＡｉｒ情報入力手段１４０は、プレーヤー１０の状態に応じて、誤操作防止制御の制御内容を制限するため、プレーヤー１０の状態に応じて、操作防止制御に含まれる機能（出力レベルの表示、所定の操作子の機能制限、繰り返し再生処理（１），（２）など）のうち、必要でない機能を制限することが可能となる。
【０１２２】
また、ユーザー設定手段１７０により、ＯｎＡｉｒ信号に基づく誤操作防止制御を行うか否か、並びに誤操作防止制御の詳細について、設定可能であるため、ユーザーの使い勝手を向上させることができる。また、プレーヤー１０は、ＯｎＡｉｒ信号が入力されていない場合は、誤操作防止制御を行わないため、不必要な表示が行われたり、不必要に機能が制限されたりすることを防止することができる。
【０１２３】
なお、上記の実施形態では、「再生信号」として音声信号を例示したが、映像信号であっても良い。この場合、出力装置３０は、ディスプレイなどの表示装置となる。
【０１２４】
また、上記の実施形態では、ＯｎＡｉｒ表示手段１５０により、ジョグＬＥＤ１２ｂの輝度を、出力レベル信号に基づいて変化させるものとしたが、表示色や点滅速度など輝度以外の表示形態を変化させても良い。また、ＯｎＡｉｒ表示手段１５０が液晶ディスプレイなどで構成される場合は、表示内容を変化させても良い（対応するチャンネルの出力レベルを、文字（数字）や画像（グラフ）によって表示するなど）。また、出力レベル信号に基づいて変化させる表示形態について、ユーザー設定手段１７０により設定可能としても良い。
【０１２５】
［第２実施形態］
次に、図１６を参照し、本発明の第２実施形態について説明する。上記の第１実施形態では、図８および図９に示した通り、各チャンネルの音量の比に応じて出力レベル信号を生成するものとしたが、本実施形態は、各チャンネルのマスター出力手前の音量に応じて出力レベル信号を生成する点で異なる。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【０１２６】
図１６（ａ）は、本実施形態に係る各チャンネルの出力レベルの計算式を示す図である。同図に示すように、各チャンネルの出力レベル［％］は、各チャンネルのマスター出力手前の音量（図９（ａ）参照）を、マスター出力手前の最大音量で除して、１００を乗算することで得られる。なお、本実施形態では、少なくともマスター出力レベル＞Ｍｉｎであることが前提である。
【０１２７】
図１６（ｂ）は、第２実施形態に係る出力レベル信号の生成工程を示す図である。例えば、ミキサー装置２０の「チャンネル１」〜「チャンネル４」の音量が１５０［ｄＢ］、９０［ｄＢ］、３０［ｄＢ］、０［ｄＢ］の場合であって、マスター出力手前の最大音量が３００［ｄＢ］であった場合、「チャンネル１」〜「チャンネル４」の出力レベルは、５０［％］、３０［％］、１０［％］、０［％］と算出できる。ミキサー装置２０は、これらの出力レベルに基づき、出力レベル信号を生成する。一方、各プレーヤー１０は、ミキサー装置２０から取得した当該出力レベル信号に基づき、ＯｎＡｉｒ表示輝度レベル（ジョグＬＥＤ１２ｂの輝度）を決定する。つまり、「プレーヤー１」〜「プレーヤー４」のＯｎＡｉｒ表示輝度レベルは、５０［％］、３０［％］、１０［％］、０［％］となる。
【０１２８】
図１６（ｃ）は、上記の出力レベル信号を取得した場合の、各プレーヤー１０のジョグＬＥＤ１２ｂの輝度を示す図である。同図に示すように、各チャンネルの出力レベルに応じた輝度で、各プレーヤー１０のジョグＬＥＤ１２ｂが発光する。
【０１２９】
以上説明したとおり、本発明の第２実施形態によれば、各チャンネルのマスター出力手前の音量に応じて出力レベル信号を生成するため、第１実施形態のように、各チャンネルの音量の比に応じて出力レベル信号を生成する場合と比較して、比較演算処理が不要となり、出力レベル信号を生成するための制御負荷を軽減できる。また、これにより、ミキサー装置２０のフェーダー操作が、ジョグＬＥＤ１２ｂの輝度に反映されるまでのレーテンシーが短くなるため、ユーザーの操作性も向上する。
【０１３０】
［第３実施形態］
次に、図１７を参照し、本発明の第３実施形態について説明する。上記の第２実施形態では、各チャンネルのマスター出力手前の音量に応じて出力レベル信号を生成するものとしたが、本実施形態は、各チャンネルのマスター出力後の音量に応じて出力レベル信号を生成する点で異なる。なお、本実施形態においても、第１実施形態と同様の構成部分については同様の符号を付し、詳細な説明を省略する。また、第１実施形態と同様の構成部分について適用される変形例は、本実施形態についても同様に適用される。
【０１３１】
図１７（ａ）は、本実施形態に係る各チャンネルの出力レベルの計算式を示す図である。同図に示すように、各チャンネルの出力レベル［％］は、各チャンネルのマスター出力後の音量（図９（ａ）参照）を、マスター出力後の最大音量で除して、１００を乗算することで得られる。
【０１３２】
図１７（ｂ）は、第３実施形態に係る出力レベル信号の生成工程を示す図である。例えば、ミキサー装置２０の「チャンネル１」〜「チャンネル４」の音量が１５０［ｄＢ］、９０［ｄＢ］、３０［ｄＢ］、０［ｄＢ］の場合であって、マスター出力後の最大音量が６００［ｄＢ］であった場合、「チャンネル１」〜「チャンネル４」の出力レベルは、２５［％］、１５［％］、５［％］、０［％］と算出できる。ミキサー装置２０は、これらの出力レベルに基づき、出力レベル信号を生成する。一方、各プレーヤー１０は、ミキサー装置２０から取得した当該出力レベル信号に基づき、ＯｎＡｉｒ表示輝度レベル（ジョグＬＥＤ１２ｂの輝度）を決定する。つまり、「プレーヤー１」〜「プレーヤー４」のＯｎＡｉｒ表示輝度レベルは、２５［％］、１５［％］、５［％］、０［％］となる。
【０１３３】
図１７（ｃ）は、上記の出力レベル信号を取得した場合の、各プレーヤー１０のジョグＬＥＤ１２ｂの輝度を示す図である。同図に示すように、第２実施形態と比較して、各プレーヤー１０のジョグＬＥＤ１２ｂの輝度が全体的に低くなり、暗めの表示となる。
【０１３４】
以上説明したとおり、本発明の第３実施形態によれば、各チャンネルのマスター出力後の音量に応じて出力レベル信号を生成するため、第２実施形態と比較して、ミキサー装置２０の出力レベルを正確に表現することができる。
【０１３５】
なお、上記第１実施形態〜第３実施形態にて、３つの出力レベル信号の生成方法を示したが、これらのうち、いずれの方法を用いて出力レベル信号を生成するかについて、ユーザー設定手段１７０により設定可能としても良い。また、３つの出力レベル信号の生成方法にて算出された出力レベルの値を２つ以上組み合わせて新たなパラメータを生成し、当該パラメータに基づいて、出力レベル信号を生成するようにしても良い。
【０１３６】
また、上記の各実施形態に示したプレーヤー１０やミキサー装置２０の各構成要素をプログラムとして提供することも可能である。また、そのプログラムを各種記録媒体（ＣＤ−ＲＯＭ、フラッシュメモリ等）に格納して提供することも可能である。すなわち、コンピューターをプレーヤー１０やミキサー装置２０の各構成要素として機能させるためのプログラム、およびそれを記録した記録媒体も、本発明の権利範囲に含まれるものである。
【０１３７】
また、上記の実施形態に示したプレーヤー１０やミキサー装置２０を、ＤＪ機器以外の電子楽器やコンピューターに適用するなど、本発明の要旨を逸脱しない範囲で、適宜変更も可能である。
【符号の説明】
【０１３８】
１０…プレーヤー  １１…表示部  １２…ジョグダイヤル  １２ｂ…ジョグＬＥＤ  １３…ＣＤ挿入口  １３ａ…ＣＤ用イジェクトボタン  １４…ＵＳＢメモリスロット  １４ａ…ＵＳＢメモリ用イジェクトボタン  １５…ＳＤメモリカードスロット  １５ａ…ＳＤメモリカード用イジェクトボタン  ２０…ミキサー装置  ２１…チャンネル切替スイッチ  ２２…トリム調整ツマミ  ２５…チャンネルフェーダー  ２６…クロスフェーダーアサインスイッチ  ２７…クロスフェーダー  ２８…マスター出力レベル調整ツマミ  ３０…出力装置  ３１…アンプ  ３２…スピーカー  Ｂ…内部メモリバッファ  Ｄ…デバイス  ＳＹ…再生システム
【手続補正２】
【補正対象書類名】特許請求の範囲
【補正対象項目名】全文
【補正方法】変更
【補正の内容】
【特許請求の範囲】
【請求項１】
１以上の入力源と接続され、当該入力源から入力された再生信号を出力装置に対して出力させる制御装置であって、
前記１以上の入力源のうち少なくとも１つの入力源から、前記再生信号を入力させる入力手段と、
前記入力手段により入力された前記再生信号を、前記出力装置に対して出力させる出力手段と、
前記出力手段により前記再生信号が前記出力装置に出力されていることを示すＯｎＡｉｒ情報を、当該再生信号の入力源に対して出力するＯｎＡｉｒ情報出力手段と、を備えたことを特徴とする制御装置。
【請求項２】
前記ＯｎＡｉｒ情報出力手段は、前記ＯｎＡｉｒ情報の一部として、前記再生信号の出力レベルに関する出力レベル情報を、当該再生信号の入力源に対して出力することを特徴とする請求項１に記載の制御装置。
【請求項３】
前記出力レベル情報は、前記出力装置に対して出力される１以上の再生信号の出力レベル比、マスター出力レベル調整前の各再生信号の出力レベル、マスター出力レベル調整後の各再生信号の出力レベルのうち、少なくとも一つに基づいて生成された情報であることを特徴とする請求項２に記載の制御装置。
【請求項４】
出力装置と接続された制御装置に対し、再生信号を出力するプレーヤーであって、
前記再生信号を、前記制御装置に応じて出力する出力手段と、
前記出力手段により出力された再生信号が前記出力装置に対して出力されていることを示すＯｎＡｉｒ情報を、前記制御装置から入力するＯｎＡｉｒ情報入力手段と、
前記ＯｎＡｉｒ情報が入力された場合、誤操作を防止するための所定の制御を行う制御手段と、を備えたことを特徴とするプレーヤー。
【請求項５】
前記制御手段は、前記所定の制御として、前記ＯｎＡｉｒ情報の入力の有無に基づいて表示形態が変化するＯｎＡｉｒ表示手段の表示制御を行うことを特徴とする請求項４に記載のプレーヤー。
【請求項６】
前記ＯｎＡｉｒ情報は、前記出力装置に対して出力されている前記再生信号の出力レベルに関する出力レベル情報を含み、
前記制御手段は、前記出力レベル情報に基づいて、前記ＯｎＡｉｒ表示手段の表示形態を変化させることを特徴とする請求項５に記載のプレーヤー。
【請求項７】
前記制御手段は、前記ＯｎＡｉｒ情報が入力されている状態で再生中の再生信号の残り再生時間が所定時間以内になった場合、前記ＯｎＡｉｒ表示手段の表示形態を変化させることを特徴とする請求項５に記載のプレーヤー。
【請求項８】
前記制御手段は、前記表示形態として、前記ＯｎＡｉｒ表示手段の表示色、輝度、表示内容、点滅速度のうち、少なくとも一つを変化させることを特徴とする請求項５に記載のプレーヤー。
【請求項９】
前記再生信号は音声信号を含み、
前記制御手段は、再生中の前記再生信号のＢＰＭに同期して、前記ＯｎＡｉｒ表示手段を点滅させることを特徴とする請求項５に記載のプレーヤー。
【請求項１０】
前記制御手段は、前記所定の制御として、所定の機能を制限することを特徴とする請求項４に記載のプレーヤー。
【請求項１１】
前記制御手段は、前記所定の機能を制限する、または制限している場合、その理由および制限解除の判断をユーザーに促す内容の少なくとも一方を、文字または画像を表示可能な情報表示手段に表示させることを特徴とする請求項１０に記載のプレーヤー。
【請求項１２】
前記制御手段は、前記所定の制御として、前記ＯｎＡｉｒ情報が入力されている状態で所定の操作が行われた場合、再生中の再生信号の少なくとも一部を繰り返し再生することを特徴とする請求項４に記載のプレーヤー。
【請求項１３】
前記制御手段は、前記ＯｎＡｉｒ情報が入力された場合、当該ＯｎＡｉｒ情報が入力されていない場合と比較して、前記再生信号のバッファ量を多くし、前記所定の操作が行われた場合、バッファリングしておいた再生信号の少なくとも一部を繰り返し再生することを特徴とする請求項１２に記載のプレーヤー。
【請求項１４】
前記制御手段は、前記所定の制御として、前記ＯｎＡｉｒ情報が入力されている状態で再生中の再生信号の残り再生時間が所定時間以内になった場合、再生中の再生信号の少なくとも一部を繰り返し再生することを特徴とする請求項４に記載のプレーヤー。
【請求項１５】
前記制御手段は、前記繰り返し再生を行う、または行っている場合、その旨およびその理由の少なくとも一方を、文字または画像を表示可能な情報表示手段に表示させることを特徴とする請求項１２または１４に記載のプレーヤー。
【請求項１６】
前記ＯｎＡｉｒ情報入力手段は、プレーヤーの状態に応じて、前記所定の制御の制御内容を制限することを特徴とする請求項４に記載のプレーヤー。
【請求項１７】
前記ＯｎＡｉｒ情報に基づいて前記所定の制御を行うか否かを設定するユーザー設定手段をさらに備えたことを特徴とする請求項４に記載のプレーヤー。
【請求項１８】
前記制御手段は、前記ＯｎＡｉｒ情報が入力されていない場合、前記所定の制御を行わないことを特徴とする請求項４に記載のプレーヤー。
【請求項１９】
１以上の入力源と、当該入力源から入力された再生信号を出力装置に対して出力させる制御装置と、を有する再生システムであって、
前記制御装置は、
前記１以上の入力源のうち少なくとも１つの入力源から、前記再生信号を入力させる入力手段と、
前記入力手段により入力された前記再生信号を、前記出力装置に対して出力させる出力手段と、
前記出力手段により前記再生信号が前記出力装置に出力されていることを示すＯｎＡｉｒ情報を、当該再生信号の入力源に対して出力するＯｎＡｉｒ情報出力手段と、を備え、
前記入力源は、
前記再生信号を、前記制御装置に応じて出力する出力手段と、
前記ＯｎＡｉｒ情報を、前記制御装置から入力するＯｎＡｉｒ情報入力手段と、
前記ＯｎＡｉｒ情報が入力された場合、誤操作を防止するための所定の制御を行う制御手段と、を備えたことを特徴とする再生システム。
【請求項２０】
１以上の入力源と接続され、当該入力源から入力された再生信号を出力装置に対して出力させる制御装置の制御方法であって、
前記制御装置が、
前記１以上の入力源のうち少なくとも１つの入力源から、前記再生信号を入力するステップと、
入力された前記再生信号を、前記出力装置に対して出力させるステップと、
前記再生信号が前記出力装置に出力されていることを示すＯｎＡｉｒ情報を、当該再生信号の入力源に対して出力するステップと、を実行することを特徴とする制御装置の制御方法。
【請求項２１】
出力装置と接続された制御装置に対し、再生信号を出力するプレーヤーの制御方法であって、
前記プレーヤーが、
前記再生信号を、前記制御装置に応じて出力するステップと、
プレーヤーが出力した再生信号が前記出力装置に対して出力されていることを示すＯｎＡｉｒ情報を、前記制御装置から入力するステップと、
前記ＯｎＡｉｒ情報が入力された場合、誤操作を防止するための所定の制御を行うステップと、を実行することを特徴とするプレーヤーの制御方法。
【請求項２２】
コンピューターに、請求項２０に記載の制御装置の制御方法における各ステップ、および請求項２１に記載のプレーヤーの制御方法における各ステップの少なくとも一方を実行させるためのプログラム。
【手続補正書】
【提出日】平成23年5月11日(2011.5.11)
【手続補正１】
【補正対象書類名】明細書
【補正対象項目名】全文
【補正方法】変更
【補正の内容】
【発明の詳細な説明】
【技術分野】
【０００１】
１以上のプレーヤーと接続され、当該プレーヤーにより再生された再生信号を出力装置に対して出力するミキサー装置、プレーヤー、音声制御システム、ミキサー装置の制御方法、プレーヤーの制御方法、音声制御システムの制御方法およびプログラムに関するものである。
【背景技術】
【０００２】
ミキサー装置は、一般的に、複数のプレーヤーと接続され、各プレーヤーにより再生された再生信号（例えば、音声信号）を混合して、アンプおよびスピーカー等の出力装置に出力する。この種のミキサー装置やプレーヤーは、クラブ等においてＤＪ機器（ディスクジョッキー（ＤＪ）が音響パフォーマンスに用いる機器）として用いられることが多い（例えば、特許文献１参照）。このため、あるプレーヤーの再生中に、非再生中の別のプレーヤーで曲の入れ替えを行うといった操作が頻繁に行われる。
【先行技術文献】
【特許文献】
【０００３】
【特許文献１】特開２００２−３２９３８７号公報
【発明の概要】
【発明が解決しようとする課題】
【０００４】
ところで、上記のように、プレーヤーの再生信号を、ミキサー装置を介して出力する形態の場合、ユーザー（操作者）は、その再生信号がＯｎＡｉｒ状態であるか否か（ミキサー装置から出力装置に対して出力されているか否か）について、ミキサー装置のフェーダー等の操作子の状態で判断する。つまり、プレーヤー側では、そこから出力された再生信号が実際に再生されているか否かを識別することができない。このため、ＯｎＡｉｒ状態であるにも拘わらず、プレーヤー側で、再生中断、次曲のロード、デバイスのイジェクト操作などの誤操作が行われる可能性があった。このような誤操作が行われると、楽曲が中断され、演奏に支障をきたしてしまう。特に、クラブ等でＤＪ機器として用いられる場合は、場の雰囲気を大きく損ねることになり、致命的な問題である。
【０００５】
本発明は、上記の問題点に鑑み、プレーヤーで再生中の再生信号がＯｎＡｉｒ状態であるか否かをプレーヤー側で識別することができ、ひいてはユーザーによるプレーヤーの誤操作を防止することができるミキサー装置、プレーヤー、音声制御システム、ミキサー装置の制御方法、プレーヤーの制御方法、音声制御システムの制御方法およびプログラムを提供することを目的とする。
【課題を解決するための手段】
【０００６】
本発明のミキサー装置は、１以上のプレーヤーと接続され、当該プレーヤーから入力された再生信号を出力装置に対して出力させるミキサー装置であって、１以上のプレーヤーのうち少なくとも１つのプレーヤーから、再生信号を入力させる入力手段と、入力手段により入力された再生信号を、出力装置に対して出力させる出力手段と、出力手段による再生信号の出力レベルに関する出力レベル情報を含むＯｎＡｉｒ情報を、当該再生信号の入力源となるプレーヤーに対して出力するＯｎＡｉｒ情報出力手段と、を備えたことを特徴とする。
上記に記載のミキサー装置において、出力レベル情報は、出力装置に対して出力される１以上の再生信号の出力レベル比、マスター出力レベル調整前の各再生信号の出力レベル、マスター出力レベル調整後の各再生信号の出力レベルのうち、少なくとも一つに基づいて生成された情報であることを特徴とする。
本発明のプレーヤーは、出力装置と接続されたミキサー装置に対し、再生信号を出力するプレーヤーであって、再生信号を、ミキサー装置に応じて出力する出力手段と、出力手段により出力された再生信号がミキサー装置により出力装置に対して出力されていることを示すＯｎＡｉｒ情報を、ミキサー装置から入力するＯｎＡｉｒ情報入力手段と、ＯｎＡｉｒ情報の入力の有無に基づいて、表示形態が変化する表示手段の表示制御を行う制御手段と、を備え、制御手段は、表示形態として、表示手段の表示色、輝度、表示内容、点滅速度のうち、少なくとも一つを変化させることを特徴とする。
上記に記載のプレーヤーにおいて、ＯｎＡｉｒ情報は、出力装置に対して出力されている再生信号の出力レベルに関する出力レベル情報を含み、制御手段は、出力レベル情報に基づいて、表示手段の表示形態を変化させることを特徴とする。
上記に記載のプレーヤーにおいて、再生信号は音声信号を含み、制御手段は、再生中の再生信号のＢＰＭに同期して、表示手段を点滅させることを特徴とする。
上記に記載のプレーヤーにおいて、制御手段は、所定の制御として、所定の機能を制限することを特徴とする。
上記に記載のプレーヤーにおいて、制御手段は、ＯｎＡｉｒ情報が入力された場合、プレーヤーの状態に応じて、所定の制御の制御内容を制限することを特徴とする。
本発明の、音声制御システムは、音声信号の再生を指示するプレイ操作子と、ＯｎＡｉｒ状態か否かを表示する表示手段と、を備えた複数のプレーヤー部と、複数のプレーヤー部の各音声信号の音量レベルを調整するためのチャンネルフェーダー操作子と、各音声信号の混合率を調整するためのクロスフェーダー操作子と、を備えたミキサー部と、から成る音声制御システムであって、ミキサー部において、複数のプレーヤー部のうち１のプレーヤー部のチャンネルフェーダー操作子の音量レベルが所定のしきい値を超え、且つクロスフェーダー操作子の１のプレーヤー部の混合率が所定のしきい値を超えている場合に、１のプレーヤー部の表示手段は、ＯｎＡｉｒ状態であることを表示することを特徴とする。
本発明のミキサー装置の制御方法は、１以上のプレーヤーと接続され、当該プレーヤーから入力された再生信号を出力装置に対して出力させるミキサー装置の制御方法であって、ミキサー装置が、１以上のプレーヤーのうち少なくとも１つのプレーヤーから、再生信号を入力するステップと、入力された再生信号を、出力装置に対して出力するステップと、再生信号の出力レベルに関する出力レベル情報を含むＯｎＡｉｒ情報を、当該再生信号の入力源となるプレーヤーに対して出力するステップと、を実行することを特徴とする。
本発明のプレーヤーの制御方法は、出力装置と接続されたミキサー装置に対し、再生信号を出力するプレーヤーの制御方法であって、プレーヤーが、再生信号を、ミキサー装置に応じて出力するステップと、プレーヤーが出力した再生信号がミキサー装置により出力装置に対して出力されていることを示すＯｎＡｉｒ情報を、ミキサー装置から入力するステップと、ＯｎＡｉｒ情報の入力の有無に基づいて、表示形態が変化する表示手段の表示制御を行うステップと、を実行し、表示制御を行うステップでは、表示形態として、表示手段の表示色、輝度、表示内容、点滅速度のうち、少なくとも一つを変化させることを特徴とする。
本発明の音声制御システムの制御方法は、音声信号の再生を指示するプレイ操作子と、ＯｎＡｉｒ状態か否かを表示する表示手段と、を備えた複数のプレーヤー部と、複数のプレーヤー部の各音声信号の音量レベルを調整するためのチャンネルフェーダー操作子と、各音声信号の混合率を調整するためのクロスフェーダー操作子と、を備えたミキサー部と、から成る音声制御システムの制御方法であって、ミキサー部において、複数のプレーヤー部のうち１のプレーヤー部のチャンネルフェーダー操作子の音量レベルが所定のしきい値を超え、且つクロスフェーダー操作子の１のプレーヤー部の混合率が所定のしきい値を超えている場合、１のプレーヤー部の表示手段に、ＯｎＡｉｒ状態であることを表示させることを特徴とする。
本発明のプログラムは、コンピューターに、上記に記載のミキサー装置の制御方法における各ステップ、上記に記載のプレーヤーの制御方法における各ステップ、上記に記載の音声制御システムの制御方法における各ステップ、のうちいずれかを実行させることを特徴とする。
なお、以下の構成としても良い。
本発明のミキサー装置は、１以上のプレーヤーと接続され、当該プレーヤーにより再生された再生信号を出力装置に対して出力するミキサー装置であって、１以上のプレーヤーのうち少なくとも１つのプレーヤーから、再生信号を入力する再生信号入力手段と、再生信号入力手段により入力された再生信号を、出力装置に対して出力する再生信号出力手段と、再生信号出力手段により再生信号を出力装置に対して出力していることを示すＯｎＡｉｒ情報を、当該再生信号の入力源となるプレーヤーに対して出力するＯｎＡｉｒ情報出力手段と、を備えたことを特徴とする。
【０００７】
本発明のプレーヤーは、出力装置と接続されたミキサー装置に対し、再生信号を出力するプレーヤーであって、再生信号を、ミキサー装置に対して出力する再生信号出力手段と、再生信号出力手段により出力した再生信号がミキサー装置により出力装置に対して出力されていることを示すＯｎＡｉｒ情報を、ミキサー装置から入力するＯｎＡｉｒ情報入力手段と、ＯｎＡｉｒ情報入力手段により入力されたＯｎＡｉｒ情報に基づいて、誤操作を防止するための所定の制御を行う制御手段と、を備えたことを特徴とする。
【０００８】
これらの構成によれば、ミキサー装置が、プレーヤーから入力された再生信号を出力装置に対して出力していること（ＯｎＡｉｒ状態であること）を示すＯｎＡｉｒ情報を、当該再生信号の入力源となるプレーヤーに対して出力するため、プレーヤーで再生中の再生信号がＯｎＡｉｒ状態であるか否かをプレーヤー側で識別することができる。また、プレーヤーが、入力されたＯｎＡｉｒ情報に基づいて所定の制御を行うことで、ユーザーの誤操作を防止することができる。
なお、「再生信号」は、音声信号および映像信号のいずれであっても良い。
また、「再生中」とは、プレーヤー側で再生が行われていること（プレーヤーからミキサー装置に対して再生信号が出力されていること）を意味するものであり、ミキサー装置により出力装置に対して再生信号が出力されていることを示す「ＯｎＡｉｒ状態」とは異なる。
また、「ＯｎＡｉｒ情報」は、出力レベルが所定の出力レベル以上または所定の出力レベルを超えて外部出力されていることを示すものであっても良い。この場合、所定の出力レベルは、Ｍｉｎ（最小値）であっても良い。
【０００９】
上記に記載のミキサー装置において、ＯｎＡｉｒ情報出力手段は、ＯｎＡｉｒ情報の一部として、再生信号の出力レベルに関する出力レベル情報を、当該再生信号の入力源となるプレーヤーに対して出力することを特徴とする。
【００１０】
上記に記載のプレーヤーにおいて、制御手段は、所定の制御として、ＯｎＡｉｒ情報の入力の有無に基づいて表示形態が変化するＯｎＡｉｒ表示手段の表示制御を行うことを特徴とする。
【００１１】
上記に記載のプレーヤーにおいて、ＯｎＡｉｒ情報は、ミキサー装置により出力装置に対して出力されている再生信号の出力レベルに関する出力レベル情報を含み、制御手段は、出力レベル情報に基づいて、ＯｎＡｉｒ表示手段の表示形態を変化させることを特徴とする。
【００１２】
これらの構成によれば、ミキサー装置により出力装置に対して再生信号が出力されているか否か、および再生信号の出力レベルを、プレーヤー側で識別することができる。また、ＯｎＡｉｒ表示手段の表示により、ユーザーも、プレーヤー側で再生中の再生信号の出力の有無や出力レベルを判断することができ、操作性の向上が期待できる。
【００１３】
上記に記載のミキサー装置において、出力レベル情報は、出力装置に対して出力される１以上の再生信号の出力レベル比、マスター出力レベル調整前の各再生信号の出力レベル、マスター出力レベル調整後の各再生信号の出力レベルのうち、少なくとも一つに基づいて生成された情報であることを特徴とする。
【００１４】
この構成によれば、出力装置に対して出力される１以上の再生信号の出力レベル比、マスター出力レベル調整前の各再生信号の出力レベル、マスター出力レベル調整後の各再生信号の出力レベルのうち、いずれかの項目または複数の項目を示すパラメータを用いて、出力レベル情報を生成することができる。
なお、どの項目を示すパラメータを用いて出力レベル情報を生成するかについて、ユーザーが設定（選択）可能としても良い。
【００１５】
上記に記載のプレーヤーにおいて、制御手段は、ＯｎＡｉｒ情報が入力されている状態で再生中の再生信号の残り再生時間が所定時間以内になった場合、ＯｎＡｉｒ表示手段の表示形態を変化させることを特徴とする。
【００１６】
この構成によれば、再生中の再生信号が残り僅かとなったことを、ユーザーが確認することができる。
【００１７】
上記に記載のプレーヤーにおいて、制御手段は、表示形態として、ＯｎＡｉｒ表示手段の表示色、輝度、表示内容、点滅速度のうち、少なくとも一つを変化させることを特徴とする。
【００１８】
この構成によれば、ユーザーは、ＯｎＡｉｒ表示手段の表示色、輝度、表示内容、点滅速度などから、プレーヤーで再生中の再生信号の出力の有無、出力レベルおよび残り再生時間などを判断することができる。
なお、ＯｎＡｉｒ情報や出力レベル情報に基づいて変化させる表示形態について、ユーザーが設定可能としても良い。
【００１９】
上記に記載のプレーヤーにおいて、再生信号は音声信号を含み、制御手段は、再生中の再生信号のＢＰＭに同期して、ＯｎＡｉｒ表示手段を点滅させることを特徴とする。
【００２０】
この構成によれば、ＯｎＡｉｒ表示手段が再生信号（音声信号）のＢＰＭに同期して点滅するため、再生信号のＢＰＭが点滅タイミングとずれることによって、演奏中のユーザーに違和感を与えることがない。
なお、ＢＰＭの解析は、プレーヤー側で行っても良いし、ミキサー装置側で行っても良い。また、プレーヤーやミキサー装置でＢＰＭの解析を行うのではなく、予めＢＰＭ解析されたデータを利用しても良い。
【００２１】
上記に記載のプレーヤーにおいて、制御手段は、所定の制御として、ＯｎＡｉｒ情報が入力されている場合、所定の操作子の機能を制限することを特徴とする。
【００２２】
この構成によれば、再生信号が再生中の場合、再生中に行われるべきではない所定の操作子の機能を制限することで、ユーザーの誤操作を防止することができる。
なお、「所定の操作子の機能」とは、再生中の再生信号が記録されているデバイスのイジェクト、他曲のロード、再生中断、スキップ操作など、再生に支障をきたす恐れのある機能を指す。
また、制限対象となる「所定の操作子」、または「所定の操作子の機能」を、ユーザーが設定可能としても良い。後者については、１つの操作子に複数の機能が割り当てられている場合、そのうちの一部の機能を制限したい場合に有用である。
【００２３】
上記に記載のプレーヤーにおいて、制御手段は、所定の操作子の機能を制限する、または制限している場合、その理由および制限解除の判断をユーザーに促す内容の少なくとも一方を、文字または画像を表示可能な情報表示手段に表示させることを特徴とする。
【００２４】
この構成によれば、所定の操作子の機能を制限する前、または所定の操作子の操作が行われた場合などにおいて、ユーザーに対してその理由を報知したり、制限解除の判断を委ねたりすることができる。
なお、これらの表示を行うか否か、表示タイミング（所定の操作子の機能を制限する前と制限した時とのいずれのタイミングで表示させるか）、表示内容、などについて、ユーザーが設定可能としても良い。
【００２５】
上記に記載のプレーヤーにおいて、制御手段は、所定の制御として、ＯｎＡｉｒ情報が入力されている状態で所定の操作が行われた場合、再生中の再生信号の少なくとも一部を繰り返し再生することを特徴とする。
【００２６】
この構成によれば、再生信号の再生中に、誤って再生信号の再生が中断されるような操作が行われた場合でも、繰り返し再生により中断を阻止することができる。これにより、本発明のプレーヤーがＤＪ機器として用いられた場合などにおいて、楽曲の中断により場の雰囲気を大きく損ねてしまうといった致命的なミスを防止することができる。
なお、「所定の操作」とは、再生中の再生信号が記録されているデバイスのイジェクト、他曲のロード、再生中断、スキップ操作など、再生信号の再生が中断されるような操作を指す。
また、「所定の操作」として、どのような操作が行われたときに繰り返し再生を行うかについて、ユーザーが設定可能としても良い。
【００２７】
上記に記載のプレーヤーにおいて、制御手段は、ＯｎＡｉｒ情報が入力されている場合、当該ＯｎＡｉｒ情報が入力されていない場合と比較して、再生信号のバッファ量を多くし、所定の操作が行われた場合、バッファリングしておいた再生信号の少なくとも一部を繰り返し再生することを特徴とする。
【００２８】
この構成によれば、再生信号の再生中は、誤操作によって繰り返し再生を行う可能性があるため、それに備えてバッファ量を多くしておくことで、誤操作が行われた場合に、違和感の無い長さ（例えば、４拍分以上）で繰り返し再生を行うことができる。また、バッファリングしておいた再生信号を用いることで、再生中の再生信号が記録されているデバイスのイジェクトが行われた場合でも、支障なく繰り返し再生することができる。
なお、再生中における再生信号のバッファ量、非再生中における再生信号のバッファ量、残ったバッファ量のどのタイミングから繰り返し再生させるか、繰り返し再生期間、などについて、ユーザーが設定可能としても良い。
【００２９】
上記に記載のプレーヤーにおいて、制御手段は、所定の制御として、ＯｎＡｉｒ情報が入力されている状態で再生中の再生信号の残り再生時間が所定時間以内になった場合、再生中の再生信号の少なくとも一部を繰り返し再生することを特徴とする。
【００３０】
この構成によれば、何らかの原因で次曲のロードが間に合わなかった場合でも、繰り返し再生により楽曲の中断を阻止することができる。これにより、本発明のプレーヤーがＤＪ機器として用いられた場合などにおいて、楽曲の中断により場の雰囲気を大きく損ねてしまうといった致命的なミスを防止することができる。
なお、「所定時間」、「再生中の再生信号の少なくとも一部」に相当する繰り返し再生期間、などについて、ユーザーが設定可能としても良い。
【００３１】
上記に記載のプレーヤーにおいて、制御手段は、繰り返し再生を行う、または行っている場合、その旨およびその理由の少なくとも一方を、文字または画像を表示可能な情報表示手段に表示させることを特徴とする。
【００３２】
この構成によれば、繰り返し再生を行う前、または繰り返し再生を行っている間において、ユーザーに対し、その旨またはその理由を報知することができる。
なお、これらの表示を行うか否か、表示タイミング（繰り返し再生を行う前、または繰り返し再生を行っている間とのいずれのタイミングで表示させるか）、表示内容、などについて、ユーザーが設定可能としても良い。
【００３３】
上記に記載のプレーヤーにおいて、ＯｎＡｉｒ情報入力手段は、プレーヤーの状態に応じて、所定の制御の制御内容を制限することを特徴とする。
【００３４】
この構成によれば、例えば、プレーヤーが再生中でない場合は、所定の操作子の機能制限は無効にしつつ、ＯｎＡｉｒ表示手段の表示は有効にしてＯｎＡｉｒ状態であることを示す、などの制御が可能となる。
【００３５】
上記に記載のプレーヤーにおいて、ＯｎＡｉｒ情報に基づいて所定の制御を行うか否かを設定するユーザー設定手段をさらに備えたことを特徴とする。
【００３６】
この構成によれば、ＯｎＡｉｒ情報に基づく制御を行うか否か（本発明の構成を適用するか、ＯｎＡｉｒ情報が入力されない従来の構成を適用するか）を、ユーザーのニーズや使用用途に応じて設定することができる。
【００３７】
上記に記載のプレーヤーにおいて、制御手段は、ＯｎＡｉｒ情報入力手段によりＯｎＡｉｒ情報が入力されていない場合、所定の制御を行わないことを特徴とする。
【００３８】
この構成によれば、ＯｎＡｉｒ情報が入力されていない場合は、誤操作を防止するための所定の制御を行わないため、不必要な表示が行われたり、不必要に機能が制限されたりすることがない。
【００３９】
本発明の再生システムは、１以上のプレーヤーと、当該プレーヤーにより再生された再生信号を出力装置に対して出力するミキサー装置と、を有する再生システムであって、ミキサー装置は、１以上のプレーヤーのうち少なくとも１つのプレーヤーから、再生信号を入力する再生信号入力手段と、再生信号入力手段により入力された再生信号を、出力装置に対して出力する再生信号出力手段と、再生信号出力手段により再生信号を出力装置に対して出力していることを示すＯｎＡｉｒ情報を、当該再生信号の入力源となるプレーヤーに対して出力するＯｎＡｉｒ情報出力手段と、を備え、プレーヤーは、再生信号を、ミキサー装置に対して出力する再生信号出力手段と、ＯｎＡｉｒ情報を、ミキサー装置から入力するＯｎＡｉｒ情報入力手段と、ＯｎＡｉｒ情報入力手段により入力されたＯｎＡｉｒ情報に基づいて、誤操作を防止するための所定の制御を行う制御手段と、を備えたことを特徴とする。
【００４０】
本発明のミキサー装置の制御方法は、１以上のプレーヤーと接続され、当該プレーヤーにより再生された再生信号を出力装置に対して出力するミキサー装置の制御方法であって、ミキサー装置が、１以上のプレーヤーのうち少なくとも１つのプレーヤーから、再生信号を入力するステップと、入力された再生信号を、出力装置に対して出力するステップと、再生信号を出力装置に対して出力していることを示すＯｎＡｉｒ情報を、当該再生信号の入力源となるプレーヤーに対して出力するステップと、を実行することを特徴とする。
【００４１】
本発明のプレーヤーの制御方法は、出力装置と接続されたミキサー装置に対し、再生信号を出力するプレーヤーの制御方法であって、プレーヤーが、再生信号を、ミキサー装置に対して出力するステップと、プレーヤーが出力した再生信号がミキサー装置により出力装置に対して出力されていることを示すＯｎＡｉｒ情報を、ミキサー装置から入力するステップと、入力されたＯｎＡｉｒ情報に基づいて、誤操作を防止するための所定の制御を行うステップと、を実行することを特徴とする。
【００４２】
本発明のプログラムは、コンピューターに、上記に記載のミキサー装置の制御方法における各ステップ、および上記に記載のプレーヤーの制御方法における各ステップの少なくとも一方を実行させるためのものであることを特徴とする。
【００４３】
これらの構成によれば、プレーヤーで再生中の再生信号がＯｎＡｉｒ状態であるか否かをプレーヤー側で識別することができ、ひいてはユーザーによるプレーヤーの誤操作を防止することができる再生システム、ミキサー装置の制御方法、プレーヤーの制御方法およびプログラムを提供することができる。
【図面の簡単な説明】
【００４４】
【図１】本発明の一実施形態に係る再生システムのシステム構成図である。
【図２】プレーヤーを上側から見た平面図である。
【図３】ミキサー装置を上側から見た平面図である。
【図４】再生システムの機能ブロック図である。
【図５】ミキサー装置のＯｎＡｉｒ信号送信に関するメイン処理を示すフローチャートである。
【図６】ミキサー装置の出力レベル検出処理を示すフローチャートである。
【図７】プレーヤーのメイン処理を示すフローチャートである。
【図８】ミキサー装置のＯｎＡｉｒ信号送信処理を示すフローチャートである。
【図９】第１実施形態に係る出力レベル信号の生成に関する説明図である。
【図１０】プレーヤーの操作子機能制限処理を示すフローチャートである。
【図１１】プレーヤーの繰り返し再生処理（１）を示すフローチャートである。
【図１２】繰り返し再生に関する説明図である。
【図１３】プレーヤーの繰り返し再生処理（１）の基本形を示すフローチャートである。
【図１４】プレーヤーの繰り返し再生処理（２）を示すフローチャートである。
【図１５】プレーヤーの繰り返し再生処理（２）の基本形を示すフローチャートである。
【図１６】第２実施形態に係る出力レベル信号の生成に関する説明図である。
【図１７】第３実施形態に係る出力レベル信号の生成に関する説明図である。
【発明を実施するための形態】
【００４５】
以下、本発明の一実施形態に係るミキサー装置、プレーヤー、音声制御システム、ミキサー装置の制御方法、プレーヤーの制御方法、音声制御システムの制御方法およびプログラムについて、添付図面を参照しながら詳細に説明する。本実施形態では、本発明のミキサー装置やプレーヤーを、ＤＪが音楽パフォーマンスを行うためのＤＪ機器に適用した場合を例示する。
【００４６】
［第１実施形態］
図１は、再生システムＳＹ（音声制御システム）のシステム構成図である。同図に示すように、再生システムＳＹは、１台以上のプレーヤー１０（入力源）と、当該プレーヤー１０により再生された再生信号（音声信号）の出力制御を行うミキサー装置２０と、当該ミキサー装置２０から出力された再生信号を外部に出力する出力装置３０と、を備えている。
【００４７】
プレーヤー１０は、ＣＤ、ＵＳＢメモリ、ＳＤメモリカードなどの各種デバイスＤを挿入可能となっており、これらの各デバイスＤから楽曲（音声データ）を読み出して再生する。また、ジョグダイヤル１２などの操作子を有し、ユーザーの操作に基づいて、再生状態の調節や、エフェクト効果の付加などの再生処理を行う。
【００４８】
ミキサー装置２０は、チャンネルフェーダー２５やクロスフェーダー２７などの操作子を有し、各プレーヤー１０から入力された再生信号の混合処理などを行う。また、ミキサー装置２０は、オーディオケーブル４１およびＯｎＡｉｒ信号送信用ケーブル４２を介して、各プレーヤー１０と接続されている。本実施形態では、１台のミキサー装置２０に４台のプレーヤー１０が接続され、ミキサー装置２０の「チャンネル１」〜「チャンネル４」が、それぞれ「プレーヤー１」〜「プレーヤー４」に対応しているものとする。
【００４９】
オーディオケーブル４１は、プレーヤー１０により再生された再生信号を入力するためのケーブルであり、ＲＣＡケーブルなどが用いられる。また、ＯｎＡｉｒ信号送信用ケーブル４２は、ミキサー装置２０が再生信号を出力装置３０に対して出力していること（ＯｎＡｉｒ状態であること）を示すＯｎＡｉｒ信号（ＯｎＡｉｒ情報）を、その再生信号の入力源となるプレーヤー１０に対して出力するためのケーブルであり、イーサネット（登録商標）ケーブルやＵＳＢケーブルなどが用いられる。
【００５０】
出力装置３０は、アンプ３１と、当該アンプ３１に接続された１台以上のスピーカー３２（図示では、２台）と、を有している。また、出力装置３０は、オーディオケーブル４１を介して、ミキサー装置２０と接続されている。なお、特に図示しないが、プレーヤー１０およびミキサー装置２０には、各ケーブル４１，４２が接続される端子（インターフェース）が設けられている。また、出力装置３０には、オーディオケーブル４１が接続される端子が設けられている。なお、上記の通りプレーヤー１０、ミキサー装置２０および出力装置３０間を有線接続とするのではなく、無線接続としても良い。すなわち、無線通信によって、再生信号やＯｎＡｉｒ信号の送受信を行っても良い。
【００５１】
次に、図２および図３を参照し、プレーヤー１０およびミキサー装置２０の装置構成について簡単に説明する。図２は、プレーヤー１０の装置構成を示す平面図である。プレーヤー１０は、表示部１１、ジョグダイヤル１２、ＣＤ挿入口１３、ＣＤ用イジェクトボタン１３ａ、ＵＳＢメモリスロット１４、ＵＳＢメモリ用イジェクトボタン１４ａ、ＳＤメモリカードスロット１５、ＳＤメモリカード用イジェクトボタン１５ａ、カーソルボタン１６ａ、エンターボタン１６ｂ、トラックサーチボタン１８ａ、マニュアルサーチボタン１８ｂ、キューボタン１８ｃ、プレイ／ポーズボタン１８ｄおよびテンポリセットボタン１８ｅなどを有している。
【００５２】
表示部１１は、液晶ディスプレイなどにより構成され、各種情報を表示する。また、ジョグダイヤル１２は、ジョグダイヤル本体１２ａと、ジョグＬＥＤ１２ｂと、を有する。ジョグダイヤル本体１２ａは、ユーザーにより回転操作が行われるものであり、ジョグＬＥＤ１２ｂは、プレーヤー１０で再生中の再生信号の出力レベルを表示するために用いられる（詳細については、後述する）。ここで、「再生中」とは、プレーヤー１０側で再生が行われていること（プレーヤー１０から再生信号が出力されていること）を意味するものであり、ミキサー装置２０により出力装置３０に対して再生信号が出力されていることを示す「ＯｎＡｉｒ状態」とは異なる。一方、カーソルボタン１６ａおよびエンターボタン１６ｂは、各種設定や選択を行うために用いられる。また、その操作結果は、表示部１１に反映される。
【００５３】
図３は、ミキサー装置２０の装置構成を示す平面図である。ミキサー装置２０は、チャンネル毎に、チャンネル切替スイッチ２１、トリム調整ツマミ２２、チャンネルイコライザ調整ツマミ２３（高音用、中音用、低音用）、チャンネルフェーダー２５およびクロスフェーダーアサインスイッチ２６などを有している。また、装置手前側には、クロスフェーダー２７が設けられ、装置右手奥側には、マスター出力レベル調整ツマミ２８およびマスターレベルインジケーター２９などが設けられている。
【００５４】
チャンネル切替スイッチ２１は、ＣＤ／デジタル入力およびライン入力の２系統のうち、いずれかを選択するための操作子である。また、トリム調整ツマミ２２は、各チャンネルの入力レベルを調整するための操作子である。また、チャンネルイコライザ調整ツマミ２３は、各チャンネルの高音、中音、低音をそれぞれ調整するための操作子である。また、チャンネルフェーダー２５は、各チャンネルの音量レベルを調整するための操作子である。
【００５５】
また、クロスフェーダーアサインスイッチ２６は、各チャンネルの出力を、クロスフェーダー２７の左右（Ａ側またはＢ側）若しくは「スルー」のいずれに割り当てるかを選択するための操作子である。なお、複数のチャンネルが同じ側を選択した場合、それらを加算したものが割り当てられる。また、「スルー」が選択されている場合は、チャンネルフェーダー２５の出力は、クロスフェーダー２７を通らずに、そのままマスター出力に出ていくこととなる。
【００５６】
また、クロスフェーダー２７は、クロスフェーダーアサインスイッチ２６によって左右に割り当てられた各再生信号の混合割合を調整するための操作子である。また、マスター出力レベル調整ツマミ２８は、マスター出力の音量レベルを調整するための操作子である。また、マスターレベルインジケーター２９は、マスター出力レベルをＬＥＤ表示するものである。
【００５７】
なお、プレーヤー１０およびミキサー装置２０には、図２および図３で示したもの以外にも、多数の操作子やインジケーターが設けられているが、本発明とは直接関係しないため、それらの説明を省略する。
【００５８】
次に、図４を参照し、再生システムＳＹ（プレーヤー１０、ミキサー装置２０および出力装置３０）の機能構成について説明する。プレーヤー１０は、主な機能構成として、プレーヤー側制御手段１１０、再生手段１２０、プレーヤー側再生信号出力手段１３０、ＯｎＡｉｒ情報入力手段１４０、ＯｎＡｉｒ表示手段１５０、情報表示手段１６０およびユーザー設定手段１７０を備えている。
【００５９】
プレーヤー側制御手段１１０は、マイコンなどを主な構成要素とし、プレーヤー１０内を統括制御する。プレーヤー側制御手段１１０は、ミキサー装置２０から、ＯｎＡｉｒ状態であることを示すＯｎＡｉｒ信号が入力された場合に、当該ＯｎＡｉｒ信号に基づいて、ユーザーの誤操作を防止するための所定の制御（以下、「誤操作防止制御」と称する）を行う。なお、ＯｎＡｉｒ信号が入力されていない場合は、誤操作防止制御を行わない。誤操作防止制御としては、出力レベルの表示制御、所定の操作子（例えば、イジェクトボタン１３ａ，１４ａ，１５ａ、トラックサーチボタン１８ａ、プレイ／ポーズボタン１８ｄおよびテンポリセットボタン１８ｅなど）の機能制限、繰り返し再生制御、などを行う（後に、詳述する）。
【００６０】
再生手段１２０は、デバイスＤから随時所定量分の音声データを読み出して、内部メモリバッファＢに格納しておき、当該内部メモリバッファＢから読み出した音声データを再生する。なお、デバイスＤのように、プレーヤー１０に着脱可能な記憶媒体に記録されている音声データのみならず、プレーヤー１０に内蔵されたハードディスクのような記憶媒体に記録されている音声データを再生可能としても良い。
【００６１】
プレーヤー側再生信号出力手段１３０は、再生手段１２０により再生されている再生信号を、オーディオケーブル４１を介してミキサー装置２０に出力する。
【００６２】
ＯｎＡｉｒ情報入力手段１４０は、プレーヤー側再生信号出力手段１３０により出力した再生信号がミキサー装置２０により出力装置３０に対して出力されていることを示すＯｎＡｉｒ信号を、ＯｎＡｉｒ信号送信用ケーブル４２を介してミキサー装置２０から入力する。
【００６３】
ＯｎＡｉｒ表示手段１５０は、ジョグＬＥＤ１２ｂを主な構成要素とし、ＯｎＡｉｒ信号に含まれる出力レベル信号（出力レベル情報）に応じた表示を行う。プレーヤー側制御手段１１０は、ＯｎＡｉｒ信号が入力されている場合、当該ＯｎＡｉｒ信号に含まれる出力レベル信号に応じて、ＯｎＡｉｒ表示手段１５０（ジョグＬＥＤ１２ｂ）の輝度を決定し、当該輝度でＯｎＡｉｒ表示手段１５０を点滅させる。また、この場合、プレーヤー側制御手段１１０は、再生中の再生信号のＢＰＭに同期して、ＯｎＡｉｒ表示手段１５０を点滅させる。なお、ＢＰＭの解析は、プレーヤー１０側で行っても良いし、ミキサー装置２０側で行っても良い。また、予めＢＰＭ解析されたデータを利用しても良い。さらに、プレーヤー側制御手段１１０は、再生中の再生信号の残り再生時間が所定時間以内になった場合、ＯｎＡｉｒ表示手段１５０の表示形態を変化させるようにしても良い。例えば、再生信号の残り再生時間が３０秒以内になったとき、ＯｎＡｉｒ表示手段１５０を点灯状態から点滅状態に切り替える、などが考えられる。これにより、ユーザーは、再生中の再生信号が残り僅かとなったことを確認することができる。
【００６４】
情報表示手段１６０は、表示部１１を主な構成要素とし、ＯｎＡｉｒ信号に基づく誤操作防止制御が行われている旨などを表示する。例えば、プレーヤー側制御手段１１０は、ＯｎＡｉｒ信号が入力されていることにより、プレーヤー１０の所定の操作子の機能を制限している場合、その理由や制限解除の判断をユーザーに促す内容などを、情報表示手段１６０に表示させる。また、プレーヤー側制御手段１１０は、ＯｎＡｉｒ信号が入力されていることに伴って、繰り返し再生を行っている場合、その旨およびその理由を、情報表示手段１６０に表示させる。なお、情報表示手段１６０による表示は、文字（テキスト）による表示であっても良いし、記号などの画像による表示であって良い。
【００６５】
ユーザー設定手段１７０は、カーソルボタン１６ａおよびエンターボタン１６ｂを主な構成要素とし、誤操作防止制御に関する種々の条件を設定する。具体的には、ＯｎＡｉｒ信号に基づいて誤操作防止制御を行うか否か、所定の操作子の機能を制限したり繰り返し再生を行ったりしている場合にその理由などを表示するか、繰り返し再生を行う場合の繰り返し再生期間、などを設定可能である。
【００６６】
続いて、ミキサー装置２０の機能構成について説明する。ミキサー装置２０は、主な機能構成として、ミキサー装置側制御手段２１０、ミキサー装置側再生信号入力手段２２０、ミキサー装置側再生信号出力手段２３０およびＯｎＡｉｒ情報出力手段２４０を備えている。
【００６７】
ミキサー装置側制御手段２１０は、マイコンなどを主な構成要素とし、ミキサー装置２０内を統括制御する。ミキサー装置側再生信号入力手段２２０は、プレーヤー側再生信号出力手段１３０から出力された再生信号を、オーディオケーブル４１を介して入力する。
【００６８】
ミキサー装置側再生信号出力手段２３０は、ミキサー装置側再生信号入力手段２２０により入力された再生信号を、オーディオケーブル４１を介して出力装置３０に出力する。なお、ここで出力する再生信号は、入力された再生信号に混合処理や出力レベル調整処理などを施したものであり、入力された再生信号そのものではない。
【００６９】
ＯｎＡｉｒ情報出力手段２４０は、ミキサー装置側再生信号出力手段２３０により出力装置３０に対して再生信号を出力していることを示すＯｎＡｉｒ信号を、ＯｎＡｉｒ信号送信用ケーブル４２を介して、再生信号の入力源となるプレーヤー１０（ＯｎＡｉｒ情報入力手段１４０）に出力する。また、上記の通り、ＯｎＡｉｒ情報出力手段２４０は、ＯｎＡｉｒ信号の一部として、再生信号の出力レベルに関する出力レベル信号を出力する。なお、ミキサー装置２０では、ユーザーの操作により、ＯｎＡｉｒ信号の送信の有無を設定可能となっている。このため、ＯｎＡｉｒ情報出力手段２４０は、ＯｎＡｉｒ信号の送信「有」と設定されている場合（ＯｎＡｉｒ信号送信設定の場合）のみＯｎＡｉｒ信号を送信し、ＯｎＡｉｒ信号の送信「無」と設定されている場合（ＯｎＡｉｒ信号非送信設定の場合）はＯｎＡｉｒ信号を送信しない。
【００７０】
続いて、出力装置３０の機能構成について説明する。出力装置３０は、主な機能構成として、出力装置側制御手段３１０、出力装置側再生信号入力手段３２０、増幅手段３３０および外部出力手段３４０を備えている。
【００７１】
出力装置側制御手段３１０は、マイコンなどを主な構成要素とし、出力装置３０内を統括制御する。出力装置側再生信号入力手段３２０は、ミキサー装置側再生信号出力手段２３０により出力された再生信号を、オーディオケーブル４１を介して入力する。
【００７２】
増幅手段３３０は、アンプ３１を主な構成要素とし、出力装置側再生信号入力手段３２０により入力された再生信号を、増幅回路により増幅する。また、外部出力手段３４０は、スピーカー３２を主な構成要素とし、増幅手段３３０により増幅された音声信号を、外部に向けて音声出力する。
【００７３】
次に、図５ないし図１５を参照し、第１実施形態に係る再生システムＳＹ（特に、プレーヤー１０およびミキサー装置２０）の具体的な動作について説明する。図５は、ミキサー装置２０のＯｎＡｉｒ信号送信に関するメイン処理を示すフローチャートである。
【００７４】
ミキサー装置２０（ミキサー装置側制御手段２１０）は、マスター出力レベル調整ツマミ２８の設定が、所定のしきい値を超えているか否かを判別し（Ｓ１１）、超えている場合は（Ｓ１１：Ｙｅｓ）、各チャンネルの出力レベル検出処理（図６参照）を行う（Ｓ１２）。また、各チャンネルの出力レベル検出処理によってＯｎＡｉｒ状態と判定され、さらにＯｎＡｉｒ信号送信設定の場合は（Ｓ１３：Ｙｅｓ）、そのチャンネルに対応するプレーヤー１０を送信対象として、ＯｎＡｉｒ信号送信処理を行う（Ｓ１４）。
【００７５】
一方、マスター出力レベル調整ツマミ２８の設定が所定のしきい値以下の場合（Ｓ１１：Ｎｏ）、並びにＯｎＡｉｒ信号非送信設定の場合は（Ｓ１３：Ｎｏ）、ＯｆｆＡｉｒ状態と判別し、ＯｎＡｉｒ信号を送信しない（Ｓ１５）。なお、同図に示したフローチャートは、ミキサー装置２０の起動中、繰り返し実行される。
【００７６】
次に、図６のフローチャートを参照し、ミキサー装置２０の出力レベル検出処理について説明する。当該フローチャートは、図５に示したフローチャートのＳ１２に相当するサブルーチンであり、チャンネル毎に実行されるものである。
【００７７】
ミキサー装置２０（ミキサー装置側制御手段２１０）は、まず、チャンネル切替スイッチ２１の設定が、入力端子側であるか否かを判別し（Ｓ２１）、入力端子側である場合は（Ｓ２１：Ｙｅｓ）、続いて、トリム調整ツマミ２２の設定（ボリューム値）が、所定のしきい値を超えているか否かを判別する（Ｓ２２）。トリム調整ツマミ２２の設定が所定のしきい値を超えている場合は（Ｓ２２：Ｙｅｓ）、続いて、チャンネルフェーダー２５の設定が、所定のしきい値を超えているか否かを判別する（Ｓ２３）。
【００７８】
チャンネルフェーダー２５の設定が、所定のしきい値を超えている場合は（Ｓ２３：Ｙｅｓ）、続いて、クロスフェーダーアサインスイッチ２６がＡ側またはＢ側を選択しているか否かを判別する（Ｓ２４）。クロスフェーダーアサインスイッチ２６がＡ側またはＢ側を選択している場合は（Ｓ２４：Ｙｅｓ）、クロスフェーダー２７の設定が、（アサインされた側を基準として）所定のしきい値を超えているか否かを判別し（Ｓ２５）、所定のしきい値を超えている場合は（Ｓ２５：Ｙｅｓ）、ＯｎＡｉｒ状態であると判別する（Ｓ２６）。また、クロスフェーダーアサインスイッチ２６が「スルー」を選択している場合は（Ｓ２４：Ｎｏ）、Ｓ２５の判別を省略し、ＯｎＡｉｒ状態であると判別する（Ｓ２６）。
【００７９】
一方、チャンネル切替スイッチ２１の設定が入力端子側でない場合（Ｓ２１：Ｎｏ）、トリム調整ツマミ２２の設定が所定のしきい値以下の場合（Ｓ２２：Ｎｏ）、チャンネルフェーダー２５の設定が所定のしきい値以下の場合（Ｓ２３：Ｎｏ）、クロスフェーダー２７の設定が所定のしきい値以下の場合（Ｓ２５：Ｎｏ）は、ＯｆｆＡｉｒ状態であると判別する（Ｓ２７）。なお、図６に示したフローチャートでは、ＯｎＡｉｒ状態かＯｆｆＡｉｒ状態かの判別のみ行っているが、当該工程により、各チャンネルのボリューム値または音量についても検出しているものとする。各チャンネルのボリューム値または音量は、後述する出力レベル信号の生成に用いられる。
【００８０】
なお、図５および図６に示したフローチャートでは、マスター出力レベル調整ツマミ２８、トリム調整ツマミ２２、チャンネルフェーダー２５およびクロスフェーダー２７など、各操作子の設定（ボリューム値）に基づいて判別を行っているが、各操作子の設定によって可変する音量レベル（後述するスイッチボックス６１の出力，図９（ａ）参照）に基づいて判別を行っても良い。この場合は、各音量レベルが所定のしきい値以上であるか否かによって判別することが好ましい。つまり、「各操作子の音量レベル≧所定のしきい値」を判別することで、無音の楽曲が再生された場合でも、正確にＯｎＡｉｒ状態を判定することができる。これに対し、上記の例のように、各操作子のボリューム値に基づいて判別する場合は、「各操作子のボリューム値≧所定のしきい値」として判別を行うと、所定のしきい値＝Ｍｉｎ（最小値）の場合、ボリューム値をＭｉｎにしてもＯｎＡｉｒ状態と判定されてしまうため、「各操作子のボリューム値＞所定のしきい値」として判別を行うことが好ましい。
【００８１】
次に、図７のフローチャートを参照し、プレーヤー１０のＯｎＡｉｒ信号受信に関するメイン処理について説明する。プレーヤー１０（プレーヤー側制御手段１１０）は、ミキサー装置２０からＯｎＡｉｒ信号を受信（入力）したか否かを判別し（Ｓ３１）、受信していない場合は（Ｓ３１：Ｎｏ）、動作モードをＯｆｆＡｉｒモードに設定する（Ｓ３２）。
【００８２】
また、ミキサー装置２０からＯｎＡｉｒ信号を受信した場合は（Ｓ３１：Ｙｅｓ）、プレーヤー１０が誤操作防止制御を行う状態であるか否かを判別する（Ｓ３３）。上記の通り、ユーザー設定手段１７０では、誤操作防止制御を行うか否かについて設定可能であるが、さらに詳細設定として、プレーヤー１０の状態と、その状態における誤操作防止制御の内容と、を関連付けて設定することが可能となっている。例えば、プレーヤー１０が非再生中の場合は、所定の操作子の機能制限は行わないが、ジョグＬＥＤ１２ｂの表示は有効する、などの設定が可能である。Ｓ３３において、誤操作防止制御を行う状態であると判定された場合は（Ｓ３３：Ｙｅｓ）、動作モードをＯｎＡｉｒモードに設定する（Ｓ３４）。つまり、上記のように、非再生中における誤操作防止制御の内容が設定されている場合、「ジョグＬＥＤ１２ｂの表示を有効する」と設定されているため、ＯｎＡｉｒモードに設定される。一方、誤操作防止制御を行う状態でないと判定された場合は（Ｓ３３：Ｎｏ）、動作モードをＯｆｆＡｉｒモードに設定する（Ｓ３５）。例えば、「非再生中」というプレーヤー１０の状態に対して、全ての誤操作防止制御を行わないと設定されている場合、ＯｆｆＡｉｒモードに設定される。
【００８３】
なお、上記の例では、プレーヤー１０が「非再生中」の場合における誤操作防止制御の内容設定について記載したが、「再生中」の場合や「ＣＵＥ待機中」の場合など、種々のプレーヤー１０の状態について、誤操作防止制御の内容を設定可能である。
【００８４】
次に、図８のフローチャートを参照し、ミキサー装置２０のＯｎＡｉｒ信号送信処理について説明する。当該フローチャートは、図５に示したフローチャートのＳ１４に相当するサブルーチンである。
【００８５】
ミキサー装置２０（ミキサー装置側制御手段２１０）は、図６に示した出力レベル検出処理（図５に示したフローチャートのＳ１２に相当）により検出した出力レベル比（ボリューム値または音量の比）に基づいて、まず、各チャンネルの音量の比を算出する（Ｓ４１）。続いて、各チャンネルの出力レベル比に応じて、各チャンネルの出力レベル信号を生成し（Ｓ４２）、生成した当該出力レベル信号を含むＯｎＡｉｒ信号を、各チャンネルに対応するプレーヤー１０に送信する（Ｓ４３）。
【００８６】
図９は、出力レベル信号の生成に関する説明図である。図９（ａ）は、ミキサー装置２０の簡易回路図である。符号６１は、トリム調整ツマミ２２、チャンネルフェーダー２５およびクロスフェーダー２７の音量制御を行うスイッチボックスを示し、符号６２は、マスター出力レベル調整ツマミ２８に対応する抵抗器である。以下の説明において、「マスター出力手前の音量」とは、スイッチボックス６１から抵抗器６２の間の出力を指し、「マスター出力後の音量」とは、抵抗器６２を通った後の出力を指す。
【００８７】
図９（ｂ）は、出力レベル信号の生成工程を示す図である。例えば、ミキサー装置２０の「チャンネル１」の音量が１５０［ｄＢ］、「チャンネル２」の音量が９０［ｄＢ］、「チャンネル３」の音量が３０［ｄＢ］、「チャンネル４」の音量が０［ｄＢ］であるものとする。この場合の「音量」とは、上記の「マスター出力手前の音量」および「マスター出力後の音量」のいずれであっても良い。
【００８８】
このような条件の場合、最大音量のチャンネルの出力レベルを１００［％］として正規化すると、「チャンネル１」〜「チャンネル４」の出力レベルは、１００［％］、６０［％］、２０［％］、０［％］と算出できる。ミキサー装置２０は、これらの出力レベルに基づき、出力レベル信号を生成する。一方、各プレーヤー１０は、ミキサー装置２０から取得した当該出力レベル信号に基づき、ＯｎＡｉｒ表示輝度レベル（ジョグＬＥＤ１２ｂの輝度）を決定する。つまり、「プレーヤー１」〜「プレーヤー４」のＯｎＡｉｒ表示輝度レベルは、１００［％］、６０［％］、２０［％］、０［％］となる。
【００８９】
図９（ｃ）は、上記の出力レベル信号を取得した場合の、各プレーヤー１０のジョグＬＥＤ１２ｂの輝度を示す図である。同図に示すように、各チャンネルの出力レベルに応じた輝度で、各プレーヤー１０のジョグＬＥＤ１２ｂが発光する。
【００９０】
このように、各プレーヤー１０は、ＯｎＡｉｒモード時において、各チャンネルの出力レベルに応じた輝度で、ジョグＬＥＤ１２ｂを発光させるため、ユーザーは、わざわざミキサー装置２０のフェーダー状態を確認しなくとも、プレーヤー１０側で出力レベルを判断することができる。
【００９１】
なお、上記の例では、各チャンネルの出力レベルに応じて、プレーヤー１０のジョグＬＥＤ１２ｂを発光させるものとしたが、ＯｎＡｉｒ状態であるか否かに応じて、ジョグＬＥＤ１２ｂを発光させるようにしても良い。すなわち、プレーヤー１０がＯｎＡｉｒモードの場合はジョグＬＥＤ１２ｂを点灯し、ＯｆｆＡｉｒモードの場合はジョグＬＥＤ１２ｂを消灯する、といった簡単な構成でも良い。また、出力レベルに応じて発光する表示手段と、モード状態に応じて発光する表示手段と、をプレーヤー１０に個別に備えても良い。
【００９２】
また、出力レベルに応じてジョグＬＥＤ１２ｂを発光するか、モード状態に応じてジョグＬＥＤ１２ｂを発光するか、ジョグＬＥＤ１２ｂを点滅させるか点灯させるか、点滅させる場合は点滅速度（１拍あたりの点滅回数）をどうするか、点滅はＢＰＭに連動させるか、などについて、ユーザー設定手段１７０により設定可能としても良い。
【００９３】
次に、図１０のフローチャートを参照し、プレーヤー１０の操作子機能制限処理について説明する。なお、ここでは、ユーザー設定手段１７０により、プレーヤー１０が非再生中の場合、所定の操作子の機能制限は行わない（全ての操作子の入力を有効にする）が、他の誤操作防止制御を実行する（ジョグＬＥＤ１２ｂの表示を有効する、など）と設定されているものとする。プレーヤー１０（プレーヤー側制御手段１１０）は、ＯｎＡｉｒモードであるか否かを判別し（Ｓ５１）、ＯｎＡｉｒモードでない場合は（Ｓ５１：Ｎｏ）、搭載されている全ての操作子の入力（機能）を有効にして（Ｓ５２）、Ｓ５１に戻る。
【００９４】
一方、ＯｎＡｉｒモードの場合は（Ｓ５１：Ｙｅｓ）、再生中であるか否かを判別し（Ｓ５３）、再生中でない場合は（Ｓ５３：Ｎｏ）、全ての操作子の入力を有効にして（Ｓ５２）、Ｓ５１に戻る。また、再生中の場合は（Ｓ５３：Ｙｅｓ）、所定の操作子（イジェクトボタン１３ａ，１４ａ，１５ａ、トラックサーチボタン１８ａ、プレイ／ポーズボタン１８ｄおよびテンポリセットボタン１８ｅなど、操作によって再生に支障をきたす恐れのある操作子）の入力を無効にする（Ｓ５４）。
【００９５】
Ｓ５４の後、再生終了したか否かを判別し（Ｓ５５）、再生終了した場合は（Ｓ５５：Ｙｅｓ）、全ての操作子の入力を有効にして（Ｓ５６）、処理を終了する。また、再生終了していない場合は（Ｓ５５：Ｎｏ）、Ｓ５１に戻る。このように、操作子機能制限処理によれば、ＯｎＡｉｒモード時におけるユーザーの誤操作を防止することができる。
【００９６】
なお、上記のフローチャートには特に記載していないが、所定の操作子の入力を無効にした場合、情報表示手段１６０により、所定の操作子の機能を制限している場合、その理由（ＯｎＡｉｒモード中であること、誤操作防止を目的としていることなど）および制限解除の判断をユーザーに促す内容（「所定の操作子の入力を有効にしますか？」などのメッセージ）を表示する。
【００９７】
また、上記の例では、所定の操作子の入力を有効／無効にするものとしたが、１の操作子に複数の機能が割り当てられている場合、その機能のみを対象として、有効／無効を切り替え可能である。また、操作子機能制限処理において有効／無効の切り替え対象となる「所定の操作子」、または「所定の操作子の機能」を、ユーザー設定手段１７０により設定可能としても良い。
【００９８】
また、上記の例では、所定の操作子の入力を無効にした場合に、情報表示手段１６０による表示を行うものとしたが、所定の操作子の入力を無効にする前に、所定の操作子の入力を無効にする旨などを表示するようにしても良い。つまり、所定の操作子の機能を制限する状態にある場合（ＯｎＡｉｒモード時）において、常にその旨を表示するようにしても良い。
【００９９】
なお、情報表示手段１６０により、これらの表示を行うか否か、表示タイミング（所定の操作子の機能を制限する前と制限した時とのいずれのタイミングで表示させるか）、表示内容、などについて、ユーザー設定手段１７０により設定可能としても良い。
【０１００】
次に、図１１のフローチャートを参照し、プレーヤー１０の繰り返し再生処理（１）について説明する。ここでは、再生中に、再生信号の再生が中断されるような所定の操作（本例では、デバイスＤのイジェクト操作）が行われたことをトリガとして繰り返し再生を行う場合について説明する。
【０１０１】
プレーヤー１０（プレーヤー側制御手段１１０）は、デバイスＤから楽曲を再生している状態において（Ｓ６１）、再生中のデバイスＤのイジェクト操作が行われた場合（Ｓ６２）、ＯｎＡｉｒモードであるか否かを判別する（Ｓ６３）。ＯｎＡｉｒモードでない場合は（Ｓ６３：Ｎｏ）、イジェクト操作後、即再生停止して（Ｓ６４）、処理を終了する。
【０１０２】
一方、ＯｎＡｉｒモードの場合は（Ｓ６３：Ｙｅｓ）、内部メモリバッファＢに格納されている分のうち、所定のタイミングから、例えば４拍分を繰り返し再生し（Ｓ６５）、ＯｎＡｉｒモードが終了したか否かを判別する（Ｓ６６）。ＯｎＡｉｒモードが終了していない場合は（Ｓ６６：Ｎｏ）、Ｓ６５に戻る。また、ＯｎＡｉｒモードが終了した場合は（Ｓ６６：Ｙｅｓ）、内部メモリバッファＢにバッファ残量があるか否かを判別し（Ｓ６７）、バッファ残量がある場合は（Ｓ６７：Ｙｅｓ）、Ｓ６６に戻る。また、バッファ残量がない場合は（Ｓ６７：Ｎｏ）、再生を停止し（Ｓ６８）、処理を終了する。
【０１０３】
図１２は、繰り返し再生に関する説明図である。図１２（ａ）は、ＯｆｆＡｉｒモード時における再生方法を示す図である。この場合、再生中に内部メモリバッファＢに所定量のデータをバッファリングしておくが、デバイスＤが排出されると、即座に再生停止する。
【０１０４】
一方、図１２（ｂ）は、ＯｎＡｉｒモード時における再生方法を示す図である。この場合も、再生中に内部メモリバッファＢに所定量のデータをバッファリングしておき、デバイスＤの排出後、バッファリングされていたデータが減っていくが、デバイス排出後の所定のタイミングからの４拍分を保持しておき、それを繰り返し再生する。
【０１０５】
このように、繰り返し再生処理（１）によれば、ユーザーが誤ってデバイスＤのイジェクト操作を行った場合でも、楽曲の中断を防止することができる。
【０１０６】
また、当該繰り返し再生処理（１）を意図的に利用することで、ＤＪが交代する際、自分用のデバイスＤを即座に持ち帰ることができるといった利点もある。例えば、繰り返し再生処理（１）の機能を有しない従来のプレーヤー１０を利用した場合、ＤＪ（Ａ）は自分の演奏が終わった後、最後の楽曲をＯｎＡｉｒした状態のまま、次のＤＪ（Ｂ）と交代することになる。このため、ＤＪ（Ｂ）は、自分用のデバイスＤを用いてつなぎ演奏を開始した後、ＤＪ（Ａ）のデバイスＤを排出して所定の場所に仮置きしておく必要がある。また、ＤＪ（Ａ）も、自分の演奏終了後、しばらくたってから仮置きされているデバイスＤを取りに行かなければならない。これに対し、上記の繰り返し再生処理（１）の機能を有するプレーヤー１０を利用すれば、ＤＪ（Ａ）は自分の演奏が終わった後、すぐにデバイスＤを排出して持ち帰ることが可能となる。つまり、ＤＪ（Ａ），（Ｂ）両者の上記のような手間を無くすことができる。
【０１０７】
なお、「デバイス排出後の所定のタイミング」とは、デバイスＤの排出後、拍の先頭を最初（または２回目、３回目）に検出した時点でも良いし、内部メモリバッファＢにバッファリングされているデータのうち、最後の４拍分の先頭タイミングでも良い。
【０１０８】
また、上記の例では、再生信号の再生が中断されるような「所定の操作」として、デバイスＤのイジェクト操作を挙げたが、イジェクトボタン１３ａ，１４ａ，１５ａの押下、トラックサーチボタン１８ａの押下、プレイ／ポーズボタン１８ｄの押下およびテンポリセットボタン１８ｅの押下など、他の操作であっても良い。
【０１０９】
また、所定の操作をトリガとした繰り返し再生を行うか否か、所定の操作の内容、所定のタイミング、繰り返し再生期間（４拍分、８拍分など）、などについて、ユーザー設定手段１７０により設定可能としても良い。
【０１１０】
また、上記の例では、内部メモリバッファＢにバッファリングしておくデータ量は、ＯｆｆＡｉｒモード時とＯｎＡｉｒモード時とで、同一であるものとしたが（図１２（ａ），（ｂ）参照）、ＯｆｆＡｉｒモード時よりもＯｎＡｉｒモード時におけるバッファ量を多くするようにしても良い。この構成によれば、ＯｎＡｉｒモード時は、誤操作によって繰り返し再生を行う可能性があるため、それに備えてバッファ量を多くしておくことで、誤操作が行われた場合に、１拍分のデータ量が多い楽曲であっても違和感の無い長さ（例えば、４拍分以上）で繰り返し再生を行うことができる。なお、ＯｎＡｉｒモード時におけるバッファ量やＯｆｆＡｉｒモード時におけるバッファ量について、ユーザー設定手段１７０により設定可能としても良い。
【０１１１】
また、図１１に示したフローチャートでは、繰り返し再生中に、ＯｆｆＡｉｒモードとなり、再度ＯｎＡｉｒモードに戻る場合についても考慮しているが、その点を考慮しないフローチャートとしても良い。図１３は、プレーヤー１０の繰り返し再生処理（１）の基本形を示すフローチャートである。図１３におけるＳ７１ないしＳ７６は、図１１におけるＳ６１ないしＳ６６に相当する。図１１のフローチャートとの相違点は、Ｓ７６の後、即再生停止（Ｓ７７）となる点である。この構成によれば、図１１に示した例よりも処理工程を簡素化することができる。
【０１１２】
次に、図１４のフローチャートを参照し、プレーヤー１０の繰り返し再生処理（２）について説明する。ここでは、再生中の再生信号が終了間際となったことをトリガとして繰り返し再生を行う場合について説明する。
【０１１３】
プレーヤー１０（プレーヤー側制御手段１１０）は、デバイスＤから楽曲を再生している状態において（Ｓ８１）、残り再生時間が所定時間以内となったか否かを判別し（Ｓ８２）、所定時間以内となっていない場合は（Ｓ８２：Ｎｏ）、Ｓ８２の判別を繰り返す。一方、残り再生時間が所定時間以内となった場合は（Ｓ７２：Ｙｅｓ）、ＯｎＡｉｒモードであるか否かを判別し（Ｓ８３）、ＯｎＡｉｒモードでない場合は（Ｓ８３：Ｎｏ）、再生を継続する（Ｓ８４）。
【０１１４】
一方、ＯｎＡｉｒモードの場合は（Ｓ８３：Ｙｅｓ）、残り再生時間内で所定期間分を繰り返し再生し（Ｓ８５）、ＯｎＡｉｒモードが終了したか否かを判別する（Ｓ８６）。ＯｎＡｉｒモードが終了していない場合は（Ｓ８６：Ｎｏ）、Ｓ８５に戻る。また、ＯｎＡｉｒモードが終了した場合は（Ｓ８６：Ｙｅｓ）、再生終了したか否かを判別し（Ｓ８７）、再生終了していない場合は（Ｓ８７：Ｎｏ）、Ｓ８３に戻る。また、再生終了した場合は（Ｓ８７：Ｙｅｓ）、再生を停止し（Ｓ８８）、処理を終了する。
【０１１５】
このように、繰り返し再生処理（２）によれば、何らかの原因で次曲のロードが間に合わなかった場合でも、繰り返し再生により楽曲の中断を阻止することができる。なお、終了間際であるか否かを判別するための「所定時間」、繰り返し再生する「所定期間」（繰り返し再生期間）、などについて、ユーザー設定手段１７０により設定可能としても良い。
【０１１６】
なお、図１４に示したフローチャートでは、繰り返し再生中に、ＯｆｆＡｉｒモードとなり、再度ＯｎＡｉｒモードに戻る場合についても考慮しているが、その点を考慮しないフローチャートとしても良い。図１５は、プレーヤー１０の繰り返し再生処理（２）の基本形を示すフローチャートである。図１５におけるＳ９１ないしＳ９８は、図１４におけるＳ８１ないしＳ８８に相当する。図１４のフローチャートとの相違点は、Ｓ９６：Ｙｅｓと判定された場合、即再生停止（Ｓ９８）となる点である。この構成によれば、図１４に示した例よりも処理工程を簡素化することができる。
【０１１７】
なお、上記の図１１、図１３、図１４および図１５のフローチャートには特に記載していないが、繰り返し再生処理（１），（２）を行っている間、情報表示手段１６０により、その旨（繰り返し再生中であること）およびその理由（ＯｎＡｉｒモード中であること、楽曲の中断防止を目的としていることなど）を表示する。但し、上記の所定の操作子の機能制限を表示する場合と同様に、繰り返し再生処理（１），（２）を行っている間ではなく、繰り返し再生処理を実行可能な状態にある場合（ＯｎＡｉｒモード時）において、常にその旨を表示するようにしても良い。
【０１１８】
以上説明したとおり、本発明の第１実施形態によれば、ＯｎＡｉｒ状態であることを示すＯｎＡｉｒ信号を、ミキサー装置２０から、再生信号の入力源となるプレーヤー１０に対して出力するため、ユーザーは、プレーヤー１０側で、そのプレーヤー１０の再生信号がＯｎＡｉｒ状態であることを判断することができる。また、ＯｎＡｉｒ信号には、出力レベル信号が含まれおり、プレーヤー１０は、当該出力レベル信号に基づいて、ジョグＬＥＤ１２ｂの輝度を変化させるため、当該ジョグＬＥＤ１２ｂの表示輝度により、プレーヤー１０側で再生中の再生信号の出力レベルについても判断することができる。また、ジョグＬＥＤ１２ｂは、再生中の再生信号のＢＰＭに同期して点滅表示されるため、ユーザーに対し、再生信号のＢＰＭが点滅タイミングとずれることによる違和感を与えることがない。
【０１１９】
また、プレーヤー１０は、ＯｎＡｉｒモード時において、所定の操作子の機能を制限するため、ユーザーの誤操作を確実に防止することができる。また、所定の操作子の機能を制限している旨を表示部１１に表示することで、ユーザーが故障などと勘違いすることがない。
【０１２０】
また、ＯｎＡｉｒモード時に、再生信号の再生が中断されるような誤操作が行われた場合や、何らかの原因で次曲のロードが間に合わず、再生中の再生信号が終了間際となった場合でも、繰り返し再生処理（１），（２）により中断を阻止することができる。これにより、本発明の再生システムＳＹがＤＪ機器として用いられた場合などにおいて、楽曲の中断により場の雰囲気を大きく損ねてしまうといった致命的なミスを防止することができる。
【０１２１】
また、ＯｎＡｉｒ情報入力手段１４０は、プレーヤー１０の状態に応じて、誤操作防止制御の制御内容を制限するため、プレーヤー１０の状態に応じて、操作防止制御に含まれる機能（出力レベルの表示、所定の操作子の機能制限、繰り返し再生処理（１），（２）など）のうち、必要でない機能を制限することが可能となる。
【０１２２】
また、ユーザー設定手段１７０により、ＯｎＡｉｒ信号に基づく誤操作防止制御を行うか否か、並びに誤操作防止制御の詳細について、設定可能であるため、ユーザーの使い勝手を向上させることができる。また、プレーヤー１０は、ＯｎＡｉｒ信号が入力されていない場合は、誤操作防止制御を行わないため、不必要な表示が行われたり、不必要に機能が制限されたりすることを防止することができる。
【０１２３】
なお、上記の実施形態では、「再生信号」として音声信号を例示したが、映像信号であっても良い。この場合、出力装置３０は、ディスプレイなどの表示装置となる。
【０１２４】
また、上記の実施形態では、ＯｎＡｉｒ表示手段１５０により、ジョグＬＥＤ１２ｂの輝度を、出力レベル信号に基づいて変化させるものとしたが、表示色や点滅速度など輝度以外の表示形態を変化させても良い。また、ＯｎＡｉｒ表示手段１５０が液晶ディスプレイなどで構成される場合は、表示内容を変化させても良い（対応するチャンネルの出力レベルを、文字（数字）や画像（グラフ）によって表示するなど）。また、出力レベル信号に基づいて変化させる表示形態について、ユーザー設定手段１７０により設定可能としても良い。
【０１２５】
［第２実施形態］
次に、図１６を参照し、本発明の第２実施形態について説明する。上記の第１実施形態では、図８および図９に示した通り、各チャンネルの音量の比に応じて出力レベル信号を生成するものとしたが、本実施形態は、各チャンネルのマスター出力手前の音量に応じて出力レベル信号を生成する点で異なる。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【０１２６】
図１６（ａ）は、本実施形態に係る各チャンネルの出力レベルの計算式を示す図である。同図に示すように、各チャンネルの出力レベル［％］は、各チャンネルのマスター出力手前の音量（図９（ａ）参照）を、マスター出力手前の最大音量で除して、１００を乗算することで得られる。なお、本実施形態では、少なくともマスター出力レベル＞Ｍｉｎであることが前提である。
【０１２７】
図１６（ｂ）は、第２実施形態に係る出力レベル信号の生成工程を示す図である。例えば、ミキサー装置２０の「チャンネル１」〜「チャンネル４」の音量が１５０［ｄＢ］、９０［ｄＢ］、３０［ｄＢ］、０［ｄＢ］の場合であって、マスター出力手前の最大音量が３００［ｄＢ］であった場合、「チャンネル１」〜「チャンネル４」の出力レベルは、５０［％］、３０［％］、１０［％］、０［％］と算出できる。ミキサー装置２０は、これらの出力レベルに基づき、出力レベル信号を生成する。一方、各プレーヤー１０は、ミキサー装置２０から取得した当該出力レベル信号に基づき、ＯｎＡｉｒ表示輝度レベル（ジョグＬＥＤ１２ｂの輝度）を決定する。つまり、「プレーヤー１」〜「プレーヤー４」のＯｎＡｉｒ表示輝度レベルは、５０［％］、３０［％］、１０［％］、０［％］となる。
【０１２８】
図１６（ｃ）は、上記の出力レベル信号を取得した場合の、各プレーヤー１０のジョグＬＥＤ１２ｂの輝度を示す図である。同図に示すように、各チャンネルの出力レベルに応じた輝度で、各プレーヤー１０のジョグＬＥＤ１２ｂが発光する。
【０１２９】
以上説明したとおり、本発明の第２実施形態によれば、各チャンネルのマスター出力手前の音量に応じて出力レベル信号を生成するため、第１実施形態のように、各チャンネルの音量の比に応じて出力レベル信号を生成する場合と比較して、比較演算処理が不要となり、出力レベル信号を生成するための制御負荷を軽減できる。また、これにより、ミキサー装置２０のフェーダー操作が、ジョグＬＥＤ１２ｂの輝度に反映されるまでのレーテンシーが短くなるため、ユーザーの操作性も向上する。
【０１３０】
［第３実施形態］
次に、図１７を参照し、本発明の第３実施形態について説明する。上記の第２実施形態では、各チャンネルのマスター出力手前の音量に応じて出力レベル信号を生成するものとしたが、本実施形態は、各チャンネルのマスター出力後の音量に応じて出力レベル信号を生成する点で異なる。なお、本実施形態においても、第１実施形態と同様の構成部分については同様の符号を付し、詳細な説明を省略する。また、第１実施形態と同様の構成部分について適用される変形例は、本実施形態についても同様に適用される。
【０１３１】
図１７（ａ）は、本実施形態に係る各チャンネルの出力レベルの計算式を示す図である。同図に示すように、各チャンネルの出力レベル［％］は、各チャンネルのマスター出力後の音量（図９（ａ）参照）を、マスター出力後の最大音量で除して、１００を乗算することで得られる。
【０１３２】
図１７（ｂ）は、第３実施形態に係る出力レベル信号の生成工程を示す図である。例えば、ミキサー装置２０の「チャンネル１」〜「チャンネル４」の音量が１５０［ｄＢ］、９０［ｄＢ］、３０［ｄＢ］、０［ｄＢ］の場合であって、マスター出力後の最大音量が６００［ｄＢ］であった場合、「チャンネル１」〜「チャンネル４」の出力レベルは、２５［％］、１５［％］、５［％］、０［％］と算出できる。ミキサー装置２０は、これらの出力レベルに基づき、出力レベル信号を生成する。一方、各プレーヤー１０は、ミキサー装置２０から取得した当該出力レベル信号に基づき、ＯｎＡｉｒ表示輝度レベル（ジョグＬＥＤ１２ｂの輝度）を決定する。つまり、「プレーヤー１」〜「プレーヤー４」のＯｎＡｉｒ表示輝度レベルは、２５［％］、１５［％］、５［％］、０［％］となる。
【０１３３】
図１７（ｃ）は、上記の出力レベル信号を取得した場合の、各プレーヤー１０のジョグＬＥＤ１２ｂの輝度を示す図である。同図に示すように、第２実施形態と比較して、各プレーヤー１０のジョグＬＥＤ１２ｂの輝度が全体的に低くなり、暗めの表示となる。
【０１３４】
以上説明したとおり、本発明の第３実施形態によれば、各チャンネルのマスター出力後の音量に応じて出力レベル信号を生成するため、第２実施形態と比較して、ミキサー装置２０の出力レベルを正確に表現することができる。
【０１３５】
なお、上記第１実施形態〜第３実施形態にて、３つの出力レベル信号の生成方法を示したが、これらのうち、いずれの方法を用いて出力レベル信号を生成するかについて、ユーザー設定手段１７０により設定可能としても良い。また、３つの出力レベル信号の生成方法にて算出された出力レベルの値を２つ以上組み合わせて新たなパラメータを生成し、当該パラメータに基づいて、出力レベル信号を生成するようにしても良い。
【０１３６】
また、上記の各実施形態に示したプレーヤー１０やミキサー装置２０の各構成要素をプログラムとして提供することも可能である。また、そのプログラムを各種記録媒体（ＣＤ−ＲＯＭ、フラッシュメモリ等）に格納して提供することも可能である。すなわち、コンピューターをプレーヤー１０やミキサー装置２０の各構成要素として機能させるためのプログラム、およびそれを記録した記録媒体も、本発明の権利範囲に含まれるものである。
【０１３７】
また、上記の実施形態に示したプレーヤー１０やミキサー装置２０を、ＤＪ機器以外の電子楽器やコンピューターに適用するなど、本発明の要旨を逸脱しない範囲で、適宜変更も可能である。
【符号の説明】
【０１３８】
１０…プレーヤー  １１…表示部  １２…ジョグダイヤル  １２ｂ…ジョグＬＥＤ  １３…ＣＤ挿入口  １３ａ…ＣＤ用イジェクトボタン  １４…ＵＳＢメモリスロット  １４ａ…ＵＳＢメモリ用イジェクトボタン  １５…ＳＤメモリカードスロット  １５ａ…ＳＤメモリカード用イジェクトボタン  ２０…ミキサー装置  ２１…チャンネル切替スイッチ  ２２…トリム調整ツマミ  ２５…チャンネルフェーダー  ２６…クロスフェーダーアサインスイッチ  ２７…クロスフェーダー  ２８…マスター出力レベル調整ツマミ  ３０…出力装置  ３１…アンプ  ３２…スピーカー  Ｂ…内部メモリバッファ  Ｄ…デバイス  ＳＹ…再生システム
【手続補正２】
【補正対象書類名】特許請求の範囲
【補正対象項目名】全文
【補正方法】変更
【補正の内容】
【特許請求の範囲】
【請求項１】
１以上のプレーヤーと接続され、当該プレーヤーから入力された再生信号を出力装置に対して出力させるミキサー装置であって、
前記１以上のプレーヤーのうち少なくとも１つのプレーヤーから、前記再生信号を入力させる入力手段と、
前記入力手段により入力された前記再生信号を、前記出力装置に対して出力させる出力手段と、
前記出力手段による前記再生信号の出力レベルに関する出力レベル情報を含むＯｎＡｉｒ情報を、当該再生信号の入力源となるプレーヤーに対して出力するＯｎＡｉｒ情報出力手段と、を備えたことを特徴とするミキサー装置。
【請求項２】
前記出力レベル情報は、前記出力装置に対して出力される１以上の再生信号の出力レベル比、マスター出力レベル調整前の各再生信号の出力レベル、マスター出力レベル調整後の各再生信号の出力レベルのうち、少なくとも一つに基づいて生成された情報であることを特徴とする請求項１に記載のミキサー装置。
【請求項３】
出力装置と接続されたミキサー装置に対し、再生信号を出力するプレーヤーであって、
前記再生信号を、前記ミキサー装置に応じて出力する出力手段と、
前記出力手段により出力された再生信号が前記ミキサー装置により前記出力装置に対して出力されていることを示すＯｎＡｉｒ情報を、前記ミキサー装置から入力するＯｎＡｉｒ情報入力手段と、
前記ＯｎＡｉｒ情報の入力の有無に基づいて、表示形態が変化する表示手段の表示制御を行う制御手段と、を備え、
前記制御手段は、前記表示形態として、前記表示手段の表示色、輝度、表示内容、点滅速度のうち、少なくとも一つを変化させることを特徴とするプレーヤー。
【請求項４】
前記ＯｎＡｉｒ情報は、前記出力装置に対して出力されている前記再生信号の出力レベルに関する出力レベル情報を含み、
前記制御手段は、前記出力レベル情報に基づいて、前記表示手段の表示形態を変化させることを特徴とする請求項３に記載のプレーヤー。
【請求項５】
前記再生信号は音声信号を含み、
前記制御手段は、再生中の前記再生信号のＢＰＭに同期して、前記表示手段を点滅させることを特徴とする請求項３に記載のプレーヤー。
【請求項６】
前記制御手段は、前記所定の制御として、所定の機能を制限することを特徴とする請求項３に記載のプレーヤー。
【請求項７】
前記制御手段は、前記ＯｎＡｉｒ情報が入力された場合、プレーヤーの状態に応じて、所定の制御の制御内容を制限することを特徴とする請求項３に記載のプレーヤー。
【請求項８】
音声信号の再生を指示するプレイ操作子と、ＯｎＡｉｒ状態か否かを表示する表示手段と、を備えた複数のプレーヤー部と、
前記複数のプレーヤー部の各音声信号の音量レベルを調整するためのチャンネルフェーダー操作子と、各音声信号の混合率を調整するためのクロスフェーダー操作子と、を備えたミキサー部と、から成る音声制御システムであって、
前記ミキサー部において、前記複数のプレーヤー部のうち１のプレーヤー部の前記チャンネルフェーダー操作子の音量レベルが所定のしきい値を超え、且つ前記クロスフェーダー操作子の前記１のプレーヤー部の混合率が所定のしきい値を超えている場合に、前記１のプレーヤー部の前記表示手段は、ＯｎＡｉｒ状態であることを表示することを特徴とする音声制御システム。
【請求項９】
１以上のプレーヤーと接続され、当該プレーヤーから入力された再生信号を出力装置に対して出力させるミキサー装置の制御方法であって、
前記ミキサー装置が、
前記１以上のプレーヤーのうち少なくとも１つのプレーヤーから、前記再生信号を入力するステップと、
入力された前記再生信号を、前記出力装置に対して出力するステップと、
前記再生信号の出力レベルに関する出力レベル情報を含むＯｎＡｉｒ情報を、当該再生信号の入力源となるプレーヤーに対して出力するステップと、を実行することを特徴とするミキサー装置の制御方法。
【請求項１０】
出力装置と接続されたミキサー装置に対し、再生信号を出力するプレーヤーの制御方法であって、
前記プレーヤーが、
前記再生信号を、前記ミキサー装置に応じて出力するステップと、
前記プレーヤーが出力した再生信号が前記ミキサー装置により前記出力装置に対して出力されていることを示すＯｎＡｉｒ情報を、前記ミキサー装置から入力するステップと、
前記ＯｎＡｉｒ情報の入力の有無に基づいて、表示形態が変化する表示手段の表示制御を行うステップと、を実行し、
前記表示制御を行うステップでは、前記表示形態として、前記表示手段の表示色、輝度、表示内容、点滅速度のうち、少なくとも一つを変化させることを特徴とするプレーヤーの制御方法。
【請求項１１】
音声信号の再生を指示するプレイ操作子と、ＯｎＡｉｒ状態か否かを表示する表示手段と、を備えた複数のプレーヤー部と、
前記複数のプレーヤー部の各音声信号の音量レベルを調整するためのチャンネルフェーダー操作子と、各音声信号の混合率を調整するためのクロスフェーダー操作子と、を備えたミキサー部と、から成る音声制御システムの制御方法であって、
前記ミキサー部において、前記複数のプレーヤー部のうち１のプレーヤー部の前記チャンネルフェーダー操作子の音量レベルが所定のしきい値を超え、且つ前記クロスフェーダー操作子の前記１のプレーヤー部の混合率が所定のしきい値を超えている場合、前記１のプレーヤー部の前記表示手段に、ＯｎＡｉｒ状態であることを表示させることを特徴とする音声制御システムの制御方法。
【請求項１２】
コンピューターに、請求項９に記載のミキサー装置の制御方法における各ステップ、請求項１０に記載のプレーヤーの制御方法における各ステップ、請求項１１に記載の音声制御システムの制御方法における各ステップ、のうちいずれかを実行させるためのプログラム。
【国際調査報告】
2010122608.tif 000020
2010122608.tif 000021
2010122608.tif 000022
2010122608.tif 000023